(57)【要約】本出願は、パイロット系列の長さを増加させ、パイロット系列間の相関を低減させるための、基準信号送信方法、基準信号受信方法、ネットワークデバイス、および端末デバイスを提供する。方法は、第１のＣＳＩ−ＲＳを搬送するために使用される複数のリソース要素ＲＥを、ネットワークデバイスによって、決定するステップであって、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる、ステップと、複数のＲＥを使用することによって、第１のＣＳＩ−ＲＳを、ネットワークデバイスによって、端末デバイスに送信するステップとを含む。
2020516113.tif 000002
【特許請求の範囲】
【請求項１】
第１のＣＳＩ−ＲＳを搬送するために使用される複数のリソース要素ＲＥを、ネットワークデバイスによって、決定するステップであって、前記複数のＲＥは、複数のリソースユニットに分散され、
各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、ステップと、
前記複数のＲＥを使用することによって、前記第１のＣＳＩ−ＲＳを、前記ネットワークデバイスによって、端末デバイスに送信するステップと
を含む基準信号送信方法。
【請求項２】
各リソースユニット内の前記複数のＲＥ上において搬送される前記第１のＣＳＩ−ＲＳの前記値は、互いに異なる請求項１に記載の方法。
【請求項３】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項１または２に記載の方法。
【請求項４】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項１乃至３のいずれか一項に記載の方法。
【請求項５】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項１乃至４のいずれか一項に記載の方法。
【請求項６】
ネットワークデバイスによって送信された信号を、端末デバイスによって、複数のリソースユニット上において受信するステップであって、前記信号は、第１のＣＳＩ−ＲＳを含む、ステップと、
前記第１のＣＳＩ−ＲＳを搬送するために使用される複数のリソース要素ＲＥを、前記端末デバイスによって、決定するステップであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、ステップと、
前記第１のＣＳＩ−ＲＳを、前記端末デバイスによって、前記複数のＲＥ上において獲得するステップと
を含む基準信号受信方法。
【請求項７】
各リソースユニット内の前記複数のＲＥ上において搬送される前記第１のＣＳＩ−ＲＳの前記値は、互いに異なる請求項６に記載の方法。
【請求項８】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項６または７に記載の方法。
【請求項９】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項６乃至８のいずれか一項に記載の方法。
【請求項１０】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項６乃至９のいずれか一項に記載の方法。
【請求項１１】
第１のＣＳＩ−ＲＳを搬送するために使用される複数のリソース要素ＲＥを決定するように構成されたプロセッサであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、プロセッサと、
前記複数のＲＥを使用することによって、前記第１のＣＳＩ−ＲＳを端末デバイスに送信するように構成された送受信機と
を備えるネットワークデバイス。
【請求項１２】
各リソースユニット内の前記複数のＲＥ上において搬送される前記第１のＣＳＩ−ＲＳの前記値は、互いに異なる請求項１１に記載のネットワークデバイス。
【請求項１３】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項１１または１２に記載のネットワークデバイス。
【請求項１４】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項１１乃至１３のいずれか一項に記載のネットワークデバイス。
【請求項１５】
前記第１のＣＳＩ−ＲＳの前記値は、第１のパイロット系列から選択され、前記第１のパイロット系列は、第１のパラメータａと相関し、前記第１のパラメータａの前記値は、｛２，４，８，１２｝のうちの少なくとも１つを含む請求項１１乃至１４のいずれか一項に記載のネットワークデバイス。
【請求項１６】
ネットワークデバイスによって送信された信号を、複数のリソースユニット上において受信するように構成された送受信機であって、前記信号は、第１のＣＳＩ−ＲＳを含む、送受信機と、
前記第１のＣＳＩ−ＲＳを搬送するために使用される複数のリソース要素ＲＥを決定するように構成されたプロセッサであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、プロセッサと
を備え、
前記プロセッサは、前記第１のＣＳＩ−ＲＳを、前記決定された複数のＲＥ上において獲得するようにさらに構成される
端末デバイス。
【請求項１７】
各リソースユニット内の前記複数のＲＥ上において搬送される前記第１のＣＳＩ−ＲＳの前記値は、互いに異なる請求項１６に記載の端末デバイス。
【請求項１８】
各リソースユニット内の前記複数のＲＥは、第２のＣＳＩ−ＲＳをさらに搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項１６または１７に記載の端末デバイス。
【請求項１９】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項１６乃至１８のいずれか一項に記載の端末デバイス。
【請求項２０】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項１６乃至１９のいずれか一項に記載の端末デバイス。
【発明の詳細な説明】
【技術分野】
【０００１】
本出願は、通信分野に関し、より詳細には、基準信号送信方法、基準信号受信方法、ネットワークデバイス、および端末デバイスに関する。
【背景技術】
【０００２】
本出願は、その全体が、参照によって本明細書に組み込まれる、２０１７年４月２８日に中国特許庁に出願された、「ＲＥＦＥＲＥＮＣＥ  ＳＩＧＮＡＬ  ＳＥＮＤＩＮＧ  ＭＥＴＨＯＤ，  ＲＥＦＥＲＥＮＣＥ  ＳＩＧＮＡＬ  ＲＥＣＥＩＶＩＮＧ  ＭＥＴＨＯＤ，  ＮＥＴＷＯＲＫ  ＤＥＶＩＣＥ，  ＡＮＤ  ＴＥＲＭＩＮＡＬ  ＤＥＶＩＣＥ」と題する、中国特許出願第２０１７１０２９５２９９．１号に基づく優先権を主張する。
【０００３】
ニューラジオアクセス技術（ｎｅｗ  ｒａｄｉｏ  ａｃｃｅｓｓ  ｔｅｃｈｎｏｌｏｇｙ、ＮＲ）システムにおいては、高周波数ワイヤレス通信をサポートするために、位相雑音およびアナログビームの切り換えによって引き起こされる影響が、チャネル状態情報−基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）のリソース構成に対して考慮される必要がある。高周波数ワイヤレス通信システムは、高レート短距離送信を実装するために、ならびに５Ｇの容量および送信レートに関する要件を満たすために、高周波数バンド内のスペクトルリソースを使用する。しかしながら、高周波数ワイヤレス通信システムにおいては、位相雑音は、時間と比べて、周波数に対しては、はるかに感度が低く、高周波数バンドにおける高い経路損失を克服するために、物理レイヤは、高利得の狭いビームアンテナを使用して、通信リンクのカバレージを改善する必要がある。そのような処理においては、アンテナは、ビームを頻繁に切り換える必要があることがある。上で説明された様々な要因は、位相雑音によって引き起こされる影響、およびビーム切り換えに対して引き起こされる影響を低減させるために、通信デバイスが、時間の短い期間内に、チャネル測定を完了することを必要とする。したがって、ＮＲにおいては、同じシンボル（例えば、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル）内に、ＣＳＩ−ＲＳを構成することが、検討される。
【０００４】
他方、マルチアンテナ技術が、開発されたので、同じネットワークデバイス内の異なるアンテナポートにおけるＣＳＩ−ＲＳは、符号分割を通したリソース上における多重化、すなわち、符号分割多重（ｃｏｄｅ  ｄｉｖｉｓｉｏｎ  ｍｕｌｔｉｐｌｅｘｉｎｇ、ＣＤＭ）を行われ得る。例えば、ネットワークデバイスは、異なる直交カバー符号（ｏｒｔｈｏｇｏｎａｌ  ｃｏｖｅｒ  ｃｏｄｅ、ＯＣＣ）を使用することによって、異なるアンテナポートを区別する。ＮＲにおいては、各アンテナポートにおけるＣＳＩ−ＲＳが、同じシンボル内に構成されることを保証するために、異なるアンテナポートのリソースは、周波数領域ＣＤＭ、例えば、周波数領域ＣＤＭ２および周波数領域ＣＤＭ４を通して、区別され得る。しかしながら、複数のネットワークデバイスが、同じアンテナポートおよび同じ時間−周波数リソースを使用することによって、ＣＳＩ−ＲＳを送信するとき、同じＯＣＣ符号が、使用され得る。このケースにおいては、２つのＣＳＩ−ＲＳは、異なる識別子
【０００５】
【数１】
2020516113.tif 000003
【０００６】
を使用するが、２つのＣＳＩ−ＲＳは、依然として、強い相関があり、互いに干渉を引き起こすことがある。
【発明の概要】
【０００７】
本出願は、ＣＳＩ−ＲＳ間の相関を低減させ、ＣＳＩ−ＲＳ間において引き起こされる干渉を低減させるための、基準信号送信方法、基準信号受信方法、ネットワークデバイス、および端末デバイスを提供する。
【０００８】
第１の態様に従うと、基準信号送信方法が、提供される。方法は、
第１のＣＳＩ−ＲＳを搬送するために使用される複数のリソース要素ＲＥを、ネットワークデバイスによって、決定するステップであって、複数のＲＥは、複数のリソースユニットに分散され、
各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる、ステップと、
複数のＲＥを使用することによって、第１のＣＳＩ−ＲＳを、ネットワークデバイスによって、端末デバイスに送信するステップと
を含む。
【０００９】
第１のＣＳＩ−ＲＳは、事前にネットワークデバイスによって生成された第１のパイロット系列から選択され得ることが留意されるべきである。言い換えると、第１のＣＳＩ−ＲＳは、第１のパイロット系列内のいくつかまたはすべての系列要素を含む。本発明のこの実施形態においては、パイロット系列内の各系列要素は、ＣＳＩ−ＲＳの値と呼ばれることがあり、パイロット系列内の系列要素の量は、パイロット系列の系列長と呼ばれることがある。それに対応して、各リソースユニット内の各シンボル内の、各アンテナポートにおけるＣＳＩ−ＲＳの異なるＣＳＩ−ＲＳ値の量は、リソースユニット内のシンボル内の、アンテナポートにおけるＣＳＩ−ＲＳの系列長と呼ばれる。各ＣＳＩ−ＲＳ値は、パイロット系列内の系列要素に対応し、異なるＣＳＩ−ＲＳ値は、パイロット系列内の異なる系列要素に対応することが理解され得る。先行技術においては、同じリソースユニット内の同じシンボル内の複数のＲＥは、同じＣＳＩ−ＲＳ値を搬送する。すなわち、各アンテナポートにおけるＣＳＩ−ＲＳは、１つのリソースユニット内の１つのシンボルにおいて、１のシンボル長を有する。しかしながら、本発明のこの実施形態においては、各アンテナポートにおけるＣＳＩ−ＲＳは、各リソースユニット内の各シンボルにおいて、少なくとも２の系列長を有する。先行技術と比較して、系列長は、増加させられ、系列間の相関は、低減させられる。したがって、２つのネットワークデバイスが、同じ時間−周波数リソースおよび同じ多重符号を使用することによって、ＣＳＩ−ＲＳを送信するとき、本発明のこの実施形態において提供されるＣＳＩ−ＲＳが、使用されるので、２つのＣＳＩ−ＲＳ間の干渉が、低減させられるように、各リソースユニット内の同じシンボルにおける系列長は、増加させられ、系列間の相関は、低減させられ、それによって、チャネル推定を容易にし、受信信号の品質を改善する。
【００１０】
任意選択で、第１のＣＳＩ−ＲＳを搬送するために使用される複数のＲＥを、ネットワークデバイスによって、決定するステップの前に、方法は、
第１のパイロット系列を、ネットワークデバイスによって、生成するステップであって、第１のＣＳＩ−ＲＳの値は、第１のパイロット系列から選択される、ステップ
をさらに含む。
【００１１】
言い換えると、第１のＣＳＩ−ＲＳは、第１のパイロット系列内のいくつかまたはすべての系列要素を使用することによって、生成される。第１のパイロット系列は、先行技術におけるパイロット系列生成方法に従って、生成されてよく、または本発明のこの実施形態における方法に従って、生成されてよい。
【００１２】
言い換えると、ネットワークデバイスは、第１のパラメータに基づいて、第１のパイロット系列を生成し、その後、第１のパイロット系列内のいくつかまたはすべての系列要素を複数のＲＥ上にマッピングして、第１のＣＳＩ−ＲＳを生成する。複数のＲＥは、複数のリソースユニットに分散される。各リソースユニットにおいて、第１のＣＳＩ−ＲＳを搬送するために使用される複数のＲＥは、同じシンボル内の複数のサブキャリア上に配置され、リソースユニット内の少なくとも２つのＲＥ上において搬送される第１のＣＳＩ−ＲＳの値は、異なる。
【００１３】
第２の態様に従うと、基準信号受信方法が、提供される。方法は、
ネットワークデバイスによって送信された信号を、端末デバイスによって、複数のリソースユニット上において受信するステップであって、信号は、第１のＣＳＩ−ＲＳを含む、ステップと、
第１のＣＳＩ−ＲＳを搬送するために使用される複数のリソース要素ＲＥを、端末デバイスによって、決定するステップであって、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる、ステップと、
第１のＣＳＩ−ＲＳを、端末デバイスによって、複数のＲＥ上において獲得するステップと
を含む。
【００１４】
第１のＣＳＩ−ＲＳは、事前にネットワークデバイスによって生成された第１のパイロット系列から選択され得る。言い換えると、第１のＣＳＩ−ＲＳは、第１のパイロット系列内のいくつかまたはすべての系列要素を含む。本発明のこの実施形態においては、パイロット系列内の各系列要素は、ＣＳＩ−ＲＳの値と呼ばれることがあり、パイロット系列内の系列要素の量は、パイロット系列の系列長と呼ばれることがある。それに対応して、各リソースユニット内の各シンボル内の、各アンテナポートにおけるＣＳＩ−ＲＳの異なるＣＳＩ−ＲＳ値の量は、リソースユニット内のシンボル内の、アンテナポートにおけるＣＳＩ−ＲＳの系列長と呼ばれる。各値は、パイロット系列内の系列要素に対応し、異なるＣＳＩ−ＲＳ値は、パイロット系列内の異なる系列要素に対応することが理解され得る。先行技術においては、同じリソースユニット内の同じシンボル内の複数のＲＥは、同じＣＳＩ−ＲＳ値を搬送する。すなわち、各アンテナポートにおけるＣＳＩ−ＲＳは、１つのリソースユニット内の１つのシンボルにおいて、１のシンボル長を有する。しかしながら、本発明のこの実施形態においては、各アンテナポートにおけるＣＳＩ−ＲＳは、各リソースユニット内の各シンボルにおいて、少なくとも２の系列長を有する。先行技術と比較して、系列長は、増加させられ、系列間の相関は、低減させられる。したがって、２つのネットワークデバイスが、同じ時間−周波数リソースおよび同じ多重符号を使用することによって、ＣＳＩ−ＲＳを送信するとき、本発明のこの実施形態において提供されるＣＳＩ−ＲＳが、使用されるので、２つのＣＳＩ−ＲＳ間の干渉が、低減させられるように、各リソースユニット内の同じシンボルにおける系列長は、増加させられ、系列間の相関は、低減させられ、それによって、チャネル推定を容易にし、受信信号の品質を改善する。
【００１５】
第３の態様に従うと、ネットワークデバイスが、提供される。ネットワークデバイスは、第１の態様または第１の態様の可能な実装のいずれか１つに従って、基準信号送信方法を実行するように構成された様々なモジュールを含む。
【００１６】
第４の態様に従うと、端末デバイスが、提供される。端末デバイスは、第２の態様または第２の態様の可能な実装のいずれか１つに従って、基準信号受信方法を実行するように構成された様々なモジュールを含む。
【００１７】
第５の態様に従うと、ネットワークデバイスが、提供される。ネットワークデバイスは、送受信機と、プロセッサと、メモリとを含む。プロセッサは、信号を受信または送信するための送受信機を制御するように構成され、メモリは、コンピュータプログラムを記憶するように構成され、プロセッサは、ネットワークデバイスが、第１の態様または第１の態様の可能な実装のいずれか１つに従って、方法を実行することを可能にするために、メモリからコンピュータプログラムを起動し、コンピュータプログラムを実行するように構成される。
【００１８】
第６の態様に従うと、端末デバイスが、提供される。端末デバイスは、送受信機と、プロセッサと、メモリとを含む。プロセッサは、信号を受信または送信するための送受信機を制御するように構成され、メモリは、コンピュータプログラムを記憶するように構成され、プロセッサは、端末デバイスが、第２の態様または第２の態様の可能な実装のいずれか１つに従って、方法を実行することを可能にするために、メモリからコンピュータプログラムを起動し、コンピュータプログラムを実行するように構成される。
【００１９】
第７の態様に従うと、コンピュータプログラム製品が、提供される。コンピュータプログラム製品は、コンピュータプログラムコードを含み、ネットワークデバイス上において動作するとき、コンピュータプログラムコードは、ネットワークデバイスが、第１の態様または第１の態様の可能な実装のいずれか１つに従って、方法を実行することを可能にする。
【００２０】
第８の態様に従うと、コンピュータプログラム製品が、提供される。コンピュータプログラム製品は、コンピュータプログラムコードを含み、端末デバイス上において動作するとき、コンピュータプログラムコードは、端末デバイスが、第２の態様または第２の態様の可能な実装のいずれか１つに従って、方法を実行することを可能にする。
【００２１】
第９の態様に従うと、コンピュータ可読媒体が、提供される。コンピュータ可読媒体は、プログラムコードを記憶し、プログラムコードは、第１の態様または第１の態様の可能な実装のいずれか１つに従って、方法を実行するために使用される、命令を含む。
【００２２】
第１０の態様に従うと、コンピュータ可読媒体が、提供される。コンピュータ可読媒体は、プログラムコードを記憶し、プログラムコードは、第２の態様または第２の態様の可能な実装のいずれか１つに従って、方法を実行するために使用される、命令を含む。
【００２３】
任意選択で、各リソースユニット内の複数のＲＥ上において搬送される第１のＣＳＩ−ＲＳの値は、互いに異なる。任意選択で、複数のＲＥは、第２のＣＳＩ−ＲＳを搬送し、少なくとも２つのＲＥ上において搬送される第２のＣＳＩ−ＲＳの値は、異なり、第２のＣＳＩ−ＲＳの値は、第２の多重符号を使用することによって、複数のＲＥにロードされる。
【００２４】
すなわち、複数のＣＳＩ−ＲＳを送信するとき、ネットワークデバイスは、事前に生成された第１のパイロット系列におけるＣＳＩ−ＲＳの値を決定し、値を時間−周波数リソース上にマッピングし、アンテナポートを区別するために、多重符号を使用することによって、値をロードし、最後に、時間−周波数リソースを使用することによって、複数のＣＳＩ−ＲＳを一緒に送信し得る。例えば、複数のＣＳＩ−ＲＳは、第１のＣＳＩ−ＲＳと、第２のＣＳＩ−ＲＳとを含み、第１のＣＳＩ−ＲＳと、第２のＣＳＩ−ＲＳは、異なるアンテナポートに対応し、符号分割を通して、同じ時間−周波数リソース上に多重化され得る。
【００２５】
任意選択で、第１のパイロット系列は、以下の式を使用することによって、計算される。
【００２６】
【数２】
2020516113.tif 000004
【００２７】
【数３】
2020516113.tif 000005
【００２８】
であり、ａは、第１のパラメータであり、
【００２９】
【数４】
2020516113.tif 000006
【００３０】
は、ダウンリンクチャネル上に含まれるリソースユニットの最大量を表し、
【００３１】
【数５】
2020516113.tif 000007
【００３２】
は、第ｎsのスロット内の第ｌのシンボル内の第ｂのＣＳＩ−ＲＳの値を表す。
【００３３】
【数６】
2020516113.tif 000008
【００３４】
である。
【００３５】
ｃは、ＰＮ系列であり、初期化系列ｃinitに基づいて、ＰＮ系列生成器（例えば、ゴールド系列生成器）によって、生成され得る。
【００３６】
この方法は、既存のロングタームエボリューション（Ｌｏｎｇ  Ｔｅｒｍ  Ｅｖｏｌｕｔｉｏｎ、ＬＴＥ）プロトコルにおいて定義されたＰＮ系列生成式に酷似しており、したがって、先行技術と非常に互換性があり、加えて、系列長は、増加させられ、パイロット系列間の相関は、低減させられる。
【００３７】
任意選択で、第１のパイロット系列は、以下の式を使用することによって、計算される。
【００３８】
【数７】
2020516113.tif 000009
【００３９】
ａは、第１のパラメータであり、
【００４０】
【数８】
2020516113.tif 000010
【００４１】
は、ダウンリンクチャネル上に含まれるリソースユニットの最大量を表し、
【００４２】
【数９】
2020516113.tif 000011
【００４３】
は、第ｎsのスロット内の第ｌのシンボル内の第ｍのリソースユニット内の第ｎのＣＳＩ−ＲＳの値を表す。
【００４４】
例えば、第１のパイロット系列は、以下の式を使用することによって、計算される。
【００４５】
【数１０】
2020516113.tif 000012
【００４６】
、
【００４７】
【数１１】
2020516113.tif 000013
【００４８】
上で説明された式と比較して、この式は、各系列要素がその上にマッピングされるＲＥを、より多い次元で表す。
【００４９】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【００５０】
任意選択で、第１のパラメータａの値は、｛２，４，８，１２｝のうちの少なくとも１つを含む。
【００５１】
本発明のこの実施形態においては、第１のパラメータａは、各リソースユニット内の、第１のＣＳＩ−ＲＳによって占有されることができるＲＥの最大量として理解され得る。言い換えると、各リソースユニット内の同じシンボル内の、第１のＣＳＩ−ＲＳによって占有されるサブキャリアの最大量が、ａである。しかしながら、リソースユニット内の同じシンボル内の、第１のＣＳＩ−ＲＳによって占有されるサブキャリアの量は、リソースユニットにおける第１のＣＳＩ−ＲＳの系列長を意味しないことが留意されるべきである。第１のＣＳＩ−ＲＳの系列長は、リソースユニットにおける異なる系列要素の量に基づいて、定義される必要がある。
【００５２】
任意選択で、第１のパラメータａは、事前構成される。
【００５３】
すなわち、第１のパラメータａは、静的に構成され得る。
【００５４】
任意選択で、第１のパラメータａは、ネットワークデバイスによって決定された後、端末デバイスに送信される。
【００５５】
すなわち、第１のパラメータａは、半静的または動的に構成され得る。
【００５６】
本出願に従うと、各リソースユニット内の各シンボル内の、各アンテナポートにおける系列長は、系列間の相関を低減させ、パイロット信号間の干渉を低減させるために、増加させられ得る。
【図面の簡単な説明】
【００５７】
【図１】本発明の実施形態に従った、基準信号送信方法および基準信号受信方法が適用される、通信システムの概略図である。
【図２】本発明の実施形態に従った、基準信号送信方法および基準信号受信方法が適用される、通信システムの別の概略図である。
【図３】本発明の実施形態に従った、基準信号送信方法または基準信号受信方法の概略フローチャートである。
【図４】本発明の実施形態に従った、パイロットパターンの概略図である。
【図５】本発明の実施形態に従った、パイロットパターンの別の概略図である。
【図６】本発明の実施形態に従った、パイロットパターンのさらに別の概略図である。
【図７】本発明の実施形態に従った、パイロットパターンのまた別の概略図である。
【図８】本発明の実施形態に従った、ネットワークデバイスの概略ブロック図である。
【図９】本発明の実施形態に従った、端末デバイスの概略ブロック図である。
【図１０】本発明の実施形態に従った、ネットワークデバイスの別の概略ブロック図である。
【図１１】本発明の実施形態に従った、端末デバイスの別の概略ブロック図である。
【発明を実施するための形態】
【００５８】
以下では、添付の図面を参照して、本出願の技術的ソリューションについて説明する。
【００５９】
本発明の実施形態の理解を容易にするために、最初に、ＬＴＥプロトコルにおけるＣＳＩ−ＲＳが、手短に説明される。
【００６０】
ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−Ａ）システムにおいては、マルチアンテナ技術をサポートするために、リリース（Ｒｅｌｅａｓｅ）１０以降、低密度リソース分散を特徴とするＣＳＩ−ＲＳが、導入されて、元のセル固有基準信号（ｃｅｌｌ−ｓｐｅｃｉｆｉｃ  ｒｅｆｅｒｅｎｃｅ  ｓｉｇｎａｌ、ＣＲＳ）に取って代わり、ネットワークデバイスが、端末デバイスによって報告されたＣＳＩに基づいて、マルチユーザスケジューリングを実行することができることを保証する。
【００６１】
ＬＴＥ−Ａ送信モード（ｔｒａｎｓｍｉｓｓｉｏｎ  ｍｏｄｅ、ＴＭ）９においては、端末デバイスは、チャネル推定のために、ＣＳＩ−ＲＳを使用する。しかしながら、ＴＭ９以前の他の送信モードにおいては、端末デバイスは、チャネル推定のために、依然としてＣＲＳを使用する。ＣＳＩ−ＲＳが使用されるか、それともＣＲＳが使用されるか、またはチャネル推定のために使用され、将来のプロトコルにおいて定義される、他の基準信号さえもが使用されるかにかかわらず、端末デバイスが、受信された基準信号に基づいて、チャネル推定を実行する具体的な処理は、同様であり得ることが理解され得る。理解および説明を容易にするために、本発明の実施形態は、例として、もっぱらＣＳＩ−ＲＳを使用することによって、詳細に説明される。
【００６２】
加えて、ダウンリンク基準信号においては、基準信号は、通常、疑似雑音（ｐｓｅｕｄｏ−ｎｏｉｓｅ、ＰＮ）系列を使用し得る。ＬＴＥにおいては、ＣＳＩ−ＲＳは、ＰＮ系列に基づいて、生成され得る。具体的には、ＣＳＩ−ＲＳは、以下の式を使用することによって計算されるＰＮ系列を使用することによって、獲得され得る。
【００６３】
【数１２】
2020516113.tif 000014
【００６４】
ＣＳＩ−ＲＳが、発見基準信号（ｄｉｓｃｏｖｅｒｙ  ｒｅｆｅｒｅｎｃｅ  ｓｉｇｎａｌ、ＤＲＳ）の一部として使用されるとき、
【００６５】
【数１３】
2020516113.tif 000015
【００６６】
であり、または他のケースにおいては、
【００６７】
【数１４】
2020516113.tif 000016
【００６８】
である。
【００６９】
【数１５】
2020516113.tif 000017
【００７０】
は、ｎs個のスロット内の第ｌのシンボル内の第ｍの系列要素を表し、
【００７１】
【数１６】
2020516113.tif 000018
【００７２】
は、ＰＮ系列を変調することによって獲得される複素形式で表示される。任意選択で、シンボルは、ＯＦＤＭシンボルであってよく、または時間単位を表すために使用され、将来のプロトコルにおいて定義される、シンボルであってよい。これは、本発明のこの実施形態に特に限定されない。
【００７３】
【数１７】
2020516113.tif 000019
【００７４】
は、ダウンリンクチャネル上に含まれる、ＲＢの最大量を表す。ｃは、ＰＮ系列であり、初期化系列ｃinitに基づいて、ＰＮ系列生成器（例えば、ゴールド（Ｇｏｌｄ）系列生成器）によって、生成され得る。
【００７５】
【数１８】
2020516113.tif 000020
【００７６】
は、ＣＳＩ−ＲＳの識別子であり、セル識別子
【００７７】
【数１９】
2020516113.tif 000021
【００７８】
であるか、または高位レイヤによって構成された識別子であり得る。ＮCPは、サイクリックサフィックス識別子であり、標準ＣＰ（ｎｏｒｍａｌ  ＣＰ）に対応し、ＮCP＝１である。拡張ＣＰ（ｅｘｔｅｎｄｅｄ  ＣＰ）については、ＮCP＝０である。
【００７９】
ｍの値が、
【００８０】
【数２０】
2020516113.tif 000022
【００８１】
の中の値を順番に取るとき、ＰＮ系列が、獲得されることができることが、上記の式から理解され得る。ＰＮ系列は、
【００８２】
【数２１】
2020516113.tif 000023
【００８３】
個の系列要素を含み、各系列要素は、複素信号であり、各系列要素は、ＣＳＩ−ＲＳの値と呼ばれることがあり、
【００８４】
【数２２】
2020516113.tif 000024
【００８５】
個の系列要素は、系列長
【００８６】
【数２３】
2020516113.tif 000025
【００８７】
と呼ばれることがある。
【００８８】
ネットワークデバイスは、事前定義されたパイロットパターン（ｐａｔｔｅｒｎ）、およびパイロット系列内の系列要素とＲＥとの間のマッピング関係に基づいて、生成されたＰＮ系列内のいくつかまたはすべての要素を、１つずつ、ＲＥ上にマッピングし、ＣＳＩ−ＲＳを、チャネル上において、端末デバイスに送信し得る。端末デバイスは、受信されたＣＳＩ−ＲＳと、端末デバイスによって生成されたＣＳＩ−ＲＳとに基づいて、チャネル行列を推定し、端末デバイスが、推定されたチャネル行列に基づいて、プリコーディング行列を決定し、ＣＳＩをネットワークデバイスにフィードバックすることができるようにする。
【００８９】
ＬＴＥにおいては、マルチアンテナ技術が開発されたので、同じネットワークデバイスは、異なるアンテナポート（ａｎｔｅｎｎａ  ｐｏｒｔ）を、ＣＤＭ、周波数分割多重（ｆｒｅｑｕｅｎｃｙ  ｄｉｖｉｓｉｏｎ  ｍｕｌｔｉｐｌｅｘｉｎｇ、ＦＤＭ）、および時分割多重（ｔｉｍｅ  ｄｉｖｉｓｉｏｎ  ｍｕｌｔｉｐｌｅｘｉｎｇ、ＴＤＭ）などを通して、区別し得る。ＦＤＭまたはＴＤＭが、使用される場合、異なるアンテナポートにおいてＣＳＩ−ＲＳによって占有される周波数領域リソースまたは時間領域リソースは、異なり得る。ＣＤＭが、使用される場合、異なるアンテナポートにおいてＣＳＩ−ＲＳによって占有される時間−周波数リソースは、同じであり得、異なるアンテナポートは、多重符号を使用することによって、区別される。ＬＴＥにおいては、ＣＤＭは、周波数領域ＣＤＭと、時間領域ＣＤＭとを含むことができる。しかしながら、ＮＲにおいては、ＣＳＩ−ＲＳは、同じシンボル内に構成されるようにサポートされ、すなわち、周波数領域ＣＤＭである。
【００９０】
アンテナポートは、ＣＳＩ−ＲＳポートと呼ばれることもあり、またはより具体的には、ビームフォーミング（ｂｅａｍｆｏｒｍｉｎｇ）を通してプリコーディングされていないＣＳＩ−ＲＳポートとして理解され得ることが留意されるべきである。ＣＳＩ−ＲＳは、ＣＳＩ−ＲＳポートによって定義され、各ＣＳＩ−ＲＳは、アンテナポートに対応する。チャネル測定のために使用される基準信号としてのＣＳＩ−ＲＳは、説明のための例として使用されるにすぎず、本発明の実施形態に対するいかなる限定としても構成されるべきではないことが理解されるべきである。本出願は、既存または将来のプロトコルにおいて、ＣＳＩ−ＲＳと同じ機能を実装するために、他の名前のものが使用されて、ＣＳＩ−ＲＳに取って代わり得る可能性を排除しない。
【００９１】
本発明の実施形態が適用可能なシナリオが、図１および図２を参照して、以下で説明される。図１は、本発明の実施形態に従った、基準信号送信方法および基準信号受信方法が適用される、通信システム１００Ａの概略図である。図１に示されるように、通信システム１００Ａは、第１のネットワークデバイス１１０と、第２のネットワークデバイス１２０と、第１の端末デバイス１３０と、第２の端末デバイス１４０とを含む。第１のネットワークデバイス１１０および第２のネットワークデバイス１２０は、複数のアンテナを含み、マルチアンテナ技術を使用することによって、端末デバイス（例えば、図１に示される第１の端末デバイス１３０および／または第２の端末デバイス１４０）に、データを送信し得る。
【００９２】
第１のネットワークデバイス１１０は、第１のセル内のネットワークデバイスであり、第１の端末デバイス１３０は、第１のセル内に配置され、第２のネットワークデバイス１２０は、第２のセル内のネットワークデバイスであり、第２の端末デバイスは、第２のセル内に配置されることが仮定される。第１のネットワークデバイス１１０および第２のネットワークデバイス１２０が、チャネル推定のためのＣＳＩフィードバックを獲得するために、同じポートおよび同じ時間−周波数リソース（例えば、ＲＥ）を使用することによって、対応する第１の端末デバイス１３０および第２の端末デバイス１４０に、ＣＳＩ−ＲＳを送信する場合、第１のネットワークデバイス１１０によって第１の端末デバイス１３０に送信される（例えば、ＣＳＩ−ＲＳ＃１と表される）ＣＳＩ−ＲＳと、第２のネットワークデバイス１２０によって第２の端末デバイス１４０に送信される（例えば、ＣＳＩ−ＲＳ＃２と表される）ＣＳＩ−ＲＳは、異なる
【００９３】
【数２４】
2020516113.tif 000026
【００９４】
を使用することによって、識別され得、すなわち、式（１）を使用することによって計算される値は、異なる。
【００９５】
第１のネットワークデバイス１１０および第２のネットワークデバイス１２０は、マルチアンテナ技術を使用することによって、データを端末デバイスに送信し得るので、第１のネットワークデバイス１１０および第２のネットワークデバイス１２０は、複数のアンテナポートを使用することによって、ＣＳＩ−ＲＳを送信し得る。同じネットワークデバイス内の複数のアンテナポートにおいては、異なるＣＳＩ−ＲＳは、上で説明されたＦＤＭ、ＴＤＭ、またはＣＤＭを通して、区別され得る。
【００９６】
第１のネットワークデバイス１１０と第２のネットワークデバイス１２０の両方が、（例えば、周波数領域ＣＤＭ２であり得る）周波数領域ＣＤＭを使用する場合、リソースユニット（例えば、リソースブロック（ｒｅｓｏｕｒｃｅ  ｂｌｏｃｋ、ＲＢ））内の１つのリソースブロックグループ（ｒｅｓｏｕｒｃｅ  ｂｌｏｃｋ  ｇｒｏｕｐ、ＲＢＧ）内の１つのシンボル内の、各ＣＳＩ−ＲＳによって占有されるＲＥの量は、ＣＤＭの際に使用される直交符号の長さである。例えば、周波数領域ＣＤＭ２は、１つのリソースユニット内の１つのシンボル内において、２つのＲＥが占有されることを示す。シンボル量ｌが同じであり、ｒの値が同じであるとき、２つのＲＥ上において搬送されるＣＳＩ−ＲＳの値は、同じであることが、上で説明され式（１）に従って、知られることができる。すなわち、１つのリソースユニット内の１つのシンボル内のＣＳＩ−ＲＳの系列長は、１である。ＣＳＩ−ＲＳ＃１とＣＳＩ−ＲＳ＃２が、異なる
【００９７】
【数２５】
2020516113.tif 000027
【００９８】
を使用するとしても、他のパラメータ（例えば、ＯＣＣ）が同じであるので、ＣＳＩ−ＲＳ＃１とＣＳＩ−ＲＳ＃２との間で、依然として、干渉が引き起こされる。
【００９９】
図２は、本発明の実施形態に従った、基準信号送信方法および基準信号受信方法が適用される、通信システム１００Ｂの概略図である。図２に示されるように、通信システム１００Ｂは、第１のネットワークデバイス１１０と、第２のネットワークデバイス１２０と、第１の端末デバイス１３０とを含む。第１のネットワークデバイス１１０および第２のネットワークデバイス１２０は、複数のアンテナを含み、マルチアンテナ技術を使用することによって、第１の端末デバイス１３０に、データを送信し得る。さらに、第１のネットワークデバイス１１０および第２のネットワークデバイス１２０は、多地点協調（ｃｏｏｒｄｉｎａｔｉｏｎ  ｍｕｌｔｉｐｌｅ  ｐｏｉｎｔ、ＣｏＭＰ）送信方法を使用することによって、第１の端末デバイス１３０に、データを送信し得る。
【０１００】
第１のネットワークデバイス１１０が、ＣＳＩ−ＲＳ＃１を第１の端末デバイス１３０に送信し、第２のネットワークデバイス１２０が、ＣＳＩ−ＲＳ＃２を第１の端末デバイス１３０に送信することを仮定すると、第１のネットワークデバイス１１０および第２のネットワークデバイス１２０は、第１の端末デバイス１３０によってフィードバックされたＣＳＩに基づいて、動的ポイント選択（ｄｙｎａｍｉｃ  ｐｏｉｎｔ  ｓｅｌｅｃｔｉｏｎ、ＤＰＳ）を実行し得る。第１のネットワークデバイス１１０によって第１の端末デバイス１３０に送信される（例えば、ＣＳＩ−ＲＳ＃１と表される）ＣＳＩ−ＲＳと、第２のネットワークデバイス１２０によって第１の端末デバイス１３０に送信される（例えば、ＣＳＩ−ＲＳ＃２と表される）ＣＳＩ−ＲＳは、異なる
【０１０１】
【数２６】
2020516113.tif 000028
【０１０２】
を使用することによって、識別され得る。
【０１０３】
第１のネットワークデバイス１１０と第２のネットワークデバイス１２０の両方が、周波数領域ＣＤＭを使用する場合、１つのリソースユニット内の１つのシンボル内の、各ネットワークデバイスによって送信されるＣＳＩ−ＲＳによって占有されるＲＥの量は、ＣＤＭの際に使用される直交符号の長さである。同じシンボルにおいてＣＳＩ−ＲＳを搬送するＲＥは、同じＣＳＩ−ＲＳ値を搬送し、すなわち、１つのリソースユニット内の１つのシンボル内のＣＳＩ−ＲＳの系列長は、１である。したがって、ＣＳＩ−ＲＳ＃１とＣＳＩ−ＲＳ＃２が、異なる
【０１０４】
【数２７】
2020516113.tif 000029
【０１０５】
を使用するとしても、他のパラメータ（例えば、アンテナポート、時間−周波数リソース、およびＯＣＣ）が同じであるので、ＣＳＩ−ＲＳ＃１とＣＳＩ−ＲＳ＃２との間で、依然として、干渉が引き起こされる。
【０１０６】
図１および図２は、理解を容易にするために例として使用された、簡略化された概略図であり、通信システムは、図に示されていない、より多くのネットワークデバイスおよび／または端末デバイスをさらに含み得ることが理解されるべきである。
【０１０７】
２つのＣＳＩ−ＲＳ間において、干渉が引き起こされるとき、チャネル行列の推定は、不正確であることがあり、結果として、フィードバックされるＣＳＩの正確さが、影響を受け、最後には、プリコーディング行列の決定が、影響を受けることがあり、さらに、受信データの品質に影響することが、上述の説明から知られることができる。
【０１０８】
しかしながら、シミュレーション実験、または相関の計算を通して、系列長が１であるとき、系列間の相関は、相対的に強く、より長い系列は、系列間において、より低い相関を示すことが知られている。したがって、本出願は、シンボル内の各ポートに対応するパイロット系列の系列長を増加させ、系列間の相関を低減させ、干渉を低減させるための、基準信号送信方法および基準信号受信方法を提供する。
【０１０９】
本発明の実施形態が、添付の図面を参照して、以下で詳細に説明される。
【０１１０】
本出願における技術的ソリューションは、様々な通信システムに、例えば、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（ＬＴＥ）システム、ロングタームエボリューションアドバンスト（ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、または次世代通信システム（例えば、第５世代（ｆｉｆｔｈ−ｇｅｎｅｒａｔｉｏｎ、５Ｇ）通信システム）に適用され得ることが理解されるべきである。５Ｇシステムは、ニューラジオアクセス技術（ＮＲ）システムと呼ばれることもある。
【０１１１】
本出願は、ネットワークデバイスを参照して、実施形態を説明する。ネットワークデバイスは、移動体通信用グローバルシステム（ＧＳＭ）もしくは符号分割多元接続（ＣＤＭＡ）における、基地送受信機局（Ｂａｓｅ  Ｔｒａｎｓｃｅｉｖｅｒ  Ｓｔａｔｉｏｎ、ＢＴＳ）であり得、または広帯域符号分割多元接続（ＷＣＤＭＡ）における、ノードＢ（ＮｏｄｅＢ、ＮＢ）であり得、またはロングタームエボリューション（ＬＴＥ）における、進化型ノードＢ（ｅｖｏｌｕｔｉｏｎａｌ  ｎｏｄｅ  Ｂ、ｅＮＢもしくはｅＮｏｄｅＢ）、もしくは中継局、アクセスポイントもしくはリモート無線ユニット（Ｒｅｍｏｔｅ  Ｒａｄｉｏ  Ｕｎｉｔ、ＲＲＵ）、もしくは車載デバイス、ウェアラブルデバイス、もしくは送信ポイント（ｔｒａｎｓｍｉｓｓｉｏｎ  ｐｏｉｎｔ、ＴＰ）など将来の５Ｇシステムにおけるネットワーク側デバイス、送受信ポイント（ｔｒａｎｓｍｉｓｓｉｏｎ  ｒｅｃｅｐｔｉｏｎ  ｐｏｉｎｔ、ＴＲＰ）、基地局、および小型基地局デバイスであり得る。これは、本発明の実施形態に特に限定されない。
【０１１２】
加えて、本出願は、端末デバイスを参照して、実施形態を説明する。端末デバイスは、ユーザ機器（Ｕｓｅｒ  Ｅｑｕｉｐｍｅｎｔ、ＵＥ）、アクセス端末、加入者ユニット、加入者局、移動局、移動コンソール、リモート局、リモート端末、モバイルデバイス、ユーザ端末、端末、ワイヤレス通信デバイス、ユーザエージェント、またはユーザ装置と呼ばれることもある。端末デバイスは、ワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）における、局（Ｓｔａｔｉｏｎ、ＳＴ）であり得、セルラフォン、コードレスフォン、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）デバイス、ワイヤレス通信機能を有するハンドヘルドデバイス、コンピューティングデバイス、ワイヤレスモデムに接続された別の処理デバイス、車載デバイス、ウェアラブルデバイス、および次世代通信システム、例えば、５Ｇネットワークにおける端末デバイス、または将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末デバイスであり得る。これは、本出願の実施形態に特に限定されない。
【０１１３】
本発明の実施形態においては、「第１の」および「第２の」という番号は、異なる対象を区別するために、例えば、異なるパイロット系列および異なるＣＳＩ−ＲＳを区別するために使用されるにすぎず、本発明の実施形態に対するいかなる限定としても構成されるべきではないことがさらに理解されるべきである。
【０１１４】
図３は、デバイス対話の観点から見た、本発明の実施形態に従った、基準信号送信方法３００または基準信号受信方法３００の概略フローチャートである。以下で説明される方法３００は、無線エアインターフェースを使用することによって通信を実行する、通信システムに適用され得る。通信システムは、少なくとも２つのネットワークデバイスと、少なくとも１つの端末デバイスとを含み得る。例えば、通信システムは、図１に示された通信システム１００Ａ、または図２に示された通信システム１００Ｂであり得る。ネットワークデバイスは、図１または図２において示された、第１のネットワークデバイス１１０、または第２のネットワークデバイス１２０であり得、端末デバイスは、図１において示された、第１の端末デバイス１３０、もしくは第２の端末デバイス１４０、または図２において示された、第１の端末デバイス１３０であり得る。
【０１１５】
本発明のこの実施形態においては、一般性を失うことなく、本発明のこの実施形態に従った、基準信号送信方法および基準信号受信方法は、例としてＣＳＩ−ＲＳを使用することによって、詳細に説明されることが留意されるべきである。しかしながら、これは、本発明のこの実施形態に対するいかなる限定としても構成されるべきではなく、方法は、他の基準信号にも適用可能であることが理解されるべきである。
【０１１６】
既存のプロトコル（例えば、ＬＴＥプロトコル）においては、ダウンリンク基準信号は、通常、ＰＮ系列を使用し得、ＬＴＥにおいては、ＰＮ系列は、ゴールド系列によって定義されることが理解されるべきである。もっぱら理解および説明を容易にするために、本明細書は、例としてＰＮ系列を使用することによって、本発明のこの実施形態を詳細に説明する。しかしながら、これは、本発明のこの実施形態に対するいかなる限定としても構成されるべきではなく、本出願は、ダウンリンク基準信号を生成するために、将来のプロトコルにおいて、ザドフ−チュー（Ｚａｄｏｆｆ−Ｃｈｕ、ＺＣ）系列などの別の系列が使用され得る可能性を排除しない。さらに、本発明のこの実施形態に従った、基準信号送信方法および基準信号受信方法は、ダウンリンク基準信号に限定されず、アップリンク基準信号にも適用可能である。
【０１１７】
図３に示されるように、方法３００は、以下のステップを含む。
【０１１８】
Ｓ３１０。ネットワークデバイスは、第１のパラメータに基づいて、第１のパイロット系列を生成する。
【０１１９】
本発明のこの実施形態においては、ＣＳＩ−ＲＳを生成するために使用されるＰＮ系列の系列長は、
【０１２０】
【数２８】
2020516113.tif 000030
【０１２１】
と相関するばかりでなく、本発明のこの実施形態において提供される第１のパラメータａとも相関する。ネットワークデバイスは、第１のパラメータａに基づいて、第１のパイロット系列を生成し得る。本明細書においては、区別および説明を容易にするために、ネットワークデバイスによって生成されるパイロット系列は、第１のパイロット系列と呼ばれ、以下で説明される端末デバイスによって生成されるパイロット系列は、第２のパイロット系列と呼ばれる。それに対応して、第１のパイロット系列に基づいてネットワークデバイスによって生成されるＣＳＩ−ＲＳは、第１のＣＳＩ−ＲＳと呼ばれ、第２のパイロット系列に基づいて端末デバイスによって生成されるＣＳＩ−ＲＳは、第３のＣＳＩ−ＲＳと呼ばれる。
【０１２２】
任意選択で、第１のパラメータａの値は、以下のうちの少なくとも１つを含む。
【０１２３】
Ａ．１つのリソースユニット内の１つのシンボル内のＲＥの量。具体的な量は、既存または将来のプロトコルにおけるリソースユニットの定義に基づいて、決定され得る。例えば、ＬＴＥプロトコルにおいて定義されるリソースユニットは、ＲＢであり得、１つのＲＢ内の１つのシンボル内のＲＥの量は、１２であり得る。
【０１２４】
本発明のこの実施形態においては、リソースユニットは、ＬＴＥプロトコルにおける１つのＲＢもしくはＲＢＧ、もしくは複数のＲＢもしくはＲＢＧ、または少なくとも２つのＲＥを含む再定義されたリソースであり得る。理解および説明を容易にするために、本発明のこの実施形態は、リソースユニットがＲＢである例を使用することによって、説明される。簡潔にするために、以下では、同じまたは類似のケースは、省かれる。
【０１２５】
Ｂ．周波数領域ＣＤＭの際にアンテナポートによって使用される直交符号の長さ。具体的な値は、既存または将来のプロトコルにおいて定義される、ＣＤＭのための直交符号の長さに基づいて、決定され得る。例えば、ＬＴＥプロトコルにおいては、ＣＤＭ２およびＣＤＭ４が、定義され、したがって、ａの値は、｛２，４｝内のいずれかの値であり得る。
【０１２６】
Ｃ．シンボル内の、アンテナポートによって占有されるＲＥの量。具体的な値は、パイロットパターン（ｐａｔｔｅｒｎ）に基づいて、決定され得る。例えば、ＬＴＥプロトコルにおいては、ＣＤＭ４が、使用されるとき、１つのＲＢ内の１つのシンボル内の、アンテナポートによって占有されるＲＥの量は、２であり得る。ＮＲにおいては、リソースユニットがＲＢであると仮定すると、ＣＳＩ−ＲＳの密度は、ＬＴＥにおけるそれと同じ、すなわち、１ＲＥ／ポート／ＲＢに等しくてよく、または１ＲＥ／ポート／ＲＢよりも大きくてよい。その場合、１つのＲＢ内の１つのシンボル内の、アンテナポートによって占有されるＲＥの量は、周波数領域ＣＤＭ値に密度を乗算したものに等しい。しかしながら、１つのシンボル内の、１つのアンテナポートによって占有されるＲＥの量は、１つのＲＢ内のサブキャリアの量（例えば、１つのＲＢ内のサブキャリアの量は１２である）を超えないことが理解され得る。ａの値は、２、４、８、または１２であり得る。
【０１２７】
結論として、第１のパラメータａの値は、｛２，４，８，１２｝のうちの少なくとも１つであり得る。
【０１２８】
第１のパラメータａについての上で列挙された具体的な値は、もっぱら例として説明されたものであること、または本発明のこの実施形態において提供される可能な値であり得ることが理解されるべきである。しかしながら、これは、本発明のこの実施形態に対するいかなる限定としても構成されるべきではない。系列長を増加させるように、第１のパラメータａを定義することによって、パイロット系列を生成する任意の方法が、本出願の保護範囲内に包含されるものとし、本出願は、将来のプロトコルにおいて、第１のパラメータａに対して、より多くの値が定義され得る可能性を排除しない。
【０１２９】
さらに、第１のパラメータａは、１つの値を有してよく、または複数の値を有してよい。１つまたは複数の値は、静的に構成され得、または半静的に構成され、もしくは動的に構成され得る。
【０１３０】
具体的には、第１のパラメータａが、１つの値を有するとき、第１のパラメータは、少なくとも、以下の２つの方法を使用することによって、構成され得る。
【０１３１】
方法１：第１のパラメータａは、事前構成される。具体的には、第１のパラメータａの値は、プロトコルにおいて規定され得る。パイロット系列を生成するために、ネットワークデバイスと端末デバイスのそれぞれに対して、パラメータが、構成され得る。このケースにおいては、第１のパラメータａは、静的に構成されると考えられ得る。
【０１３２】
あるいは、第１のパラメータａの定義ルールが、プロトコルにおいて規定され得、第１のパラメータａの定義ルールは、ネットワークデバイスと端末デバイスが、同じ定義ルールに従って、第１のパラメータを決定するように、ネットワークデバイスと端末デバイスのそれぞれにおいて、構成される。例えば、第１のパラメータとＣＤＭ直交符号長との間のマッピング関係が、プロトコルにおいて定義され得、ＣＤＭ直交符号長が、決定されたとき、対応する第１のパラメータａが、上述のマッピング関係に基づいて、決定され得る。このケースにおいては、第１のパラメータａは、半静的に構成されると考えられ得る。
【０１３３】
方法２：ネットワークデバイスは、第１のパラメータａを決定し、第１のパラメータａを端末デバイスに送信する。
【０１３４】
具体的には、ネットワークデバイスは、ＣＤＭ直交符号長およびＣＳＩ−ＲＳ密度などの因子に基づいて、第１のパラメータａを決定し得、シグナリングを通して、第１のパラメータａについて端末デバイスに通知する。このケースにおいては、第１のパラメータａは、半静的に構成され、または動的に構成され得る。
【０１３５】
任意選択で、ネットワークデバイスは、無線リソース制御（ｒａｄｉｏ  ｒｅｓｏｕｒｃｅ  ｃｏｎｔｒｏｌ、ＲＲＣ）メッセージを、端末デバイスに送信し、ＲＲＣメッセージが、第１のパラメータａを搬送する。
【０１３６】
任意選択で、ネットワークデバイスは、媒体アクセス制御（ｍｅｄｉａ  ａｃｃｅｓｓ  ｃｏｎｔｒｏｌ、ＭＡＣ）制御要素（ｃｏｎｔｒｏｌ  ｅｌｅｍｅｎｔ、ＣＥ）を、端末デバイスに送信し、ＭＡＣ−ＣＥが、第１のパラメータａを搬送する。
【０１３７】
任意選択で、ネットワークデバイスは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を、端末デバイスに送信し、ＰＤＣＣＨが、第１のパラメータａを搬送する。具体的には、第１のパラメータは、ＰＤＣＣＨ上のダウンリンク制御情報（ｄｏｗｎｌｉｎｋ  ｃｏｎｔｒｏｌ  ｉｎｆｏｒｍａｔｉｏｎ、ＤＣＩ）において、搬送され得る。
【０１３８】
第１のパラメータを送信するために使用される上で列挙されたシグナリングは、もっぱら例として説明されたものであり、本発明のこの実施形態に対するいかなる限定としても構成されるべきではなく、本発明のこの実施形態は、それに限定されるべきでもないことが理解されるべきである。第１のパラメータを搬送することができるいずれのシグナリングも、本出願の保護範囲内に包含されるべきである。
【０１３９】
第１のパラメータａが、複数の値を有するとき、第１のパラメータａは、半静的に構成され、または動的に構成され得る。このケースにおいては、第１のパラメータａは、上述の方法を使用することによって、構成されてもまたよい。
【０１４０】
具体的には、複数の第１のパラメータａは、ＲＲＣメッセージを使用することによって、搬送され得、その場合、現在のサブフレームにおいて使用される第１のパラメータａは、ＤＣＩを使用することによって示される。現在使用される第１のパラメータａは、複数の第１のパラメータａのいずれか１つであることが理解され得る。
【０１４１】
第１のパラメータａが、決定された後、ネットワークデバイスは、第１のパラメータａに基づいて、第１のパイロット系列を生成し得る。
【０１４２】
具体的には、ネットワークデバイスは、以下の方法のいずれか１つを使用することによって、第１のパイロット系列を生成し得る。
【０１４３】
方法１：
【０１４４】
ネットワークデバイスは、以下の式に従って、第１のパイロット系列を生成し得る。
【０１４５】
【数２９】
2020516113.tif 000031
【０１４６】
【数３０】
2020516113.tif 000032
【０１４７】
であり、
【０１４８】
【数３１】
2020516113.tif 000033
【０１４９】
は、第ｎsのスロット内の第ｌのシンボル内の第ｂのＣＳＩ−ＲＳの値を表し、値は、ｂの関数ｇ（ｂ）であり得る。
【０１５０】
第１のパイロット系列の系列長は、Ｎであり、Ｎは、第１のパラメータａの関数であり、
【０１５１】
【数３２】
2020516113.tif 000034
【０１５２】
であることが理解され得る。例えば、
【０１５３】
【数３３】
2020516113.tif 000035
【０１５４】
、
【０１５５】
【数３４】
2020516113.tif 000036
【０１５６】
、および
【０１５７】
【数３５】
2020516113.tif 000037
【０１５８】
であり、簡潔にするために、例が、本明細書において、再び列挙されることはない。上で列挙されたｆ（）形式は、もっぱら例として説明されており、本発明のこの実施形態に対するいかなる限定としても構成されるべきではないことが理解されるべきである。それを使用することによって、パイロット系列長Ｎが、第１のパラメータａに基づいて決定され、決定された系列長Ｎが、既存のパイロット系列長
【０１５９】
【数３６】
2020516113.tif 000038
【０１６０】
よりも大きくなる、すべての関数が、本出願の保護範囲内に包含されるものとする。
【０１６１】
理解を容易にするために、第１のパイロット系列を生成する具体的な処理は、ＬＴＥプロトコルにおいて定義される
【０１６２】
【数３７】
2020516113.tif 000039
【０１６３】
を参照して、説明される。本発明のこの実施形態においては、第１のパイロット系列は、ＰＮ系列を使用することによって、生成され、ＰＮ系列は、以下の式を使用することによって、獲得され得る。
【０１６４】
【数３８】
2020516113.tif 000040
【０１６５】
式において、ｃ、ｂ、およびＮの定義は、上で説明されており、本明細書で繰り返し説明されることはない。本発明のこの実施形態においては、ｃの長さは、第１のパイロット系列の系列長Ｎに基づいて、決定され、例えば、パイロット系列長Ｎの２倍であり得る。
【０１６６】
【数３９】
2020516113.tif 000041
【０１６７】
は、パイロット系列の識別子を表し、本発明のこの実施形態においては、
【０１６８】
【数４０】
2020516113.tif 000042
【０１６９】
は、ＬＴＥにおける値を参照してよく、または再構成されてよい。ＮCPは、サイクリックプレフィックス識別子を表し、本発明のこの実施形態においては、ＮCPは、ＬＴＥにおける値を参照してよく、または再構成されてよい。
【０１７０】
理解および説明を容易にするために、式（２）に従って、ネットワークデバイスによって、第１のパイロット系列を生成する処理は、上で列挙された第１のパラメータａの値を参照して、例として
【０１７１】
【数４１】
2020516113.tif 000043
【０１７２】
を使用することによって、以下で詳細に説明される。
【０１７３】
【数４２】
2020516113.tif 000044
【０１７４】
は、ダウンリンク帯域幅内に含まれる、リソースユニットの最大量であり得る。例えば、
【０１７５】
【数４３】
2020516113.tif 000045
【０１７６】
は、既存のＬＴＥにおいて、ダウンリンク帯域幅内に含まれる、ＲＢの最大量であり得、
【０１７７】
【数４４】
2020516113.tif 000046
【０１７８】
である。
【０１７９】
第１のパラメータａは、１つのＲＢ内の１つのシンボル内のＲＥの量であることが仮定される。ＬＴＥにおいては、１つのＲＢ内の１つのシンボル内のＲＥの量は、すなわち、ａ＝１２であり、第１のパイロット系列の系列長Ｎは、１３２０に等しく、ｂ＝０，１，．．．，１３１９である。ａの値に対し、［０，１３１９］の範囲の値を順番に取ることによって、１３２０個の系列要素、すなわち、
【０１８０】
【数４５】
2020516113.tif 000047
【０１８１】
、
【０１８２】
【数４６】
2020516113.tif 000048
【０１８３】
、．．．、
【０１８４】
【数４７】
2020516113.tif 000049
【０１８５】
が、獲得され得、ｂの各値は、系列要素に対応し、各系列要素は、ＣＳＩ−ＲＳの値として理解され得る。
【０１８６】
例えば、ｂ＝０であるとき、
【０１８７】
【数４８】
2020516113.tif 000050
【０１８８】
であり、ｂ＝１であるとき、
【０１８９】
【数４９】
2020516113.tif 000051
【０１９０】
である。
【０１９１】
類推によって、２２０個の系列要素が、獲得され得る。簡潔にするために、本明細書においては、系列要素は、１つ１つ列挙されない。
【０１９２】
第１のパラメータａが、２、４、８、または１２のうちの少なくとも１つであることが仮定され、例として、ａ＝２を使用すると、第１のパイロット系列の系列長Ｎは、２２０に等しく、ｂ＝０，１，．．．，２１９である。ａの値に対し、［０，２１９］の範囲の値を順番に取ることによって、２２０個の系列要素、すなわち、
【０１９３】
【数５０】
2020516113.tif 000052
【０１９４】
、
【０１９５】
【数５１】
2020516113.tif 000053
【０１９６】
、．．．、
【０１９７】
【数５２】
2020516113.tif 000054
【０１９８】
が、獲得され得る。ｂの各値は、系列要素に対応し、各系列要素は、ＣＳＩ−ＲＳの値として理解され得る。
【０１９９】
第１のパラメータａは、周波数領域ＣＤＭの際にアンテナポートによって使用される直交符号の長さであることが仮定される。ＮＲにおいては、ＣＳＩ−ＲＳは、同じシンボル内に構成されるので、使用されるＣＤＭは、周波数領域ＣＤＭである。ＬＴＥにおいては、ＣＤＭ２およびＣＤＭ４が、定義される。例として、ａ＝４を使用すると、第１のパイロット系列の系列長Ｎは、４４０に等しく、ｂ＝０，１，．．．，４３９である。ａの値に対し、［０，４３９］の範囲の値を順番に取ることによって、４４０個の系列要素、すなわち、
【０２００】
【数５３】
2020516113.tif 000055
【０２０１】
、
【０２０２】
【数５４】
2020516113.tif 000056
【０２０３】
、．．．、
【０２０４】
【数５５】
2020516113.tif 000057
【０２０５】
が、獲得され得る。ｂの各値は、系列要素に対応し、各系列要素は、ＣＳＩ−ＲＳの値として理解され得る。
【０２０６】
方法１における式（２）は、既存のＬＴＥプロトコルにおいて定義されたＰＮ系列生成式に酷似しており、したがって、先行技術と非常に互換性があり、加えて、系列長は、増加させられ、パイロット系列間の相関は、低減させられる。
【０２０７】
方法２：
【０２０８】
ネットワークデバイスは、以下の式に従って、第１のパイロット系列を生成し得る。
【０２０９】
【数５６】
2020516113.tif 000058
【０２１０】
【数５７】
2020516113.tif 000059
【０２１１】
であり
【０２１２】
【数５８】
2020516113.tif 000060
【０２１３】
は、第ｎsのスロット内の第ｌのシンボル内の第ｍのリソースユニット内の第ｎのＣＳＩ−ＲＳの値を表し、値は、ｍとｎの関数ｈ（ｍ，ｎ）であり得る。第１のパイロット系列の系列長Ｎは、方法１において定義された系列長と同じであり得、簡潔にするために、詳細が、本明細書で再び説明されることはない。
【０２１４】
理解を容易にするために、第１のパイロット系列を生成する具体的な処理は、ＬＴＥプロトコルにおいて定義される
【０２１５】
【数５９】
2020516113.tif 000061
【０２１６】
を参照して、説明される。本発明のこの実施形態においては、第１のパイロット系列は、ＰＮ系列を使用することによって、生成され、ＰＮ系列は、以下の式を使用することによって、獲得され得る。
【０２１７】
【数６０】
2020516113.tif 000062
【０２１８】
式において、ｃ、ｍ、ｎ、およびＮの定義は、上で説明されており、本明細書で繰り返し説明されることはない。
【０２１９】
方法２においては、リソースユニットの数ｍが、ＰＮ系列生成式（すなわち、式（３））に代入されるので、各リソースユニットにおける系列要素は、より具体的に限定される。
【０２２０】
理解を容易にするために、式（３）に従って、ネットワークデバイスによって、第１のパイロット系列を生成する処理は、上で列挙された第１のパラメータａの値を参照して、例として
【０２２１】
【数６１】
2020516113.tif 000063
【０２２２】
をやはり使用することによって、以下で詳細に説明される。
【０２２３】
【数６２】
2020516113.tif 000064
【０２２４】
は、ダウンリンク帯域幅内に含まれる、リソースユニットの最大量であり得る。例えば、
【０２２５】
【数６３】
2020516113.tif 000065
【０２２６】
は、既存のＬＴＥにおいてダウンリンク帯域幅内に含まれる、ＲＢの最大量であり得、
【０２２７】
【数６４】
2020516113.tif 000066
【０２２８】
である。
【０２２９】
第１のパラメータａは、１つのＲＢ内の１つのシンボル内のＲＥの量であることが仮定される。ＬＴＥにおいては、１つのＲＢ内の１つのシンボル内のＲＥの量は、すなわち、ａ＝１２であり、第１のパイロット系列の系列長Ｎは、１３２０に等しく、ｂ＝０，１，．．．，１３１９である。ｍの値は、０、１、．．．、または
【０２３０】
【数６５】
2020516113.tif 000067
【０２３１】
であり、すなわち、ｍの値は、［０，１０９］の範囲の値を順番に取る。系列長は、
【０２３２】
【数６６】
2020516113.tif 000068
【０２３３】
であるので、ｎの値は、０、１、．．．、またはａ−１であり、すなわち、ｎの値は、［０，１１］の範囲の値を順番に取る。すなわち、ｍの値が、選択されるたびに、ｎは、［０，１１］の範囲の値を順番に取る。
【０２３４】
例えば、ｍ＝０であるとき、ｎ＝０、１、．．．、または１１である。
【０２３５】
【数６７】
2020516113.tif 000069
【０２３６】
類推によって、ｍ＝０であるとき、１２個の系列要素が、獲得され得る。簡潔にするために、本明細書においては、系列要素は、１つ１つ列挙されない。その後、ｍ＝１、２、．．．、または１０９であるとき、ｎの値は、［０，１１］の範囲の値を順番に取り、１２個の系列要素が、獲得され得る。第１のパラメータａが、異なる値を有するとき、ネットワークデバイスは、やはり上述の方法に従って、対応する系列要素を生成し得る。簡潔にするために、本明細書においては、例は、１つ１つ説明されない。
【０２３７】
言い換えると、ｍの各値は、リソースユニットに対応し、ｍの値が、与えられたとき、ｎの各値は、ＲＢにおける系列要素に対応する。方法２における式（３）と、方法１における式（２）との間の相違は、各系列要素がマッピングされるＲＥが、より多くの次元で制限される点にある。
【０２３８】
方法１と方法２における第１のパイロット系列を生成するための式は、異なるが、実際には、第１のパラメータが、与えられたとき、方法１と方法２に従って生成されるパイロット系列の系列要素は、同じであり、パイロット系列の系列長も、同じであることが留意されるべきである。パイロット系列は、方法１および方法２の異なる計算方法を使用することによって、獲得される。加えて、本発明のこの実施形態は、獲得されたパイロット系列長が、先行技術におけるパイロット系列長よりも大きくなるように、第１のパイロット系列が、別の可能な式を使用することによって、生成され得る可能性を排除しない。
【０２３９】
Ｓ３２０。ネットワークデバイスは、第１のＣＳＩ−ＲＳを搬送するために使用される複数のＲＥを決定し、第１のＣＳＩ−ＲＳの値は、第１のパイロット系列から選択される。
【０２４０】
ネットワークデバイスは、チャネル測定のために、複数のアンテナポートを使用することによって、ＣＳＩ−ＲＳを１つまたは複数の端末デバイスに送信し得ることが留意されるべきである。複数のＣＳＩ−ＲＳを送信するとき、ネットワークデバイスは、生成された第１のパイロット系列におけるＣＳＩ−ＲＳの値を決定し、値を時間−周波数リソース上にマッピングし、アンテナポートを区別するために、多重符号を使用することによって、値をロードし、最後に、時間−周波数リソースを使用することによって、複数のＣＳＩ−ＲＳを一緒に送信し得る。本発明のこの実施形態においては、区別および説明を容易にするために、ネットワークデバイスによってＣＳＩ−ＲＳを送信する具体的な処理は、例として、第１のアンテナポートを使用することによって、ネットワークデバイスによって送信される、（例えば、第１のＣＳＩ−ＲＳと呼ばれる）ＣＳＩ−ＲＳを使用することによって、詳細に説明される。しかしながら、これは、本発明のこの実施形態に対するいかなる限定としても構成されるべきではなく、それは、第１のＣＳＩ−ＲＳが配置される複数のＲＥが、第１のＣＳＩ−ＲＳだけを送信するために使用されることを意味せず、第１のＣＳＩ−ＲＳを搬送するために使用される複数のＲＥは、別のアンテナポートのＣＳＩ−ＲＳ、例えば、第２のアンテナポートの（例えば、第２のＣＳＩ−ＲＳと呼ばれる）ＣＳＩ−ＲＳも搬送することができる。同じＲＥ上において搬送される第１のＣＳＩ−ＲＳおよび第２のＣＳＩ−ＲＳの値は、第１のパイロット系列内の同じ系列要素から選択され、すなわち、同じＲＥ上において搬送される第１のＣＳＩ−ＲＳおよび第２のＣＳＩ−ＲＳの値は、同じであり得ることが理解され得る。同じ値を有する第１のＣＳＩ−ＲＳと第２のＣＳＩ−ＲＳは、符号分割を通して、同じ時間−周波数リソース上に多重化され得る。さらに、第１のＣＳＩ−ＲＳと第２のＣＳＩ−ＲＳは、同じ端末デバイスに送信されるＣＳＩ−ＲＳであってよく、または異なる端末デバイスに送信されるＣＳＩ−ＲＳであってよい。これは、本発明のこの実施形態に特に限定されない。
【０２４１】
本明細書においては、一般性を失うことなく、本発明のこの実施形態は、例として、ネットワークデバイスによって第１のＣＳＩ−ＲＳを送信する処理を使用することによって、詳細に説明される。異なるアンテナポートを使用することによって、ネットワークデバイスによって、ＣＳＩ−ＲＳを送信する具体的な処理は、ネットワークデバイスによって、第１のＣＳＩ−ＲＳを送信する具体的な処理と同じであることが理解され得る。
【０２４２】
Ｓ３１０において、第１のパイロット系列を生成した後、ネットワークデバイスは、ＣＳＩ−ＲＳの第１のパラメータに基づいて、現在使用されるパイロットパターンを決定し、パイロットパターンにおける系列要素とＲＥとの間のマッピング関係に基づいて、第１のＣＳＩ−ＲＳを搬送するために使用される複数のＲＥを決定し、第１のパイロット系列内のいくつかまたはすべての系列要素（すなわち、第１のＣＳＩ−ＲＳの複数の値）を、複数のＲＥ上にマッピングし得る。
【０２４３】
ネットワークデバイスによって第１のパイロット系列を生成するための方法は、本発明のこの実施形態において上で説明されたＳ３１０の方法であってよく、または先行技術におけるパイロット系列生成方法を参照してよく、Ｓ３１０は、任意選択のステップとして使用されることが留意されるべきである。言い換えると、第１のパイロット系列を生成するための可能な実装は、本発明のこの実施形態に対するいかなる限定としても構成されるべきではなく、本発明のこの実施形態は、それに限定されるべきでもない。
【０２４４】
本発明のこの実施形態においては、第１のパイロット系列が、ステップＳ３１０を通して、獲得される場合、系列要素とＲＥとの間のマッピング関係は、Ｓ３１０におけるｂとＲＥとの間のマッピング関係、またはｍとｎとＲＥとの間のマッピング関係を使用することによって、反映され得る。例えば、第ｂの系列要素は、リソースユニット内のＲＥにマッピングされ、または第ｍのリソースユニット内の第ｎの系列要素は、第ｍのリソースユニット内のＲＥにマッピングされる。
【０２４５】
パイロットパターン、および系列要素とＲＥとの間のマッピング関係は、事前構成され得、またはマッピング関係は、先行技術におけるパイロット要素とＲＥとの間のマッピングルールを参照することによって、決定され得ることが留意されるべきである。本発明のこの実施形態においては、パイロットパターン、および系列要素とＲＥとの間のマッピング関係は、特に限定されない。
【０２４６】
本発明のこの実施形態においては、第１のＣＳＩ−ＲＳを搬送するために使用される複数のＲＥは、複数のリソースユニット上に分散され得る。各リソースユニットにおいて、第１のＣＳＩ−ＲＳを搬送するために使用される複数のＲＥは、同じシンボル内の複数のサブキャリア上に配置される。さらに、同じリソースユニット内の複数のＲＥにおいて、少なくとも２つのＲＥ上において搬送される第１のＣＳＩ−ＲＳの値は、異なり、第１のＣＳＩ−ＲＳの値は、第１の多重符号（区別を容易にするために、第１のアンテナポートに対応する多重符号は、第１の多重符号と呼ばれる）を使用することによって、リソースユニットにおける複数のＲＥにロードされ得る。
【０２４７】
言い換えると、各リソースユニットについて、ネットワークデバイスは、少なくとも２つの異なる系列要素を、Ｓ３１０において生成された第１のパイロット系列から選択し、系列要素をＲＥ上にマッピングし得る。したがって、各リソースユニット内の各シンボル内の第１のＣＳＩ−ＲＳの系列長は、２以上である。
【０２４８】
同じシンボル内にあり、各リソースユニットにおいて第１のＣＳＩ−ＲＳを搬送するために使用される複数のＲＥが配置される、複数のサブキャリアの量は、リソースユニット内の、第１のＣＳＩ−ＲＳによって占有されるＲＥの量である。任意選択で、同じシンボル内にあり、各リソースユニットにおいて第１のＣＳＩ−ＲＳを搬送するために使用される複数のＲＥが配置される、複数のサブキャリアの量は、｛２，４，８，１２｝内のいずれかの値であり得る。すなわち、各リソースユニットにおいて、第１のＣＳＩ−ＲＳによって占有されるＲＥの量は、２、４、８、または１２であり得る。しかしながら、これは、各リソースユニットにおける第１のＣＳＩ−ＲＳの系列長が、２、４、８、または１２であることを意味しないことが留意されるべきである。第１のＣＳＩ−ＲＳの系列長は、リソースユニットにおける異なる系列要素の量に基づいて、定義される必要がある。各リソースユニットにおける複数のＲＥは、周波数領域において連続であってよく、または不連続であってよいことが理解されるべきである。これは、本発明のこの実施形態に特に限定されない。
【０２４９】
任意選択で、各リソースユニット内の複数のＲＥ上において搬送される第１のＣＳＩ−ＲＳの値は、互いに異なる。
【０２５０】
すなわち、各リソースユニット内の複数のＲＥのうちの任意の２つの上において搬送される第１のＣＳＩ−ＲＳの値は、異なる。
【０２５１】
言い換えると、各リソースユニット内の複数のＲＥ上において搬送される第１のＣＳＩ−ＲＳの値が、互いに異なり、第１のＣＳＩ−ＲＳが、リソースユニット内のｓ個（ｓ≧２、ｓは自然数）のＲＥを占有する場合、リソースユニットにおける第１のＣＳＩ−ＲＳの系列長は、ｓである。
【０２５２】
例えば、第１のＣＳＩ−ＲＳが、各ＲＢ（すなわち、リソースユニットの例）において１２個のＲＥを占有し、１２個のＲＥ上において搬送される第１のＣＳＩ−ＲＳの値が、互いに異なる場合、第１のＣＳＩ−ＲＳは、シンボル内の１２個のサブキャリアを完全に占有する。上で説明された式（２）に対応して、ネットワークデバイスは、ｂのための１２個の異なる値を選択し（ｂの具体的な値は、系列要素とＲＥとの間の事前定義されたマッピング関係に基づいて、決定され得る）、１２個の異なる系列要素を獲得する。あるいは、上で説明された式（３）に対応して、ネットワークデバイスは、現在のＲＢの番号に基づいて、ｍの値を決定し、ｎの値が［０，１１］の範囲の値を順番に取るようにし、１２個の異なる系列要素を獲得し得る。ネットワークデバイスは、事前定義されたマッピング関係に基づいて、１２個の系列要素を１つずつ、同じシンボル内の１２個のサブキャリア上にマッピングする。このケースにおいては、第１のＣＳＩ−ＲＳと、別のＣＳＩ−ＲＳ（例えば、第２のＣＳＩ−ＲＳ）は、２の長さを有するＯＣＣ符号の６つのセットを使用することによって、符号分割多重を実装し得る。
【０２５３】
別の例として、第１のＣＳＩ−ＲＳが、各ＲＢにおいて２つのＲＥを占有する場合、２つのＲＥ上において搬送される第１のＣＳＩ−ＲＳの値は、明確に異なり、その場合、第１のＣＳＩ−ＲＳは、シンボル内の２つのサブキャリアを占有する。第１のＣＳＩ−ＲＳは、各ＲＢにおいて２つのＲＥを占有することが留意されるべきである。これは、第１のパイロット系列の第１のパラメータａの値が、２であることを意味せず、第１のパラメータａは、２であってよく、または２よりも大きい自然数であってよい。
【０２５４】
本発明のこの実施形態の理解を容易にするために、以下では、添付の図面を参照して、異なるアンテナポート量とパイロットパターンとの間の対応について説明する。
【０２５５】
アンテナポート量が２であると仮定すると、ネットワークデバイスは、各アンテナポートに対応するＣＳＩ−ＲＳが、各ＲＢ（すなわち、リソースユニットの例）において２つのＲＥを占有し得ると決定する。
【０２５６】
図４および図５は、本発明の実施形態に従った、パイロットパターンの概略図である。具体的には、図４および図５は、アンテナポート量が２であるときの、ＣＳＩ−ＲＳの可能なパイロットパターンを示している。図４に示されるように、第１のＣＳＩ−ＲＳを搬送するために使用される２つのＲＥは、同じシンボル内に分散され得る。例えば、図に示される、第１のＣＳＩ−ＲＳを搬送するために使用される２つのＲＥは、シンボル＃５に配置され、２つのＲＥは、サブキャリア＃１０とサブキャリア＃１１上に配置される。図５に示されるように、第１のＣＳＩ−ＲＳを搬送するために使用される２つのＲＥは、同じシンボル、例えば、図に示されるシンボル＃５内に分散され得、２つのＲＥは、サブキャリア＃８とサブキャリア＃９上に配置される。類推によって、第１のＣＳＩ−ＲＳを搬送するために使用される２つのＲＥは、同じシンボル内に配置される任意の２つのサブキャリア、例えば、図に示されていない、サブキャリア＃６とサブキャリア＃７、およびサブキャリア＃４とサブキャリア＃５上に配置され得る。さらに、２つのアンテナポートにおけるＣＳＩ−ＲＳは、多重符号を使用することによって、区別され得、すなわち、周波数領域ＣＤＭが、実装される。
【０２５７】
第１のパイロット系列に関しては、２つのＲＥ上において搬送される第１のＣＳＩ−ＲＳの値は、式（２）におけるｂの異なる値に対応し、または式（３）におけるｍおよびｎの異なる値に対応する。
【０２５８】
ａ＝２である場合、上で説明された式（２）に対応して、ネットワークデバイスは、ｂのための２つの異なる値を選択し（ｂの具体的な値は、系列要素とＲＥとの間の事前定義されたマッピング関係に基づいて、決定され得る）、２つの異なる系列要素を獲得する。あるいは、上で説明された式（３）に対応して、ネットワークデバイスは、現在のＲＢの番号に基づいて、ｍの値を決定し、ｎのために値０および１を選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２５９】
ａ＝１２である場合、上で説明された式（２）に対応して、ネットワークデバイスは、ｂのための２つの異なる値を選択する（ｂの具体的な値は、系列要素とＲＥとの間の事前定義されたマッピング関係に基づいて、決定され得る）。例えば、ネットワークデバイスは、占有されたＲＥのサブキャリアの番号に基づいて、値を選択し、２つの異なる系列要素を獲得し得る。あるいは、上で説明された式（３）に対応して、ネットワークデバイスは、現在のＲＢの番号に基づいて、ｍの値を決定し、ｎのための２つの値を［０，１１］から選択し得る。例えば、ネットワークデバイスは、占有されたＲＥのサブキャリアの番号に基づいて、値を選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２６０】
ａ＝４または８である場合、上で説明された式（２）に対応して、ネットワークデバイスは、ｂのための２つの異なる値を選択し（ｂの具体的な値は、系列要素とＲＥとの間の事前定義されたマッピング関係に基づいて、決定され得る）、２つの異なる系列要素を獲得する。あるいは、上で説明された式（３）に対応して、ネットワークデバイスは、現在のＲＢの番号に基づいて、ｍの値を決定し、２つの値を選択し、例えば、ｎのための任意の２つの値を［０，３］または［０，７］から選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２６１】
アンテナポート量が４であると仮定すると、ネットワークデバイスは、ＣＤＭ２が使用されるときは、各アンテナポートに対応するＣＳＩ−ＲＳは、各ＲＢ（すなわち、リソースユニットの例）内の２つのＲＥを占有し得、ＣＤＭ４が使用されるときは、４つのＲＥを占有し得ると決定する。
【０２６２】
図６および図７は、本発明の実施形態に従った、パイロットパターンの他の概略図である。具体的には、図６および図７は、アンテナポート量が４であるときの、ＣＳＩ−ＲＳの可能なパイロットパターンを示している。図６に示されるように、第１のＣＳＩ−ＲＳを搬送するために使用される４つのＲＥは、同じシンボル内に分散され得る。例えば、図に示される、第１のＣＳＩ−ＲＳを搬送するために使用される４つのＲＥは、シンボル＃５に配置され、２つのＲＥは、サブキャリア＃８からサブキャリア＃１１上に配置される。図７に示されるように、第１のＣＳＩ−ＲＳを搬送するために使用される４つのＲＥは、同じシンボル内に分散され得、例えば、シンボル＃５が、図には示されており、４つのＲＥは、サブキャリア＃４からサブキャリア＃７上に配置される。類推によって、第１のＣＳＩ−ＲＳを搬送するために使用される４つのＲＥは、同じシンボル内のサブキャリア＃０からサブキャリア＃３上に配置され得、それは、図に示されていない。さらに、４つのアンテナポートにおけるＣＳＩ−ＲＳは、多重符号を使用することによって、区別され得、すなわち、周波数領域ＣＤＭが、実装される。
【０２６３】
各リソースユニットにおいて第１のＣＳＩ−ＲＳを搬送するために使用されるＲＥの量が、２よりも大きいとき、複数のＲＥのうちの少なくとも２つは、第１のＣＳＩ−ＲＳの異なる値を搬送する。したがって、値が、第１のＣＳＩ−ＲＳのための第１のパイロット系列から選択されるとき、（式（２）に対応する）ｂの２つの異なる値、または（式（３）に対応する）（ｍ，ｎ）の異なる値の２つのセットが、選択され得る。式（３）に対応する（ｍ，ｎ）の異なる値の２つのセットにおいては、決定されたリソースユニットに対して、ｍの値が、与えられ、ｎのための２つの異なる値が、選択される。第１のＣＳＩ−ＲＳを生成するために、２つの異なる値を第１のパイロット系列から選択する具体的な処理は、アンテナポート量が２である例を参照して、上で詳細に説明された。簡潔にするために、詳細が、本明細書で再び説明されることはない。
【０２６４】
上で列挙されたアンテナポート量とパイロットパターンとの間の対応、および添付の図面に示されたパイロットパターンの概略図は、理解を容易にするための例として説明されたにすぎず、本発明のこの実施形態に対するいかなる限定としても構成されるべきではないことが理解されるべきである。アンテナポート量が増加させられたとき、例えば、アンテナポート量が８であるとき、周波数分割多重を実装するために、２倍のＣＤＭ４リソース、または４倍のＣＤＭ２リソースが、使用されると考えられてもまたよい。パイロットパターンがどのように構成されるかにかかわらず、１つのリソースユニット内の１つのシンボル内の、第１のＣＳＩ−ＲＳによって占有される複数のＲＥのうちの少なくとも２つが、ＣＳＩ−ＲＳの異なる値を搬送するならば、構成は、本発明のこの実施形態の保護範囲内に包含されるものとする。
【０２６５】
上で説明されたように、ネットワークデバイスは、複数のアンテナポートを使用することによって、複数のＣＳＩ−ＲＳを送信し得、複数のＣＳＩ−ＲＳは、周波数分割ＣＤＭを通して、時間−周波数リソース上に多重化され得る。
【０２６６】
任意選択で、各リソースユニットにおいて、第１のＣＳＩ−ＲＳを搬送するために使用される複数のＲＥは、第２のＣＳＩ−ＲＳを搬送し、第２のＣＳＩ−ＲＳを搬送するために使用される複数のＲＥのうちの少なくとも２つは、第２のＣＳＩ−ＲＳの異なる値を搬送し、第２のＣＳＩ−ＲＳの値は、第２の多重符号（区別および説明を容易にするために、第２のアンテナポートに対応する多重符号は、第２の多重符号と呼ばれる）を使用することによって、複数のＲＥにロードされる。
【０２６７】
実際に、第１のＣＳＩ−ＲＳと第２のＣＳＩ−ＲＳが、同じリソースユニット内の同じＲＥを占有するとき、第ｉのＲＥ（ｊ＞ｉ≧０であり、ｉは整数であり、ｊはリソースユニットにおけるサブキャリアの量を示す）上における第１のＣＳＩ−ＲＳの値と、第ｉのＲＥ上における第２のＣＳＩ−ＲＳの値は、同じである。このケースにおいては、値は、異なる多重符号を使用することによって、区別され得る。
【０２６８】
任意選択で、多重符号は、ＣＤＭ符号、例えば、ＯＣＣ符号であり得る。
【０２６９】
ネットワークデバイスは、ＣＤＭを通して、異なるアンテナポートにおけるＣＳＩ−ＲＳを区別し得る。すなわち、同じ時間−周波数リソース（例えば、ＲＥ）上において構成される系列要素は、ＣＤＭ符号を使用することによって、区別される。同じＲＥ上において構成されるＣＳＩ−ＲＳの値は、同じであり得るが、異なるアンテナポートに対応するＣＤＭ符号は、異なり得る。
【０２７０】
例として、２つのアンテナポートを使用すると、ＯＣＣ符号は、２ビットであり得る。ネットワークデバイスは、異なるＯＣＣ符号を使用することによって、２つのアンテナポートを区別し得る。例えば、アンテナポート（ｐｏｒｔ）＃１５に対応して、使用されるＯＣＣ符号は、［１，１］であり得、アンテナポート（ｐｏｒｔ）＃１６に対応して、使用されるＯＣＣ符号は、［１，−１］であり得る。したがって、ポート＃１５およびポート＃１６においてＣＳＩ−ＲＳによって占有されるＲＥは、同じであり、ＣＳＩ−ＲＳの値は、同じであるが、ＯＣＣ符号は、異なり、２つのＣＳＩ−ＲＳは、互いの間の干渉を回避するために、直交符号をロードすることによって、互いに直交し得る。
【０２７１】
Ｓ３３０。ネットワークデバイスは、複数のＲＥを使用することによって、第１のＣＳＩ−ＲＳを端末デバイスに送信する。
【０２７２】
実際には、ネットワークデバイスが、複数のＲＥを使用することによって、第１のＣＳＩ−ＲＳを端末デバイスに送信するとき、リソースユニットは、送信のための最大ユニットとして使用され、同じリソースユニットにおいて、第１のＣＳＩ−ＲＳとは異なる他のデータが、さらに搬送され得る。したがって、Ｓ３４０において、端末デバイスは、ネットワークデバイスによって送信された信号を受信し、信号は、第１のＣＳＩ−ＲＳを含む。
【０２７３】
加えて、２つのネットワークデバイスが、同じ時間−周波数リソースと、同じ多重符号とを使用することによって、ＣＳＩ−ＲＳを送信するとき、各リソースユニットにおけるＣＳＩ−ＲＳの系列長は、１から少なくとも２まで増加させられるので、系列間の相関は、低減され、２つのＣＳＩ−ＲＳ間の干渉は、低減される。
【０２７４】
Ｓ３４０。端末デバイスは、複数のリソースユニット上において、ネットワークデバイスによって送信された信号を受信し、信号は、第１のＣＳＩ−ＲＳを含む。
【０２７５】
端末デバイスは、Ｓ３１０およびＳ３２０において説明された方法を参照して、ネットワークデバイスからの第１のＣＳＩ−ＲＳを搬送するために使用される複数のＲＥを決定し得る。
【０２７６】
任意選択で、方法３００は、
ネットワークデバイスによって送信された構成パラメータを、端末デバイスによって、受信するステップであって、構成パラメータは、第１のＣＳＩ−ＲＳを搬送する複数のＲＥを決定するために、使用される、ステップ
をさらに含む。
【０２７７】
具体的には、第１のＣＳＩ−ＲＳを端末デバイスに送信するとき、ネットワークデバイスは、構成パラメータ（ｃｏｎｆｉｇｕｒａｔｉｏｎ  ｐａｒａｍｅｔｅｒｓ）を端末デバイスに送信し得、第１のパラメータは、例えば、アンテナポート量、ＣＳＩ−ＲＳ送信周期、システムフレーム番号、ＣＳＩ−ＲＳを搬送するシンボルの番号、第１のＣＳＩ−ＲＳを搬送するリソースユニット（例えば、ＲＢ）の番号、ＣＤＭ値、およびパイロット密度を含み得る。端末デバイスは、第１のパラメータに基づいて、第１のＣＳＩ−ＲＳを搬送するために使用される複数のＲＥを決定し得る。
【０２７８】
Ｓ３５０。端末デバイスは、第１のＣＳＩ−ＲＳを搬送するために使用される複数のリソース要素ＲＥを決定し、複数のＲＥから第１のＣＳＩ−ＲＳを獲得する。
【０２７９】
端末デバイスが、Ｓ３４０において受信された信号から、第１のＣＳＩ−ＲＳを獲得することができるように、端末デバイスは、Ｓ３５０において、第１のＣＳＩ−ＲＳを搬送する複数のＲＥを決定する。
【０２８０】
ネットワークデバイスによって送信される第１のＣＳＩ−ＲＳは、ｘであり得、ネットワークデバイスは、複数のＲＥを使用することによって、チャネルを通して、第１のＣＳＩ−ＲＳを端末デバイスに送信することが当業者によって理解され得る。したがって、端末デバイスによって受信される信号は、ｙであり得る。ネットワークデバイスによって送信された第１のＣＳＩ−ＲＳのベクトルｘと、端末デバイスによって受信された第１のＣＳＩ−ＲＳのベクトルｙとの間の関係は、以下のように表され得る。
【０２８１】
ｙ＝Ｈｘ＋ｎ
【０２８２】
Ｈは、チャネル行列を表し、ｎは、受信機雑音を表す。受信機雑音ｎは、信号受信に対する影響を引き起こすことが容易に理解され得る。本発明のこの実施形態においては、説明を容易にするために、受信機雑音は、ゼロであり、信号は、正しく送信されることが仮定される。実際には、先行技術において、雑音を除去するために使用されることができる、複数のソリューションが存在する。簡潔にするために、以下では、同じまたは類似のケースについての説明は、省かれる。
【０２８３】
任意選択で、方法３００は、
第３のＣＳＩ−ＲＳを、端末デバイスによって、生成するステップ
をさらに含む。
【０２８４】
本発明のこの実施形態においては、区別および説明を容易にするために、端末デバイスによって生成されるＣＳＩ−ＲＳは、第３のＣＳＩ−ＲＳと呼ばれる。
【０２８５】
端末デバイスは、最初に、第１のパラメータに基づいて、第２のパイロット系列を生成し、次に、第３のＣＳＩ−ＲＳを獲得するために、パイロットパターンにおける系列要素とＲＥとの間の上で説明されたマッピング関係、およびＳ３４０において決定された第１のＣＳＩ−ＲＳのための複数のＲＥに基づいて、第３のＣＳＩ−ＲＳの値を決定し得ることが理解されるべきである。端末デバイスによって第３のＣＳＩ−ＲＳを生成する具体的な処理は、Ｓ３１０およびＳ３２０における、第１のパラメータに基づいてネットワークデバイスによって第１のパイロット系列を生成し、第１のＣＳＩ−ＲＳを搬送するために使用される複数のＲＥを決定する具体的な処理に類似していることが理解されるべきである。簡潔にするために、詳細が、本明細書で再び説明されることはない。
【０２８６】
さらに、ネットワークデバイスと端末デバイスによって使用される第１のパラメータは、同じであるので、パイロット系列を生成するために使用される式は、同じであり、系列要素とＲＥとの間のマッピング関係は、同じであり、端末デバイスによって生成される第３のＣＳＩ−ＲＳは、ネットワークデバイスによって生成される第１のＣＳＩ−ＲＳと同じであり、すなわち、第３のＣＳＩ−ＲＳは、ベクトルｘとして表され得る。
【０２８７】
任意選択で、方法３００は、
受信された第１のＣＳＩ−ＲＳと、生成された第３のＣＳＩ−ＲＳとに基づいて、端末デバイスによって、チャネル行列を推定するステップ
をさらに含む。
【０２８８】
Ｓ３５０の説明から、端末デバイスによって受信される第１のＣＳＩ−ＲＳは、ｙであり得、第１のパラメータに基づいて、端末デバイスによって生成される第３のＣＳＩ−ＲＳは、ｘであり得ることが知られることができる。したがって、Ｈの推定される値は、ｙ＝Ｈｘ＋ｎに従って、解かれ得る。
【０２８９】
端末デバイスは、データ送信のためのプリコーディング行列を決定するために、上述のステップを使用することによって、チャネル行列を推定することができる。
【０２９０】
したがって、本発明のこの実施形態においては、アンテナポートにおける、ＣＳＩ−ＲＳを搬送するために使用される複数のＲＥにおいて、各リソースユニット内の少なくとも２つのＲＥが、異なるＣＳＩ−ＲＳ値を有し、すなわち、各リソースユニット内の各シンボル内の各アンテナポートにおけるＣＳＩ−ＲＳの系列長が、増加させられ、パイロット系列間の相関が、低減させられ、ＣＳＩ−ＲＳ間の干渉が、低減させられ、それによって、より正確なチャネル推定を容易にする。
【０２９１】
本発明の実施形態に従った、基準信号送信方法および基準信号受信方法の詳細は、上述の実施形態においては、例として、ＰＮ系列を使用することによって説明されたことが理解されるべきである。しかしながら、これは、本発明の実施形態に対するいかなる限定としても構成されるべきではない。本出願は、将来のプロトコルにおいて、別の系列、例えば、ＺＣ系列を使用することによって、パイロット系列を生成する可能性も排除しない。本発明の実施形態に従った、基準信号送信方法および基準信号受信方法は、系列長を増加させ、パイロット系列間の相関を低減させるために、他の系列にも適用可能である。簡潔にするために、例として、他の系列が、本明細書において１つずつ説明されることはない。
【０２９２】
処理のシーケンス番号は、上述の実施形態における実行順序を意味しないことが理解されるべきである。処理の実行順序は、処理の機能および内部ロジックに従って、決定されるべきであり、本出願の実施形態の実装処理に対するいかなる限定としても構成されるべきではない。
【０２９３】
上では、図３から図７を参照して、本発明の実施形態における基準信号送信方法および基準信号受信方法について詳細に説明した。以下では、図８から図１１を参照して、本発明の実施形態におけるネットワークデバイスおよび端末デバイスについて詳細に説明する。
【０２９４】
図８は、本発明の実施形態に従った、ネットワークデバイス１０の概略ブロック図である。図８に示されるように、ネットワークデバイス１０は、決定モジュール１１と、送受信機モジュール１２とを含む。
【０２９５】
決定モジュール１１は、第１のＣＳＩ−ＲＳを搬送するために使用される複数のリソース要素ＲＥを決定するように構成され、複数のＲＥは、複数のリソースユニットに分散される。各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる。
【０２９６】
送受信機１２は、複数のＲＥを使用することによって、第１のＣＳＩ−ＲＳを端末デバイスに送信するように構成される。
【０２９７】
任意選択で、各リソースユニットにおいて、同じシンボル内の複数のサブキャリアの量は、｛２，４，８，１２｝のうちの少なくとも１つである。
【０２９８】
任意選択で、各リソースユニット内の複数のＲＥ上において搬送される第１のＣＳＩ−ＲＳの値は、互いに異なる。
【０２９９】
任意選択で、複数のＲＥは、第２のＣＳＩ−ＲＳを搬送し、少なくとも２つのＲＥ上において搬送される第２のＣＳＩ−ＲＳの値は、異なり、第２のＣＳＩ−ＲＳの値は、第２の多重符号を使用することによって、複数のＲＥにロードされる。
【０３００】
任意選択で、第１のＣＳＩ−ＲＳの値は、以下の式を使用することによって、計算される。
【０３０１】
【数６８】
2020516113.tif 000070
【０３０２】
【数６９】
2020516113.tif 000071
【０３０３】
であり、ａは、第１のパラメータであり、
【０３０４】
【数７０】
2020516113.tif 000072
【０３０５】
は、ダウンリンクチャネル上に含まれるリソースユニットの最大量を表し、
【０３０６】
【数７１】
2020516113.tif 000073
【０３０７】
は、第ｎsのスロット内の第ｌのシンボル内の第ｂのＣＳＩ−ＲＳの値を表す。
【０３０８】
任意選択で、第１のＣＳＩ−ＲＳの値は、以下の式を使用することによって、計算される。
【０３０９】
【数７２】
2020516113.tif 000074
【０３１０】
ａは、第１のパラメータであり、
【０３１１】
【数７３】
2020516113.tif 000075
【０３１２】
は、ダウンリンクチャネル上に含まれるリソースユニットの最大量を表し、
【０３１３】
【数７４】
2020516113.tif 000076
【０３１４】
は、第ｎsのスロット内の第ｌのシンボル内の第ｍのリソースユニット内の第ｎのＣＳＩ−ＲＳの値を表す。
【０３１５】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【０３１６】
任意選択で、第１のパラメータａの値は、｛２，４，８，１２｝のうちの少なくとも１つを含む。
【０３１７】
任意選択で、第１のパラメータａは、事前構成される。
【０３１８】
任意選択で、第１のパラメータａは、ネットワークデバイスによって決定された後、端末デバイスに送信される。
【０３１９】
ネットワークデバイス１０は、本発明の実施形態に従った、基準信号送信方法３００または基準信号受信方法３００における、ネットワークデバイスに対応し得、ネットワークデバイス１０は、図３における、基準信号送信方法３００または基準信号受信方法３００における、ネットワークデバイスによって実行される方法を実行するように構成された、モジュールを含み得ることが理解されるべきである。さらに、ネットワークデバイス１０における様々なモジュール、ならびに上で説明された他の動作および／または機能は、図３における基準信号送信方法３００または基準信号受信方法３００の対応する手順を実装することを目的としたものである。具体的には、決定モジュール１１は、方法３００におけるＳ３１０およびＳ３２０を実行するように構成され、送受信機モジュール１２は、方法３００におけるＳ３３０を実行するように構成される。様々なモジュールによって上述の対応するステップを実行する具体的な処理は、方法３００において、詳細に説明されており、簡潔にするために、詳細が、本明細書で再び説明されることはない。
【０３２０】
図９は、本発明の実施形態に従った、端末デバイス２０の概略ブロック図である。図９に示されるように、端末デバイス２０は、送受信機モジュール２１と、決定モジュール２２と、獲得モジュール２３とを含む。
【０３２１】
送受信機モジュール２１は、複数のリソースユニット上において、ネットワークデバイスによって送信された信号を受信するように構成され、信号は、第１のＣＳＩ−ＲＳを含む。
【０３２２】
決定モジュール２２は、第１のＣＳＩ−ＲＳを搬送するために使用される複数のリソース要素ＲＥを決定するように構成され、複数のＲＥは、複数のリソースユニットに分散され各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされる。
【０３２３】
獲得モジュール２３は、複数のＲＥ上において第１のＣＳＩ−ＲＳを獲得するように構成される。
【０３２４】
任意選択で、各リソースユニットにおいて、同じシンボルにおける複数のサブキャリアの量は、｛２，４，８，１２｝のうちの少なくとも１つである。
【０３２５】
任意選択で、複数のＲＥ上において搬送される第１のＣＳＩ−ＲＳの値は、互いに異なる。任意選択で、第１のＣＳＩ−ＲＳの値は、以下の式を使用することによって、計算される。
【０３２６】
【数７５】
2020516113.tif 000077
【０３２７】
【数７６】
2020516113.tif 000078
【０３２８】
であり、ａは、第１のパラメータであり、
【０３２９】
【数７７】
2020516113.tif 000079
【０３３０】
は、ダウンリンクチャネル上に含まれるリソースユニットの最大量を表し、
【０３３１】
【数７８】
2020516113.tif 000080
【０３３２】
は、第ｎsのスロット内の第ｌのシンボル内の第ｂのＣＳＩ−ＲＳの値を表す。
【０３３３】
任意選択で、第１のＣＳＩ−ＲＳの値は、以下の式を使用することによって、計算される。
【０３３４】
【数７９】
2020516113.tif 000081
【０３３５】
ａは、第１のパラメータであり、
【０３３６】
【数８０】
2020516113.tif 000082
【０３３７】
は、ダウンリンクチャネル上に含まれるリソースユニットの最大量を表し、
【０３３８】
【数８１】
2020516113.tif 000083
【０３３９】
は、第ｎsのスロット内の第ｌのシンボル内の第ｍのリソースユニット内の第ｎのＣＳＩ−ＲＳの値を表す。
【０３４０】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【０３４１】
任意選択で、第１のパラメータａは、ネットワークデバイスまたは端末デバイスによって事前決定される。
【０３４２】
任意選択で、第１のパラメータａは、ネットワークデバイスによって決定された後、端末デバイスに送信される。
【０３４３】
端末デバイス２０は、本発明の実施形態に従った、基準信号送信方法３００または基準信号受信方法３００における、端末デバイスに対応し得、端末デバイス２０は、図３における、基準信号送信方法３００または基準信号受信方法３００における、端末デバイスによって実行される方法を実行するように構成された、モジュールを含み得ることが理解されるべきである。さらに、端末デバイス２０における様々なモジュール、ならびに上で説明された他の動作および／または機能は、図３における基準信号送信方法３００または基準信号受信方法３００の対応する手順を実装することを目的としたものである。具体的には、送受信機モジュール２１は、方法３００におけるＳ３４０を実行するように構成され、決定モジュール２２および獲得モジュール２３は、方法３００におけるＳ３５０を実行するように構成される。様々なモジュールによって上述の対応するステップを実行する具体的な処理は、方法３００において、詳細に説明されており、簡潔にするために、詳細が、本明細書では再び説明されることはない。
【０３４４】
図１０は、本発明の実施形態に従った、ネットワークデバイス４００の別の概略ブロック図である。図１０に示されるように、ネットワークデバイス４００は、プロセッサ４１０と、送受信機４２０とを含み、任意選択で、ネットワークデバイス４００は、メモリ４３０をさらに含む。プロセッサ４１０、送受信機４２０、およびメモリ４３０は、制御および／またはデータ信号を送信するために、内部的に接続されたチャネルを使用することによって、互いに通信し、メモリ４３０は、コンピュータプログラムを記憶するように構成され、プロセッサ４１０は、メモリ４３０からコンピュータプログラムを起動し、コンピュータプログラムを実行して、信号を受信または送信するように送受信機４２０を制御するように、構成される。メモリ４３０内に記憶されたプログラム命令が、プロセッサ４１０によって実行されたとき、プロセッサ４１０は、第１のＣＳＩ−ＲＳを搬送するために使用される複数のリソース要素ＲＥを決定するように構成され、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされ、送受信機４２０は、複数のＲＥを使用することによって、第１のＣＳＩ−ＲＳを端末デバイスに送信するように構成される。
【０３４５】
プロセッサ４１０とメモリ４３０は、１つの処理装置に組み合わされてよく、プロセッサ４１０は、上述の機能を実装するために、メモリ４３０内に記憶されたプログラムコードを実行するように構成される。具体的な実装の際、メモリ４３０は、プロセッサ４１０に組み込まれてよく、またはプロセッサ４１０とは独立していてよい。
【０３４６】
ネットワークデバイスは、送受信機４２０によって出力されたダウンリンクデータまたはダウンリンク制御シグナリングを、無線信号を使用することによって、送信するように構成されたアンテナ４４０をさらに含み得る。具体的には、ネットワークデバイス４００は、本発明の実施形態に従った、基準信号送信方法３００または基準信号受信方法３００における、ネットワークデバイスに対応し得、ネットワークデバイス４００は、図３における、基準信号送信方法３００または基準信号受信方法３００における、ネットワークデバイスによって実行される方法を実行するように構成された、ユニットを含み得る。さらに、ネットワークデバイス３０における様々なユニット、ならびに上で説明された他の動作および／または機能は、図３における基準信号送信方法３００または基準信号受信方法３００の対応する手順を実装することを目的としたものである。具体的には、メモリ４３０は、プログラムコードを記憶するように構成され、プロセッサ４１０が、プログラムコードを実行したとき、プロセッサ４１０は、送受信機４２０を制御して、方法３００におけるＳ３１０およびＳ３２０を実行させ、アンテナ４４０を使用させることによって、方法３００におけるＳ３３０を実行させる。様々なモジュールによって上述の対応するステップを実行する具体的な処理は、方法３００において、詳細に説明されており、簡潔にするために、詳細が、本明細書で再び説明されることはない。
【０３４７】
図１１は、本発明の実施形態に従った、端末デバイス５００の別の概略ブロック図である。図１１に示されるように、端末デバイス５００は、プロセッサ５０１と、送受信機５０２とを含み、任意選択で、端末デバイス５００は、メモリ５０３をさらに含む。プロセッサ５０１、送受信機５０２、およびメモリ５０３は、制御および／またはデータ信号を送信するために、内部的に接続されたチャネルを使用することによって、互いに通信し、メモリ５０３は、コンピュータプログラムを記憶するように構成され、プロセッサ５０１は、メモリ５０３からコンピュータプログラムを起動し、コンピュータプログラムを実行して、信号を受信または送信するように送受信機５０２を制御するように、構成される。
【０３４８】
メモリ５０３内に記憶されたプログラム命令が、プロセッサ５０１によって実行されたとき、プロセッサ５０１は、ネットワークデバイスからの第１のＣＳＩ−ＲＳを搬送するために使用される複数のリソース要素ＲＥを決定するように構成され、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされ、送受信機５０２は、ネットワークデバイスによって送信された信号を受信するように構成され、信号は、第１のＣＳＩ−ＲＳを含み、プロセッサ５０１は、複数のＲＥ上において第１のＣＳＩ−ＲＳを獲得するようにさらに構成される。
【０３４９】
プロセッサ５０１とメモリ５０３は、１つの処理装置に組み合わされてよく、プロセッサ５０１は、上述の機能を実装するために、メモリ５０３内に記憶されたプログラムコードを実行するように構成される。具体的な実装の際、メモリ５０３は、プロセッサ５０１に組み込まれてよく、またはプロセッサ５０１とは独立していてよい。端末デバイス５００は、送受信機５０２によって出力されたアップリンクデータまたはアップリンク制御シグナリングを、無線信号を使用することによって、送信するように構成されたアンテナ５０４をさらに含み得る。
【０３５０】
具体的には、端末デバイス５００は、本発明の実施形態に従った、基準信号送信方法３００または基準信号受信方法３００における、端末デバイスに対応し得、端末デバイス５００は、図３における、基準信号送信方法３００または基準信号受信方法３００における、端末デバイスによって実行される方法を実行するように構成された、モジュールを含み得る。さらに、端末デバイス５００における様々なモジュール、ならびに上で説明された他の動作および／または機能は、図３における基準信号送信方法３００または基準信号受信方法３００の対応する手順を実装することを目的としたものである。具体的には、メモリ５０３は、プログラムコードを記憶するように構成され、プロセッサ５０１が、プログラムコードを実行したとき、プロセッサ５０１は、送受信機５０２を制御して、アンテナ５０４を使用させることによって、方法３００におけるＳ３４０を実行させ、方法３００におけるＳ３５０を実行させる。様々なモジュールによって上述の対応するステップを実行する具体的な処理は、方法３００において、詳細に説明されており、簡潔にするために、詳細が、本明細書で再び説明されることはない。
【０３５１】
プロセッサ５０１は、上述の方法実施形態において説明されたような、端末内において実装されるアクションを実行するように構成され得、送受信機５０２は、上述の方法実施形態において説明されたような、送信のアクションまたは端末からネットワークデバイスに送信することを実行するように構成され得る。詳細については、上述の方法実施形態の説明を参照されたく、詳細が、本明細書で再び説明されることはない。
【０３５２】
プロセッサ５０１とメモリ５０３は、１つの処理装置に組み込まれてよく、プロセッサ５０１は、上述の機能を実装するために、メモリ５０３内に記憶されたプログラムコードを実行するように構成される。具体的な実装の際、メモリ５０３は、あるいは、プロセッサ５０１に組み込まれてよい。
【０３５３】
上述の端末デバイス５００は、端末内の様々な構成要素または回路に電力を供給するように構成された電源５０５をさらに含み得る。
【０３５４】
加えて、端末デバイスの機能を完全に実行するために、端末デバイス５００は、入力ユニット５０６、表示ユニット５０７、音声回路５０８、カメラ５０９、およびセンサ５１０のうちの１つまたは複数をさらに含み得、音声回路は、スピーカ５０８２、およびマイクロフォン５０８４などをさらに含み得る。
【０３５５】
本発明のこの実施形態におけるプロセッサは、中央処理ユニット（ｃｅｎｔｒａｌ  ｐｒｏｃｅｓｓｉｎｇ  ｕｎｉｔ、ＣＰＵ）であってよく、またはさらに、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、もしくは別のプログラマブル論理デバイス、個別ゲートもしくはトランジスタ論理デバイス、または個別ハードウェア構成要素などであってよいことが理解されるべきである。
【０３５６】
本発明のこの実施形態におけるメモリは、揮発性メモリもしくは不揮発性メモリであってよく、または揮発性メモリおよび不揮発性メモリを含んでよいことがさらに理解されるべきである。不揮発性メモリは、リードオンリメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、またはフラッシュメモリであってよい。揮発性メモリは、外部キャッシュとして使用される、ランダムアクセスメモリ（ｒａｎｄｏｍ  ａｃｃｅｓｓ  ｍｅｍｏｒｙ、ＲＡＭ）であってよい。例示的な、しかし、限定的ではない説明を通して、ランダムアクセスメモリ（ｒａｎｄｏｍ  ａｃｃｅｓｓ  ｍｅｍｏｒｙ、ＲＡＭ）の多くの形態、例えば、スタティックランダムアクセスメモリ（ｓｔａｔｉｃ  ＲＡＭ、ＳＲＡＭ）、ダイナミックランダムアクセスメモリ（ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｌｉｎｋ  ＤＲＡＭ、ＳＬＤＲＡＭ）、およびダイレクトラムバスランダムアクセスメモリ（ｄｉｒｅｃｔ  ｒａｍｂｕｓ  ＲＡＭ、ＤＲ  ＲＡＭ）が、使用されてよい。
【０３５７】
上述の実施形態のすべてまたはいくつかは、ソフトウェア、ハードウェア、ファームウェア、またはそれらの任意の組み合わせを通して、実装され得る。実施形態を実装するために、ソフトウェアが使用されるとき、上述の実施形態は、コンピュータプログラム製品の形態で完全または部分的に実装され得る。コンピュータプログラム製品は、１つまたは複数のコンピュータ命令を含む。コンピュータプログラム命令が、コンピュータ上にロードされたとき、またはコンピュータ上において実行されたとき、本発明の実施形態に従った手順または機能が、すべてまたは部分的に生成される。コンピュータは、汎用コンピュータ、専用コンピュータ、コンピュータネットワーク、または他のプログラマブル装置であってよい。コンピュータ命令は、コンピュータ可読記憶媒体内に記憶され得、またはコンピュータ可読記憶媒体から別のコンピュータ可読記憶媒体に送信され得る。例えば、コンピュータ命令は、ウェブサイト、コンピュータ、サーバ、またはデータセンタから、別のウェブサイト、コンピュータ、サーバ、またはデータセンタに、有線（例えば、赤外線、無線、またはマイクロ波など）方式で送信され得る。コンピュータ可読記憶媒体は、コンピュータによってアクセス可能な任意の使用可能媒体、または１つまたは複数の使用可能媒体を統合した、サーバもしくはデータセンタなどの、データ記憶デバイスであってよい。使用可能媒体は、磁気媒体（例えば、フロッピディスク、ハードディスク、および磁気テープ）、光媒体（例えば、デジタル多用途ディスク（ｄｉｇｉｔａｌ  ｖｅｒｓａｔｉｌｅ  ｄｉｓｃ、ＤＶＤ））、または半導体媒体であってよい。半導体媒体は、ソリッドステートドライブであってよい。
【０３５８】
本明細書における「および／または」という語は、もっぱら関連付けられた対象を記述するための関連付け関係を記述し、３つの関係が存在し得ることを表す。例えば、Ａおよび／またはＢは、以下の３つのケース、すなわち、Ａだけが存在する、ＡとＢの両方が存在する、およびＢだけが存在するということを表し得る。加えて、本明細書における文字「／」は、一般に、関連付けられた対象間の「または」関係を示す。
【０３５９】
当業者は、本明細書において開示される実施形態において説明される例と組み合わせて、ユニットおよびアルゴリズムステップは、電子的ハードウェアによって、またはコンピュータソフトウェアと電子的ハードウェアの組み合わせによって実装され得ることを知っていてよい。機能が、ハードウェアによって実行されるか、それともソフトウェアによって実行されるかは、特定の用途、および技術的ソリューションの設計制約条件に依存する。当業者は、説明された機能を特定の各用途向けに実装するために、異なる方法を使用し得るが、その実装が本出願の範囲を超えると見なされるべきではない。
【０３６０】
便利で簡潔な説明の目的で、上述のシステム、装置、およびユニットの詳細な作業処理については、上述の方法実施形態における対応する処理を参照するものとし、詳細が、本明細書で再び説明されることはないことが当業者によって明らかに理解され得る。
【０３６１】
本出願において提供されるいくつかの実施形態においては、開示されるシステム、装置、および方法は、他の方式で実装されてよいことが理解されるべきである。例えば、説明される装置実施形態は、例であるにすぎない。例えば、ユニット分割は、論理機能分割であるにすぎず、実際の実装においては、他の分割であってよい。例えば、複数のユニットまたは構成要素は、別のシステムに組み合わされて、もしくは統合されてよく、またはいくつかの特徴は、無視されて、もしくは実行されなくてよい。加えて、表示または説明された相互結合もしくは直接結合または通信接続は、いくつかのインターフェースを使用することによって、実装されてよい。装置またはユニット間の間接結合または通信接続は、電子的、機械的、または他の形態で実装されてよい。
【０３６２】
別々の部分として説明されたユニットは、物理的に別々であってよく、または物理的に別々でなくてよく、ユニットとして表示された部分は、物理的ユニットであってよく、または物理的ユニットでなくてよく、１つの位置に配置されてよく、または複数のネットワークユニット上に分散されてよい。ユニットのいくつかまたはすべては、実施形態のソリューションの目的を達成するために、実際の要件に基づいて、選択され得る。
【０３６３】
加えて、本出願の実施形態における機能ユニットは、１つの処理ユニットに統合されてよく、またはユニットの各々は、物理的に単独で存在してよく、または２つ以上のユニットは、１つのユニットに統合される。
【０３６４】
機能が、ソフトウェア機能ユニットの形態で実装され、独立した製品として販売または使用されるとき、機能は、コンピュータ可読記憶媒体内に記憶され得る。そのような理解に基づいて、本出願の技術的ソリューションは、基本的に、または先行技術に貢献する部分、もしくは技術的なソリューションのいくつかは、ソフトウェア製品の形態で実装され得る。ソフトウェア製品は、記憶媒体内に記憶され、本出願の実施形態において説明された方法のステップのすべてまたはいくつかを実行するように、（パーソナルコンピュータ、サーバ、またはネットワークデバイスなどであり得る）コンピュータデバイスに命令するためのいくつかの命令を含む。上述の記憶媒体は、ＵＳＢフラッシュドライブ、リムーバブルハードディスク、リードオンリメモリ（ＲＯＭ）、ランダムアクセスメモリ（ＲＡＭ）、磁気ディスク、またはコンパクトディスクなどの、プログラムコードを記憶することができる任意の媒体を含む。
【０３６５】
上述の説明は、本出願の特定の実装であるにすぎず、本出願の保護範囲を限定することは意図されていない。本出願において開示された技術的範囲内の、当業者によって容易に考え付かれる、いずれの変形または置換も、本出願の保護範囲内に包含されるものとする。したがって、本出願の保護範囲は、特許請求の範囲の保護範囲に従うものとする。
【図１】
2020516113.tif 000084
【図２】
2020516113.tif 000085
【図３】
2020516113.tif 000086
【図４】
2020516113.tif 000087
【図５】
2020516113.tif 000088
【図６】
2020516113.tif 000089
【図７】
2020516113.tif 000090
【図８】
2020516113.tif 000091
【図９】
2020516113.tif 000092
【図１０】
2020516113.tif 000093
【図１１】
2020516113.tif 000094
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
第１のＣＳＩ−ＲＳを搬送するために使用される複数のリソース要素（ＲＥ）を、ネットワークデバイスによって、決定するステップであって、前記複数のＲＥは、複数のリソースユニットに分散され、
各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、ステップと、
前記複数のＲＥを使用することによって、前記第１のＣＳＩ−ＲＳを、前記ネットワークデバイスによって、端末デバイスに送信するステップと
を含む基準信号送信方法。
【請求項２】
各リソースユニット内の前記複数のＲＥ上において搬送される前記第１のＣＳＩ−ＲＳの前記値は、互いに異なる請求項１に記載の方法。
【請求項３】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項１または２に記載の方法。
【請求項４】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項１乃至３のいずれか一項に記載の方法。
【請求項５】
前記第１のパイロット系列は、前記第１のパラメータａによって決定される請求項１乃至４のいずれか一項に記載の方法。
【請求項６】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項１乃至４のいずれか一項に記載の方法。
【請求項７】
前記第１のパラメータａは、前記ネットワークデバイスによって決定された後、無線リソース制御（ＲＲＣ）シグナリングを使用することによって、前記端末デバイスに送信される請求項１乃至６のいずれか一項に記載の方法。
【請求項８】
ネットワークデバイスによって送信された信号を、端末デバイスによって、複数のリソースユニット上において受信するステップであって、前記信号は、第１のチャネル状態情報基準信号（ＣＳＩ−ＲＳ）を含む、ステップと、
前記第１のＣＳＩ−ＲＳを搬送するために使用される複数のリソース要素（ＲＥ）を、前記端末デバイスによって、決定するステップであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、ステップと、
前記第１のＣＳＩ−ＲＳを、前記端末デバイスによって、前記複数のＲＥ上において獲得するステップと
を含む基準信号受信方法。
【請求項９】
各リソースユニット内の前記複数のＲＥ上において搬送される前記第１のＣＳＩ−ＲＳの前記値は、互いに異なる請求項８に記載の方法。
【請求項１０】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項８または９に記載の方法。
【請求項１１】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項８乃至１０のいずれか一項に記載の方法。
【請求項１２】
前記第１のパイロット系列は、前記第１のパラメータａによって決定される請求項８乃至１１のいずれか一項に記載の方法。
【請求項１３】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項８乃至１１のいずれか一項に記載の方法。
【請求項１４】
前記端末デバイスは、無線リソース制御（ＲＲＣ）シグナリングを使用することによって、前記ネットワークデバイスによって送信された前記第１のパラメータａを受信する請求項８乃至１２のいずれか一項に記載の方法。
【請求項１５】
第１のＣＳＩ−ＲＳを搬送するために使用される複数のリソース要素（ＲＥ）を決定するように構成されたプロセッサであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、プロセッサと、
前記複数のＲＥを使用することによって、前記第１のＣＳＩ−ＲＳを端末デバイスに送信するように構成された送受信機と
を備えるネットワークデバイス。
【請求項１６】
各リソースユニット内の前記複数のＲＥ上において搬送される前記第１のＣＳＩ−ＲＳの前記値は、互いに異なる請求項１５に記載のネットワークデバイス。
【請求項１７】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項１５または１６に記載のネットワークデバイス。
【請求項１８】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項１５乃至１７のいずれか一項に記載のネットワークデバイス。
【請求項１９】
前記第１のパイロット系列は、前記第１のパラメータａによって決定される請求項１５乃至１８のいずれか一項に記載のネットワークデバイス。
【請求項２０】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項１５乃至１８のいずれか一項に記載のネットワークデバイス。
【請求項２１】
前記プロセッサは、前記第１のパラメータａを決定するようにさらに構成され、
前記送受信機は、前記プロセッサによって決定された前記第１のパラメータａを、無線リソース制御（ＲＲＣ）シグナリングを使用することによって、前記端末デバイスに送信するように構成される
請求項１５乃至１９のいずれか一項に記載のネットワークデバイス。
【請求項２２】
ネットワークデバイスによって送信された信号を、複数のリソースユニット上において受信するように構成された送受信機であって、前記信号は、第１のＣＳＩ−ＲＳを含む、送受信機と、
前記第１のＣＳＩ−ＲＳを搬送するために使用される複数のリソース要素ＲＥを決定するように構成されたプロセッサの少なくとも１つであって、前記複数のリソース要素（ＲＥ）は、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、プロセッサの少なくとも１つと
を備え、
プロセッサの前記少なくとも１つは、前記第１のＣＳＩ−ＲＳを、前記決定された複数のＲＥ上において獲得するようにさらに構成される
端末デバイス。
【請求項２３】
各リソースユニット内の前記複数のＲＥ上において搬送される前記第１のＣＳＩ−ＲＳの前記値は、互いに異なる請求項２２に記載の端末デバイス。
【請求項２４】
各リソースユニット内の前記複数のＲＥは、第２のＣＳＩ−ＲＳをさらに搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項２２または２３に記載の端末デバイス。
【請求項２５】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項２２乃至２４のいずれか一項に記載の端末デバイス。
【請求項２６】
前記第１のパイロット系列は、前記第１のパラメータａによって決定される請求項２２乃至２５のいずれか一項に記載の端末デバイス。
【請求項２７】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項２２乃至２５のいずれか一項に記載の端末デバイス。
【請求項２８】
前記送受信機は、無線リソース制御（ＲＲＣ）シグナリングを使用することによって、前記ネットワークデバイスによって送信された前記第１のパラメータａを受信する請求項２２乃至２７のいずれか一項に記載の端末デバイス。
【請求項２９】
第１のＣＳＩ−ＲＳを搬送するために使用される複数のリソース要素（ＲＥ）を決定するように構成された処理モジュールであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、各リソースユニット内の前記複数のＲＥにロードされる、処理モジュールと、
前記複数のＲＥを使用することによって、前記第１のＣＳＩ−ＲＳを端末デバイスに送信するように構成された送受信機モジュールと
を備えるネットワークデバイス。
【請求項３０】
ネットワークデバイスによって送信された信号を、複数のリソースユニット上において受信するように構成された送受信機モジュールであって、前記信号は、第１のＣＳＩ−ＲＳを含む、送受信機モジュールと、
前記第１のＣＳＩ−ＲＳを搬送するために使用される複数のリソース要素（ＲＥ）を決定するように構成された処理モジュールであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、処理モジュールと、
を備え、
前記処理モジュールは、前記第１のＣＳＩ−ＲＳを、前記決定された複数のＲＥ上において獲得するようにさらに構成される
端末デバイス。
【請求項３１】
非一時的コンピュータ可読媒体であって、プログラムコードを記憶し、前記プログラムコードは、
第１のチャネル状態情報基準信号（ＣＳＩ−ＲＳ）を含む信号を受信することと、
前記第１のＣＳＩ−ＲＳを搬送するために使用される複数のリソース要素（ＲＥ）を決定することであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は、異なり、前記第１のＣＳＩ−ＲＳの値は、第１の多重符号を使用することによって、前記リソースユニット内の前記複数のＲＥにロードされる、決定することと、
前記第１のＣＳＩ−ＲＳを前記複数のＲＥ上において獲得することと
を含む基準信号受信方法を実行するために使用される命令を含む、非一時的コンピュータ可読媒体。
【請求項３２】
各リソースユニット内の前記複数のＲＥ上において搬送される前記第１のＣＳＩ−ＲＳの前記値は、互いに異なる請求項３１に記載の非一時的コンピュータ可読媒体。
【請求項３３】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項３１に記載の非一時的コンピュータ可読媒体。
【請求項３４】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項３１に記載の非一時的コンピュータ可読媒体。
【請求項３５】
前記第１のパイロット系列は、前記第１のパラメータａによって決定される請求項３４に記載の非一時的コンピュータ可読媒体。
【請求項３６】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項３５に記載の非一時的コンピュータ可読媒体。
【請求項３７】
プロセッサの少なくとも１つと、インターフェースとを備え、
プロセッサの前記少なくとも１つは、
複数のリソースユニットからの信号の受信を制御することであって、前記信号は、第１のチャネル状態情報基準信号（ＣＳＩ−ＲＳ）を含む、制御することと、
前記第１のＣＳＩ−ＲＳを搬送するために使用される複数のリソース要素（ＲＥ）を決定することであって、前記複数のＲＥは、複数のリソースユニットに分散され、各リソースユニットにおいて、前記第１のＣＳＩ−ＲＳを搬送するために使用される複数のＲＥは、同じシンボル内の複数のサブキャリア上に配置され、少なくとも２つのＲＥ上において搬送される前記第１のＣＳＩ−ＲＳの値は異なり、前記第１のＣＳＩ−ＲＳの値は、第１の多重符号を使用することによって、前記リソースユニット内の前記複数のＲＥにロードされる、決定することと、
前記第１のＣＳＩ−ＲＳを前記複数のＲＥ上において獲得することと
を含む基準信号受信方法を実行するための、メモリ内に記憶されたプログラムコードを実行するように構成される
チップ。
【請求項３８】
前記メモリは、前記プロセッサに統合され、または前記プロセッサとは独立している請求項３７に記載のチップ。
【請求項３９】
各リソースユニット内の前記複数のＲＥ上において搬送される前記第１のＣＳＩ−ＲＳの前記値は、互いに異なる請求項３７に記載のチップ。
【請求項４０】
各リソースユニット内の前記複数のＲＥは、第２のＣＳＩ−ＲＳを搬送し、少なくとも２つのＲＥ上において搬送される前記第２のＣＳＩ−ＲＳの値は、異なり、前記第２のＣＳＩ−ＲＳの値は、第２の多重符号を使用することによって、前記リソースユニット内の前記複数のＲＥにロードされる請求項３７に記載のチップ。
【請求項４１】
前記第１のＣＳＩ−ＲＳの前記値は、第１のパイロット系列から選択され、前記第１のパイロット系列は、第１のパラメータａと相関し、前記第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む請求項４０に記載のチップ。
【請求項４２】
前記第１のパイロット系列は、前記第１のパラメータａによって決定される請求項４１に記載のチップ。
【請求項４３】
前記第１のＣＳＩ−ＲＳの前記値は、前記第１のパイロット系列から選択され、前記第１のパイロット系列は、前記第１のパラメータａと相関し、前記第１のパラメータａの前記値は、｛２，４，８，１２｝のうちの少なくとも１つを含む請求項４２に記載のチップ。
【手続補正２】
【補正対象書類名】明細書
【補正対象項目名】全文
【補正方法】変更
【補正の内容】
【発明の詳細な説明】
【技術分野】
【０００１】
本出願は、通信分野に関し、より詳細には、基準信号送信方法、基準信号受信方法、ネットワークデバイス、および端末デバイスに関する。
【背景技術】
【０００２】
本出願は、その全体が、参照によって本明細書に組み込まれる、２０１７年４月２８日に中国国家知識産権局に出願された、「ＲＥＦＥＲＥＮＣＥ  ＳＩＧＮＡＬ  ＳＥＮＤＩＮＧ  ＭＥＴＨＯＤ，  ＲＥＦＥＲＥＮＣＥ  ＳＩＧＮＡＬ  ＲＥＣＥＩＶＩＮＧ  ＭＥＴＨＯＤ，  ＮＥＴＷＯＲＫ  ＤＥＶＩＣＥ，  ＡＮＤ  ＴＥＲＭＩＮＡＬ  ＤＥＶＩＣＥ」と題する、中国特許出願第２０１７１０２９５２９９．１号に基づく優先権を主張する。
【０００３】
ニューラジオアクセス技術（ｎｅｗ  ｒａｄｉｏ  ａｃｃｅｓｓ  ｔｅｃｈｎｏｌｏｇｙ、ＮＲ）システムにおいては、高周波数ワイヤレス通信をサポートするために、位相雑音およびアナログビームの切り換えによって引き起こされる影響が、チャネル状態情報−基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）のリソース構成に対して考慮される必要がある。高周波数ワイヤレス通信システムは、高レート短距離送信を実装するために、ならびに５Ｇの容量および送信レートに関する要件を満たすために、高周波数バンド内のスペクトルリソースを使用する。しかしながら、高周波数ワイヤレス通信システムにおいては、位相雑音は、時間と比べて、周波数に対しては、はるかに感度が低く、高周波数バンドにおける高い経路損失を克服するために、物理レイヤは、高利得の狭いビームアンテナを使用して、通信リンクのカバレージを改善する必要がある。そのような処理においては、アンテナは、ビームを頻繁に切り換える必要があることがある。上で説明された様々な要因は、位相雑音によって引き起こされる影響、およびビーム切り換えに対して引き起こされる影響を低減させるために、通信デバイスが、時間の短い期間内に、チャネル測定を完了することを必要とする。したがって、ＮＲにおいては、同じシンボル（例えば、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル）内に、ＣＳＩ−ＲＳを構成することが、検討される。
【０００４】
他方、マルチアンテナ技術が、開発されたので、同じネットワークデバイス内の異なるアンテナポートにおけるＣＳＩ−ＲＳは、符号分割を通したリソース上における多重化、すなわち、符号分割多重（ｃｏｄｅ  ｄｉｖｉｓｉｏｎ  ｍｕｌｔｉｐｌｅｘｉｎｇ、ＣＤＭ）を行われ得る。例えば、ネットワークデバイスは、異なる直交カバー符号（ｏｒｔｈｏｇｏｎａｌ  ｃｏｖｅｒ  ｃｏｄｅ、ＯＣＣ）を使用することによって、異なるアンテナポートを区別する。ＮＲにおいては、各アンテナポートにおけるＣＳＩ−ＲＳが、同じシンボル内に構成されることを保証するために、異なるアンテナポートのリソースは、周波数領域ＣＤＭ、例えば、周波数領域ＣＤＭ２および周波数領域ＣＤＭ４を通して、区別され得る。しかしながら、複数のネットワークデバイスが、同じアンテナポートおよび同じ時間−周波数リソースを使用することによって、ＣＳＩ−ＲＳを送信するとき、同じＯＣＣ符号が、使用され得る。このケースにおいては、２つのＣＳＩ−ＲＳは、異なる識別子
【０００５】
【数１】
2020516113.tif 000095
【０００６】
を使用するが、２つのＣＳＩ−ＲＳは、依然として、強い相関があり、互いに干渉を引き起こすことがある。
【発明の概要】
【０００７】
本出願は、ＣＳＩ−ＲＳ間の相関を低減させ、ＣＳＩ−ＲＳ間において引き起こされる干渉を低減させるための、基準信号送信方法、基準信号受信方法、ネットワークデバイス、および端末デバイスを提供する。
【０００８】
第１の態様に従うと、基準信号送信方法が、提供される。方法は、
第１のＣＳＩ−ＲＳを搬送するために使用される複数のリソース要素ＲＥを、ネットワークデバイスによって、決定するステップであって、複数のＲＥは、複数のリソースユニットに分散され、
各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる、ステップと、
複数のＲＥを使用することによって、第１のＣＳＩ−ＲＳを、ネットワークデバイスによって、端末デバイスに送信するステップと
を含む。
【０００９】
第１のＣＳＩ−ＲＳは、事前にネットワークデバイスによって生成された第１のパイロット系列から選択され得ることが留意されるべきである。言い換えると、第１のＣＳＩ−ＲＳは、第１のパイロット系列内のいくつかまたはすべての系列要素を含む。本発明のこの実施形態においては、パイロット系列内の各系列要素は、ＣＳＩ−ＲＳの値と呼ばれることがあり、パイロット系列内の系列要素の量は、パイロット系列の系列長と呼ばれることがある。それに対応して、各リソースユニット内の各シンボル内の、各アンテナポートにおけるＣＳＩ−ＲＳの異なるＣＳＩ−ＲＳ値の量は、リソースユニット内のシンボル内の、アンテナポートにおけるＣＳＩ−ＲＳの系列長と呼ばれる。各ＣＳＩ−ＲＳ値は、パイロット系列内の系列要素に対応し、異なるＣＳＩ−ＲＳ値は、パイロット系列内の異なる系列要素に対応することが理解され得る。先行技術においては、同じリソースユニット内の同じシンボル内の複数のＲＥは、同じＣＳＩ−ＲＳ値を搬送する。すなわち、各アンテナポートにおけるＣＳＩ−ＲＳは、１つのリソースユニット内の１つのシンボルにおいて、１のシンボル長を有する。しかしながら、本発明のこの実施形態においては、各アンテナポートにおけるＣＳＩ−ＲＳは、各リソースユニット内の各シンボルにおいて、少なくとも２の系列長を有する。先行技術と比較して、系列長は、増加させられ、系列間の相関は、低減させられる。したがって、２つのネットワークデバイスが、同じ時間−周波数リソースおよび同じ多重符号を使用することによって、ＣＳＩ−ＲＳを送信するとき、本発明のこの実施形態において提供されるＣＳＩ−ＲＳが、使用されるので、２つのＣＳＩ−ＲＳ間の干渉が、低減させられるように、各リソースユニット内の同じシンボルにおける系列長は、増加させられ、系列間の相関は、低減させられ、それによって、チャネル推定を容易にし、受信信号の品質を改善する。
【００１０】
任意選択で、第１のＣＳＩ−ＲＳを搬送するために使用される複数のＲＥを、ネットワークデバイスによって、決定するステップの前に、方法は、
第１のパイロット系列を、ネットワークデバイスによって、生成するステップであって、第１のＣＳＩ−ＲＳの値は、第１のパイロット系列から選択される、ステップ
をさらに含む。
【００１１】
言い換えると、第１のＣＳＩ−ＲＳは、第１のパイロット系列内のいくつかまたはすべての系列要素を使用することによって、生成される。第１のパイロット系列は、先行技術におけるパイロット系列生成方法に従って、生成されてよく、または本発明のこの実施形態における方法に従って、生成されてよい。
【００１２】
言い換えると、ネットワークデバイスは、第１のパラメータに基づいて、第１のパイロット系列を生成し、その後、第１のパイロット系列内のいくつかまたはすべての系列要素を複数のＲＥ上にマッピングして、第１のＣＳＩ−ＲＳを生成する。複数のＲＥは、複数のリソースユニットに分散される。各リソースユニットにおいて、第１のＣＳＩ−ＲＳを搬送するために使用される複数のＲＥは、同じシンボル内の複数のサブキャリア上に配置され、リソースユニット内の少なくとも２つのＲＥ上において搬送される第１のＣＳＩ−ＲＳの値は、異なる。
【００１３】
第２の態様に従うと、基準信号受信方法が、提供される。方法は、
ネットワークデバイスによって送信された信号を、端末デバイスによって、複数のリソースユニット上において受信するステップであって、信号は、第１のＣＳＩ−ＲＳを含む、ステップと、
第１のＣＳＩ−ＲＳを搬送するために使用される複数のリソース要素ＲＥを、端末デバイスによって、決定するステップであって、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる、ステップと、
第１のＣＳＩ−ＲＳを、端末デバイスによって、複数のＲＥ上において獲得するステップと
を含む。
【００１４】
第１のＣＳＩ−ＲＳは、事前にネットワークデバイスによって生成された第１のパイロット系列から選択され得る。言い換えると、第１のＣＳＩ−ＲＳは、第１のパイロット系列内のいくつかまたはすべての系列要素を含む。本発明のこの実施形態においては、パイロット系列内の各系列要素は、ＣＳＩ−ＲＳの値と呼ばれることがあり、パイロット系列内の系列要素の量は、パイロット系列の系列長と呼ばれることがある。それに対応して、各リソースユニット内の各シンボル内の、各アンテナポートにおけるＣＳＩ−ＲＳの異なるＣＳＩ−ＲＳ値の量は、リソースユニット内のシンボル内の、アンテナポートにおけるＣＳＩ−ＲＳの系列長と呼ばれる。各ＣＳＩ−ＲＳの値は、パイロット系列内の系列要素に対応し、異なるＣＳＩ−ＲＳ値は、パイロット系列内の異なる系列要素に対応することが理解され得る。先行技術においては、同じリソースユニット内の同じシンボル内の複数のＲＥは、同じＣＳＩ−ＲＳ値を搬送する。すなわち、各アンテナポートにおけるＣＳＩ−ＲＳは、１つのリソースユニット内の１つのシンボルにおいて、１のシンボル長を有する。しかしながら、本発明のこの実施形態においては、各アンテナポートにおけるＣＳＩ−ＲＳは、各リソースユニット内の各シンボルにおいて、少なくとも２の系列長を有する。先行技術と比較して、系列長は、増加させられ、系列間の相関は、低減させられる。したがって、２つのネットワークデバイスが、同じ時間−周波数リソースおよび同じ多重符号を使用することによって、ＣＳＩ−ＲＳを送信するとき、本発明のこの実施形態において提供されるＣＳＩ−ＲＳが、使用されるので、２つのＣＳＩ−ＲＳ間の干渉が、低減させられるように、各リソースユニット内の同じシンボルにおける系列長は、増加させられ、系列間の相関は、低減させられ、それによって、チャネル推定を容易にし、受信信号の品質を改善する。
【００１５】
第３の態様に従うと、ネットワークデバイスが、提供される。ネットワークデバイスは、第１の態様または第１の態様の可能な実装のいずれか１つに従って、基準信号送信方法を実行するように構成された様々なモジュールを含む。
【００１６】
第４の態様に従うと、端末デバイスが、提供される。端末デバイスは、第２の態様または第２の態様の可能な実装のいずれか１つに従って、基準信号受信方法を実行するように構成された様々なモジュールを含む。
【００１７】
第５の態様に従うと、ネットワークデバイスが、提供される。ネットワークデバイスは、送受信機と、プロセッサと、メモリとを含む。プロセッサは、信号を受信または送信するための送受信機を制御するように構成され、メモリは、コンピュータプログラムを記憶するように構成され、プロセッサは、ネットワークデバイスが、第１の態様または第１の態様の可能な実装のいずれか１つに従って、方法を実行することを可能にするために、メモリからコンピュータプログラムを起動し、コンピュータプログラムを実行するように構成される。
【００１８】
第６の態様に従うと、端末デバイスが、提供される。端末デバイスは、送受信機と、プロセッサと、メモリとを含む。プロセッサは、信号を受信または送信するための送受信機を制御するように構成され、メモリは、コンピュータプログラムを記憶するように構成され、プロセッサは、端末デバイスが、第２の態様または第２の態様の可能な実装のいずれか１つに従って、方法を実行することを可能にするために、メモリからコンピュータプログラムを起動し、コンピュータプログラムを実行するように構成される。
【００１９】
第７の態様に従うと、コンピュータプログラム製品が、提供される。コンピュータプログラム製品は、コンピュータプログラムコードを含み、ネットワークデバイス上において動作するとき、コンピュータプログラムコードは、ネットワークデバイスが、第１の態様または第１の態様の可能な実装のいずれか１つに従って、方法を実行することを可能にする。
【００２０】
第８の態様に従うと、コンピュータプログラム製品が、提供される。コンピュータプログラム製品は、コンピュータプログラムコードを含み、端末デバイス上において動作するとき、コンピュータプログラムコードは、端末デバイスが、第２の態様または第２の態様の可能な実装のいずれか１つに従って、方法を実行することを可能にする。
【００２１】
第９の態様に従うと、コンピュータ可読媒体が、提供される。コンピュータ可読媒体は、プログラムコードを記憶し、プログラムコードは、第１の態様または第１の態様の可能な実装のいずれか１つに従って、方法を実行するために使用される、命令を含む。
【００２２】
第１０の態様に従うと、コンピュータ可読媒体が、提供される。コンピュータ可読媒体は、プログラムコードを記憶し、プログラムコードは、第２の態様または第２の態様の可能な実装のいずれか１つに従って、方法を実行するために使用される、命令を含む。
【００２３】
任意選択で、各リソースユニット内の複数のＲＥ上において搬送される第１のＣＳＩ−ＲＳの値は、互いに異なる。任意選択で、複数のＲＥは、第２のＣＳＩ−ＲＳを搬送し、少なくとも２つのＲＥ上において搬送される第２のＣＳＩ−ＲＳの値は、異なり、第２のＣＳＩ−ＲＳの値は、第２の多重符号を使用することによって、複数のＲＥにロードされる。
【００２４】
すなわち、複数のＣＳＩ−ＲＳを送信するとき、ネットワークデバイスは、事前に生成された第１のパイロット系列におけるＣＳＩ−ＲＳの値を決定し、値を時間−周波数リソース上にマッピングし、アンテナポートを区別するために、多重符号を使用することによって、値をロードし、最後に、時間−周波数リソースを使用することによって、複数のＣＳＩ−ＲＳを一緒に送信し得る。例えば、複数のＣＳＩ−ＲＳは、第１のＣＳＩ−ＲＳと、第２のＣＳＩ−ＲＳとを含み、第１のＣＳＩ−ＲＳと、第２のＣＳＩ−ＲＳは、異なるアンテナポートに対応し、符号分割を通して、同じ時間−周波数リソース上に多重化され得る。
【００２５】
任意選択で、第１のパイロット系列は、以下の式を使用することによって、計算される。
【００２６】
【数２】
2020516113.tif 000096
【００２７】
【数３】
2020516113.tif 000097
【００２８】
であり、ａは、第１のパラメータであり、
【００２９】
【数４】
2020516113.tif 000098
【００３０】
は、ダウンリンクチャネル上に含まれるリソースユニットの最大量を表し、
【００３１】
【数５】
2020516113.tif 000099
【００３２】
は、第ｎsのスロット内の第ｌのシンボル内の第ｂのＣＳＩ−ＲＳの値を表す。
【００３３】
【数６】
2020516113.tif 000100
【００３４】
である。
【００３５】
ｃは、ＰＮ系列であり、初期化系列ｃinitに基づいて、ＰＮ系列生成器（例えば、ゴールド系列生成器）によって、生成され得る。
【００３６】
この方法は、既存のロングタームエボリューション（Ｌｏｎｇ  Ｔｅｒｍ  Ｅｖｏｌｕｔｉｏｎ、ＬＴＥ）プロトコルにおいて定義されたＰＮ系列生成式に酷似しており、したがって、先行技術と非常に互換性があり、加えて、系列長は、増加させられ、パイロット系列間の相関は、低減させられる。
【００３７】
任意選択で、第１のパイロット系列は、以下の式を使用することによって、計算される。
【００３８】
【数７】
2020516113.tif 000101
【００３９】
ａは、第１のパラメータであり、
【００４０】
【数８】
2020516113.tif 000102
【００４１】
は、ダウンリンクチャネル上に含まれるリソースユニットの最大量を表し、
【００４２】
【数９】
2020516113.tif 000103
【００４３】
は、第ｎsのスロット内の第ｌのシンボル内の第ｍのリソースユニット内の第ｎのＣＳＩ−ＲＳの値を表す。
【００４４】
例えば、第１のパイロット系列は、以下の式を使用することによって、計算される。
【００４５】
【数１０】
2020516113.tif 000104
【００４６】
、
【００４７】
【数１１】
2020516113.tif 000105
【００４８】
上で説明された式と比較して、この式は、各系列要素がその上にマッピングされるＲＥを、より多い次元で表す。
【００４９】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【００５０】
任意選択で、第１のパラメータａの値は、｛２，４，８，１２｝のうちの少なくとも１つを含む。
【００５１】
本発明のこの実施形態においては、第１のパラメータａは、各リソースユニット内の、第１のＣＳＩ−ＲＳによって占有されることができるＲＥの最大量として理解され得る。言い換えると、各リソースユニット内の同じシンボル内の、第１のＣＳＩ−ＲＳによって占有されるサブキャリアの最大量が、ａである。しかしながら、リソースユニット内の同じシンボル内の、第１のＣＳＩ−ＲＳによって占有されるサブキャリアの量は、リソースユニットにおける第１のＣＳＩ−ＲＳの系列長を意味しないことが留意されるべきである。第１のＣＳＩ−ＲＳの系列長は、リソースユニットにおける異なる系列要素の量に基づいて、定義される必要がある。
【００５２】
任意選択で、第１のパラメータａは、事前構成される。
【００５３】
すなわち、第１のパラメータａは、静的に構成され得る。
【００５４】
任意選択で、第１のパラメータａは、ネットワークデバイスによって決定された後、端末デバイスに送信される。
【００５５】
すなわち、第１のパラメータａは、半静的または動的に構成され得る。
【００５６】
本出願に従うと、各リソースユニット内の各シンボル内の、各アンテナポートにおけるＣＳＩ−ＲＳの系列長は、系列間の相関を低減させ、パイロット信号間の干渉を低減させるために、増加させられ得る。
【図面の簡単な説明】
【００５７】
【図１】本発明の実施形態に従った、基準信号送信方法および基準信号受信方法が適用される、通信システムの概略図である。
【図２】本発明の実施形態に従った、基準信号送信方法および基準信号受信方法が適用される、通信システムの別の概略図である。
【図３】本発明の実施形態に従った、基準信号送信方法または基準信号受信方法の概略フローチャートである。
【図４】本発明の実施形態に従った、パイロットパターンの概略図である。
【図５】本発明の実施形態に従った、パイロットパターンの別の概略図である。
【図６】本発明の実施形態に従った、パイロットパターンのさらに別の概略図である。
【図７】本発明の実施形態に従った、パイロットパターンのまた別の概略図である。
【図８】本発明の実施形態に従った、ネットワークデバイスの概略ブロック図である。
【図９】本発明の実施形態に従った、端末デバイスの概略ブロック図である。
【図１０】本発明の実施形態に従った、ネットワークデバイスの別の概略ブロック図である。
【図１１】本発明の実施形態に従った、端末デバイスの別の概略ブロック図である。
【発明を実施するための形態】
【００５８】
以下では、添付の図面を参照して、本出願の技術的ソリューションについて説明する。
【００５９】
本発明の実施形態の理解を容易にするために、最初に、ＬＴＥプロトコルにおけるＣＳＩ−ＲＳが、手短に説明される。
【００６０】
ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−Ａ）システムにおいては、マルチアンテナ技術をサポートするために、リリース（Ｒｅｌｅａｓｅ）１０以降、低密度リソース分散を特徴とするＣＳＩ−ＲＳが、導入されて、元のセル固有基準信号（ｃｅｌｌ−ｓｐｅｃｉｆｉｃ  ｒｅｆｅｒｅｎｃｅ  ｓｉｇｎａｌ、ＣＲＳ）に取って代わり、ネットワークデバイスが、端末デバイスによって報告されたＣＳＩに基づいて、マルチユーザスケジューリングを実行することができることを保証する。
【００６１】
ＬＴＥ−Ａ送信モード（ｔｒａｎｓｍｉｓｓｉｏｎ  ｍｏｄｅ、ＴＭ）９においては、端末デバイスは、チャネル推定のために、ＣＳＩ−ＲＳを使用する。しかしながら、ＴＭ９以前の他の送信モードにおいては、端末デバイスは、チャネル推定のために、依然としてＣＲＳを使用する。ＣＳＩ−ＲＳが使用されるか、それともＣＲＳが使用されるか、またはチャネル推定のために使用され、将来のプロトコルにおいて定義される、他の基準信号さえもが使用されるかにかかわらず、端末デバイスが、受信された基準信号に基づいて、チャネル推定を実行する具体的な処理は、同様であり得ることが理解され得る。理解および説明を容易にするために、本発明の実施形態は、例として、もっぱらＣＳＩ−ＲＳを使用することによって、詳細に説明される。
【００６２】
加えて、ダウンリンク基準信号においては、基準信号は、通常、疑似雑音（ＰＮ）系列を使用し得る。ＬＴＥにおいては、ＣＳＩ−ＲＳは、ＰＮ系列に基づいて、生成され得る。具体的には、ＣＳＩ−ＲＳは、以下の式を使用することによって計算されるＰＮ系列を使用することによって、獲得され得る。
【００６３】
【数１２】
2020516113.tif 000106
【００６４】
ＣＳＩ−ＲＳが、発見基準信号（ｄｉｓｃｏｖｅｒｙ  ｒｅｆｅｒｅｎｃｅ  ｓｉｇｎａｌ、ＤＲＳ）の一部として使用されるとき、
【００６５】
【数１３】
2020516113.tif 000107
【００６６】
であり、または他のケースにおいては、
【００６７】
【数１４】
2020516113.tif 000108
【００６８】
である。
【００６９】
【数１５】
2020516113.tif 000109
【００７０】
は、第ｎsのスロット内の第ｌのシンボル内の第ｍの系列要素を表し、
【００７１】
【数１６】
2020516113.tif 000110
【００７２】
は、ＰＮ系列を変調することによって獲得される複素形式で表示される。任意選択で、シンボルは、ＯＦＤＭシンボルであってよく、または時間単位を表すために使用され、将来のプロトコルにおいて定義される、シンボルであってよい。これは、本発明のこの実施形態に特に限定されない。
【００７３】
【数１７】
2020516113.tif 000111
【００７４】
は、ダウンリンクチャネル上に含まれる、ＲＢの最大量を表す。ｃは、ＰＮ系列であり、初期化系列ｃinitに基づいて、ＰＮ系列生成器（例えば、ゴールド（Ｇｏｌｄ）系列生成器）によって、生成され得る。
【００７５】
【数１８】
2020516113.tif 000112
【００７６】
は、ＣＳＩ−ＲＳの識別子であり、セル識別子
【００７７】
【数１９】
2020516113.tif 000113
【００７８】
であるか、または高位レイヤによって構成された識別子であり得る。ＮCPは、サイクリックプレフィックス識別子であり、標準ＣＰ（ｎｏｒｍａｌ  ＣＰ）に対応し、ＮCP＝１である。拡張ＣＰ（ｅｘｔｅｎｄｅｄ  ＣＰ）については、ＮCP＝０である。
【００７９】
ｍの値が、
【００８０】
【数２０】
2020516113.tif 000114
【００８１】
の中の値を順番に取るとき、ＰＮ系列が、獲得されることができることが、上記の式から理解され得る。ＰＮ系列は、
【００８２】
【数２１】
2020516113.tif 000115
【００８３】
個の系列要素を含み、各系列要素は、複素信号であり、各系列要素は、ＣＳＩ−ＲＳの値と呼ばれることがあり、
【００８４】
【数２２】
2020516113.tif 000116
【００８５】
個の系列要素は、系列長
【００８６】
【数２３】
2020516113.tif 000117
【００８７】
と呼ばれることがある。
【００８８】
ネットワークデバイスは、事前定義されたパイロットパターン（ｐａｔｔｅｒｎ）、およびパイロット系列内の系列要素とＲＥとの間のマッピング関係に基づいて、生成されたＰＮ系列内のいくつかまたはすべての要素を、１つずつ、ＲＥ上にマッピングし、ＣＳＩ−ＲＳを、チャネル上において、端末デバイスに送信し得る。端末デバイスは、受信されたＣＳＩ−ＲＳと、端末デバイスによって生成されたＣＳＩ−ＲＳとに基づいて、チャネル行列を推定し、端末デバイスが、推定されたチャネル行列に基づいて、プリコーディング行列を決定し、ＣＳＩをネットワークデバイスにフィードバックすることができるようにする。
【００８９】
ＬＴＥにおいては、マルチアンテナ技術が開発されたので、同じネットワークデバイスは、異なるアンテナポート（ａｎｔｅｎｎａ  ｐｏｒｔ）を、ＣＤＭ、周波数分割多重（ｆｒｅｑｕｅｎｃｙ  ｄｉｖｉｓｉｏｎ  ｍｕｌｔｉｐｌｅｘｉｎｇ、ＦＤＭ）、および時分割多重（ｔｉｍｅ  ｄｉｖｉｓｉｏｎ  ｍｕｌｔｉｐｌｅｘｉｎｇ、ＴＤＭ）などを通して、区別し得る。ＦＤＭまたはＴＤＭが、使用される場合、異なるアンテナポートにおいてＣＳＩ−ＲＳによって占有される周波数領域リソースまたは時間領域リソースは、異なり得る。ＣＤＭが、使用される場合、異なるアンテナポートにおいてＣＳＩ−ＲＳによって占有される時間−周波数リソースは、同じであり得、異なるアンテナポートは、多重符号を使用することによって、区別される。ＬＴＥにおいては、ＣＤＭは、周波数領域ＣＤＭと、時間領域ＣＤＭとを含むことができる。しかしながら、ＮＲにおいては、ＣＳＩ−ＲＳは、同じシンボル内に構成されるようにサポートされ、すなわち、周波数領域ＣＤＭである。
【００９０】
アンテナポートは、ＣＳＩ−ＲＳポートと呼ばれることもあり、またはより具体的には、ビームフォーミング（ｂｅａｍｆｏｒｍｉｎｇ）を通してプリコーディングされていないＣＳＩ−ＲＳポートとして理解され得ることが留意されるべきである。ＣＳＩ−ＲＳは、ＣＳＩ−ＲＳポートによって定義され、各ＣＳＩ−ＲＳは、アンテナポートに対応する。チャネル測定のために使用される基準信号としてのＣＳＩ−ＲＳは、説明のための例として使用されるにすぎず、本発明の実施形態に対するいかなる限定としても構成されるべきではないことが理解されるべきである。本出願は、既存または将来のプロトコルにおいて、ＣＳＩ−ＲＳと同じ機能を実装するために、他の名前のものが使用されて、ＣＳＩ−ＲＳに取って代わり得る可能性を排除しない。
【００９１】
本発明の実施形態が適用可能なシナリオが、図１および図２を参照して、以下で説明される。図１は、本発明の実施形態に従った、基準信号送信方法および基準信号受信方法が適用される、通信システム１００Ａの概略図である。図１に示されるように、通信システム１００Ａは、第１のネットワークデバイス１１０と、第２のネットワークデバイス１２０と、第１の端末デバイス１３０と、第２の端末デバイス１４０とを含む。第１のネットワークデバイス１１０および第２のネットワークデバイス１２０は、複数のアンテナを含み、マルチアンテナ技術を使用することによって、端末デバイス（例えば、図１に示される第１の端末デバイス１３０および／または第２の端末デバイス１４０）に、データを送信し得る。
【００９２】
第１のネットワークデバイス１１０は、第１のセル内のネットワークデバイスであり、第１の端末デバイス１３０は、第１のセル内に配置され、第２のネットワークデバイス１２０は、第２のセル内のネットワークデバイスであり、第２の端末デバイスは、第２のセル内に配置されることが仮定される。第１のネットワークデバイス１１０および第２のネットワークデバイス１２０が、チャネル推定のためのＣＳＩフィードバックを獲得するために、同じポートおよび同じ時間−周波数リソース（例えば、ＲＥ）を使用することによって、対応する第１の端末デバイス１３０および第２の端末デバイス１４０に、ＣＳＩ−ＲＳを送信する場合、第１のネットワークデバイス１１０によって第１の端末デバイス１３０に送信される（例えば、ＣＳＩ−ＲＳ＃１と表される）ＣＳＩ−ＲＳと、第２のネットワークデバイス１２０によって第２の端末デバイス１４０に送信される（例えば、ＣＳＩ−ＲＳ＃２と表される）ＣＳＩ−ＲＳは、異なる
【００９３】
【数２４】
2020516113.tif 000118
【００９４】
を使用することによって、識別され得、すなわち、式（１）を使用することによって計算される値は、異なる。
【００９５】
第１のネットワークデバイス１１０および第２のネットワークデバイス１２０は、マルチアンテナ技術を使用することによって、データを端末デバイスに送信し得るので、第１のネットワークデバイス１１０および第２のネットワークデバイス１２０は、複数のアンテナポートを使用することによって、ＣＳＩ−ＲＳを送信し得る。同じネットワークデバイス内の複数のアンテナポートにおいては、異なるＣＳＩ−ＲＳは、上で説明されたＦＤＭ、ＴＤＭ、またはＣＤＭを通して、区別され得る。
【００９６】
第１のネットワークデバイス１１０と第２のネットワークデバイス１２０の両方が、（例えば、周波数領域ＣＤＭ２であり得る）周波数領域ＣＤＭを使用する場合、リソースユニット（例えば、リソースブロック（ｒｅｓｏｕｒｃｅ  ｂｌｏｃｋ、ＲＢ））内の１つのリソースブロックグループ（ｒｅｓｏｕｒｃｅ  ｂｌｏｃｋ  ｇｒｏｕｐ、ＲＢＧ）内の１つのシンボル内の、各ＣＳＩ−ＲＳによって占有されるＲＥの量は、ＣＤＭの際に使用される直交符号の長さである。例えば、周波数領域ＣＤＭ２は、１つのリソースユニット内の１つのシンボル内において、２つのＲＥが占有されることを示す。シンボル量ｌが同じであり、ｒの値が同じであるとき、２つのＲＥ上において搬送されるＣＳＩ−ＲＳの値は、同じであることが、上で説明され式（１）に従って、知られることができる。すなわち、１つのリソースユニット内の１つのシンボル内のＣＳＩ−ＲＳの系列長は、１である。ＣＳＩ−ＲＳ＃１とＣＳＩ−ＲＳ＃２が、異なる
【００９７】
【数２５】
2020516113.tif 000119
【００９８】
を使用するとしても、他のパラメータ（例えば、ＯＣＣ）が同じであるので、ＣＳＩ−ＲＳ＃１とＣＳＩ−ＲＳ＃２との間で、依然として、干渉が引き起こされる。
【００９９】
図２は、本発明の実施形態に従った、基準信号送信方法および基準信号受信方法が適用される、通信システム１００Ｂの概略図である。図２に示されるように、通信システム１００Ｂは、第１のネットワークデバイス１１０と、第２のネットワークデバイス１２０と、第１の端末デバイス１３０とを含む。第１のネットワークデバイス１１０および第２のネットワークデバイス１２０は、複数のアンテナを含み、マルチアンテナ技術を使用することによって、第１の端末デバイス１３０に、データを送信し得る。さらに、第１のネットワークデバイス１１０および第２のネットワークデバイス１２０は、多地点協調（ｃｏｏｒｄｉｎａｔｉｏｎ  ｍｕｌｔｉｐｌｅ  ｐｏｉｎｔ、ＣｏＭＰ）送信方法を使用することによって、第１の端末デバイス１３０に、データを送信し得る。
【０１００】
第１のネットワークデバイス１１０が、ＣＳＩ−ＲＳ＃１を第１の端末デバイス１３０に送信し、第２のネットワークデバイス１２０が、ＣＳＩ−ＲＳ＃２を第１の端末デバイス１３０に送信することを仮定すると、第１のネットワークデバイス１１０および第２のネットワークデバイス１２０は、第１の端末デバイス１３０によってフィードバックされたＣＳＩに基づいて、動的ポイント選択（ｄｙｎａｍｉｃ  ｐｏｉｎｔ  ｓｅｌｅｃｔｉｏｎ、ＤＰＳ）を実行し得る。第１のネットワークデバイス１１０によって第１の端末デバイス１３０に送信される（例えば、ＣＳＩ−ＲＳ＃１と表される）ＣＳＩ−ＲＳと、第２のネットワークデバイス１２０によって第１の端末デバイス１３０に送信される（例えば、ＣＳＩ−ＲＳ＃２と表される）ＣＳＩ−ＲＳは、異なる
【０１０１】
【数２６】
2020516113.tif 000120
【０１０２】
を使用することによって、識別され得る。
【０１０３】
第１のネットワークデバイス１１０と第２のネットワークデバイス１２０の両方が、周波数領域ＣＤＭを使用する場合、１つのリソースユニット内の１つのシンボル内の、各ネットワークデバイスによって送信されるＣＳＩ−ＲＳによって占有されるＲＥの量は、ＣＤＭの際に使用される直交符号の長さである。同じシンボルにおいてＣＳＩ−ＲＳを搬送するＲＥは、同じＣＳＩ−ＲＳ値を搬送し、すなわち、１つのリソースユニット内の１つのシンボル内のＣＳＩ−ＲＳの系列長は、１である。したがって、ＣＳＩ−ＲＳ＃１とＣＳＩ−ＲＳ＃２が、異なる
【０１０４】
【数２７】
2020516113.tif 000121
【０１０５】
を使用するとしても、他のパラメータ（例えば、アンテナポート、時間−周波数リソース、およびＯＣＣ）が同じであるので、ＣＳＩ−ＲＳ＃１とＣＳＩ−ＲＳ＃２との間で、依然として、干渉が引き起こされる。
【０１０６】
図１および図２は、理解を容易にするために例として使用された、簡略化された概略図であり、通信システムは、図に示されていない、より多くのネットワークデバイスおよび／または端末デバイスをさらに含み得ることが理解されるべきである。
【０１０７】
２つのＣＳＩ−ＲＳ間において、干渉が引き起こされるとき、チャネル行列の推定は、不正確であることがあり、結果として、フィードバックされるＣＳＩの正確さが、影響を受け、最後には、プリコーディング行列の決定が、影響を受けることがあり、さらに、受信データの品質に影響することが、上述の説明から知られることができる。
【０１０８】
しかしながら、シミュレーション実験、または相関の計算を通して、系列長が１であるとき、系列間の相関は、相対的に強く、より長い系列は、系列間において、より低い相関を示すことが知られている。したがって、本出願は、シンボル内の各ポートに対応するパイロット系列の系列長を増加させ、系列間の相関を低減させ、干渉を低減させるための、基準信号送信方法および基準信号受信方法を提供する。
【０１０９】
本発明の実施形態が、添付の図面を参照して、以下で詳細に説明される。
【０１１０】
本出願における技術的ソリューションは、様々な通信システムに、例えば、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（ＬＴＥ）システム、ロングタームエボリューションアドバンスト（ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、または次世代通信システム（例えば、第５世代（ｆｉｆｔｈ−ｇｅｎｅｒａｔｉｏｎ、５Ｇ）通信システム）に適用され得ることが理解されるべきである。５Ｇシステムは、ニューラジオアクセス技術（ＮＲ）システムと呼ばれることもある。
【０１１１】
本出願は、ネットワークデバイスを参照して、実施形態を説明する。ネットワークデバイスは、移動体通信用グローバルシステム（ＧＳＭ）もしくは符号分割多元接続（ＣＤＭＡ）における、基地送受信機局（Ｂａｓｅ  Ｔｒａｎｓｃｅｉｖｅｒ  Ｓｔａｔｉｏｎ、ＢＴＳ）であり得、または広帯域符号分割多元接続（ＷＣＤＭＡ）における、ノードＢ（ＮｏｄｅＢ、ＮＢ）であり得、またはロングタームエボリューション（ＬＴＥ）における、進化型ノードＢ（ｅｖｏｌｕｔｉｏｎａｌ  ｎｏｄｅ  Ｂ、ｅＮＢもしくはｅＮｏｄｅＢ）、もしくは中継局、アクセスポイントもしくはリモート無線ユニット（Ｒｅｍｏｔｅ  Ｒａｄｉｏ  Ｕｎｉｔ、ＲＲＵ）、もしくは車載デバイス、ウェアラブルデバイス、もしくは送信ポイント（ｔｒａｎｓｍｉｓｓｉｏｎ  ｐｏｉｎｔ、ＴＰ）など将来の５Ｇシステムにおけるネットワーク側デバイス、送受信ポイント（ｔｒａｎｓｍｉｓｓｉｏｎ  ｒｅｃｅｐｔｉｏｎ  ｐｏｉｎｔ、ＴＲＰ）、基地局、および小型基地局デバイスであり得る。これは、本発明の実施形態に特に限定されない。
【０１１２】
加えて、本出願は、端末デバイスを参照して、実施形態を説明する。端末デバイスは、ユーザ機器（Ｕｓｅｒ  Ｅｑｕｉｐｍｅｎｔ、ＵＥ）、アクセス端末、加入者ユニット、加入者局、移動局、移動コンソール、リモート局、リモート端末、モバイルデバイス、ユーザ端末、端末、ワイヤレス通信デバイス、ユーザエージェント、またはユーザ装置と呼ばれることもある。端末デバイスは、ワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）における、局（Ｓｔａｔｉｏｎ、ＳＴ）であり得、セルラフォン、コードレスフォン、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）デバイス、ワイヤレス通信機能を有するハンドヘルドデバイス、コンピューティングデバイス、ワイヤレスモデムに接続された別の処理デバイス、車載デバイス、ウェアラブルデバイス、および次世代通信システム、例えば、５Ｇネットワークにおける端末デバイス、または将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末デバイスであり得る。これは、本出願の実施形態に特に限定されない。
【０１１３】
本発明の実施形態においては、「第１の」および「第２の」という番号は、異なる対象を区別するために、例えば、異なるパイロット系列および異なるＣＳＩ−ＲＳを区別するために使用されるにすぎず、本発明の実施形態に対するいかなる限定としても構成されるべきではないことがさらに理解されるべきである。
【０１１４】
図３は、デバイス対話の観点から見た、本発明の実施形態に従った、基準信号送信方法３００または基準信号受信方法３００の概略フローチャートである。以下で説明される方法３００は、無線エアインターフェースを使用することによって通信を実行する、通信システムに適用され得る。通信システムは、少なくとも２つのネットワークデバイスと、少なくとも１つの端末デバイスとを含み得る。例えば、通信システムは、図１に示された通信システム１００Ａ、または図２に示された通信システム１００Ｂであり得る。ネットワークデバイスは、図１または図２において示された、第１のネットワークデバイス１１０、または第２のネットワークデバイス１２０であり得、端末デバイスは、図１において示された、第１の端末デバイス１３０、もしくは第２の端末デバイス１４０、または図２において示された、第１の端末デバイス１３０であり得る。
【０１１５】
本発明のこの実施形態においては、一般性を失うことなく、本発明のこの実施形態に従った、基準信号送信方法および基準信号受信方法は、例としてＣＳＩ−ＲＳを使用することによって、詳細に説明されることが留意されるべきである。しかしながら、これは、本発明のこの実施形態に対するいかなる限定としても構成されるべきではなく、方法は、他の基準信号にも適用可能であることが理解されるべきである。
【０１１６】
既存のプロトコル（例えば、ＬＴＥプロトコル）においては、ダウンリンク基準信号は、通常、ＰＮ系列を使用し得、ＬＴＥにおいては、ＰＮ系列は、ゴールド系列によって定義されることが理解されるべきである。もっぱら理解および説明を容易にするために、本明細書は、例としてＰＮ系列を使用することによって、本発明のこの実施形態を詳細に説明する。しかしながら、これは、本発明のこの実施形態に対するいかなる限定としても構成されるべきではなく、本出願は、ダウンリンク基準信号を生成するために、将来のプロトコルにおいて、ザドフ−チュー（Ｚａｄｏｆｆ−Ｃｈｕ、ＺＣ）系列などの別の系列が使用され得る可能性を排除しない。さらに、本発明のこの実施形態に従った、基準信号送信方法および基準信号受信方法は、ダウンリンク基準信号に限定されず、アップリンク基準信号にも適用可能である。
【０１１７】
図３に示されるように、方法３００は、以下のステップを含む。
【０１１８】
Ｓ３１０。ネットワークデバイスは、第１のパラメータに基づいて、第１のパイロット系列を生成する。
【０１１９】
本発明のこの実施形態においては、ＣＳＩ−ＲＳを生成するために使用されるＰＮ系列の系列長は、
【０１２０】
【数２８】
2020516113.tif 000122
【０１２１】
と相関するばかりでなく、本発明のこの実施形態において提供される第１のパラメータａとも相関する。ネットワークデバイスは、第１のパラメータａに基づいて、第１のパイロット系列を生成し得る。本明細書においては、区別および説明を容易にするために、ネットワークデバイスによって生成されるパイロット系列は、第１のパイロット系列と呼ばれ、以下で説明される端末デバイスによって生成されるパイロット系列は、第２のパイロット系列と呼ばれる。それに対応して、第１のパイロット系列に基づいてネットワークデバイスによって生成されるＣＳＩ−ＲＳは、第１のＣＳＩ−ＲＳと呼ばれ、第２のパイロット系列に基づいて端末デバイスによって生成されるＣＳＩ−ＲＳは、第３のＣＳＩ−ＲＳと呼ばれる。
【０１２２】
任意選択で、第１のパラメータａの値は、以下のうちの少なくとも１つを含む。
【０１２３】
Ａ．１つのリソースユニット内の１つのシンボル内のＲＥの量。具体的な量は、既存または将来のプロトコルにおけるリソースユニットの定義に基づいて、決定され得る。例えば、ＬＴＥプロトコルにおいて定義されるリソースユニットは、ＲＢであり得、１つのＲＢ内の１つのシンボル内のＲＥの量は、１２であり得る。
【０１２４】
本発明のこの実施形態においては、リソースユニットは、ＬＴＥプロトコルにおける１つのＲＢもしくはＲＢＧ、もしくは複数のＲＢもしくはＲＢＧ、または少なくとも２つのＲＥを含む再定義されたリソースであり得る。理解および説明を容易にするために、本発明のこの実施形態は、リソースユニットがＲＢである例を使用することによって、説明される。簡潔にするために、以下では、同じまたは類似のケースは、省かれる。
【０１２５】
Ｂ．周波数領域ＣＤＭの際にアンテナポートによって使用される直交符号の長さ。具体的な値は、既存または将来のプロトコルにおいて定義される、ＣＤＭのための直交符号の長さに基づいて、決定され得る。例えば、ＬＴＥプロトコルにおいては、ＣＤＭ２およびＣＤＭ４が、定義され、したがって、ａの値は、｛２，４｝内のいずれかの値であり得る。
【０１２６】
Ｃ．シンボル内の、アンテナポートによって占有されるＲＥの量。具体的な値は、パイロットパターン（ｐａｔｔｅｒｎ）に基づいて、決定され得る。例えば、ＬＴＥプロトコルにおいては、ＣＤＭ４が、使用されるとき、１つのＲＢ内の１つのシンボル内の、アンテナポートによって占有されるＲＥの量は、２であり得る。ＮＲにおいては、リソースユニットがＲＢであると仮定すると、ＣＳＩ−ＲＳの密度は、ＬＴＥにおけるそれと同じ、すなわち、１ＲＥ／ポート／ＲＢに等しくてよく、または１ＲＥ／ポート／ＲＢよりも大きくてよい。その場合、１つのＲＢ内の１つのシンボル内の、アンテナポートによって占有されるＲＥの量は、周波数領域ＣＤＭ値に密度を乗算したものに等しい。しかしながら、１つのシンボル内の、１つのアンテナポートによって占有されるＲＥの量は、１つのＲＢ内のサブキャリアの量（例えば、１つのＲＢ内のサブキャリアの量は１２である）を超えないことが理解され得る。ａの値は、２、４、８、または１２であり得る。
【０１２７】
結論として、第１のパラメータａの値は、｛２，４，８，１２｝のうちの少なくとも１つであり得る。
【０１２８】
第１のパラメータａについての上で列挙された具体的な値は、もっぱら例として説明されたものであること、または本発明のこの実施形態において提供される可能な値であり得ることが理解されるべきである。しかしながら、これは、本発明のこの実施形態に対するいかなる限定としても構成されるべきではない。系列長を増加させるように、第１のパラメータａを定義することによって、パイロット系列を生成する任意の方法が、本出願の保護範囲内に包含されるものとし、本出願は、将来のプロトコルにおいて、第１のパラメータａに対して、より多くの値が定義され得る可能性を排除しない。
【０１２９】
さらに、第１のパラメータａは、１つの値を有してよく、または複数の値を有してよい。１つまたは複数の値は、静的に構成され得、または半静的に構成され、もしくは動的に構成され得る。
【０１３０】
具体的には、第１のパラメータａが、１つの値を有するとき、第１のパラメータは、少なくとも、以下の２つの方法を使用することによって、構成され得る。
【０１３１】
方法１：第１のパラメータａは、事前構成される。具体的には、第１のパラメータａの値は、プロトコルにおいて規定され得る。パイロット系列を生成するために、ネットワークデバイスと端末デバイスのそれぞれに対して、パラメータが、構成され得る。このケースにおいては、第１のパラメータａは、静的に構成されると考えられ得る。
【０１３２】
あるいは、第１のパラメータａの定義ルールが、プロトコルにおいて規定され得、第１のパラメータａの定義ルールは、ネットワークデバイスと端末デバイスが、同じ定義ルールに従って、第１のパラメータを決定するように、ネットワークデバイスと端末デバイスのそれぞれにおいて、構成される。例えば、第１のパラメータとＣＤＭ直交符号長との間のマッピング関係が、プロトコルにおいて定義され得、ＣＤＭ直交符号長が、決定されたとき、対応する第１のパラメータａが、上述のマッピング関係に基づいて、決定され得る。このケースにおいては、第１のパラメータａは、半静的に構成されると考えられ得る。
【０１３３】
方法２：ネットワークデバイスは、第１のパラメータａを決定し、第１のパラメータａを端末デバイスに送信する。
【０１３４】
具体的には、ネットワークデバイスは、ＣＤＭ直交符号長およびＣＳＩ−ＲＳ密度などの因子に基づいて、第１のパラメータａを決定し得、シグナリングを通して、第１のパラメータａについて端末デバイスに通知する。このケースにおいては、第１のパラメータａは、半静的に構成され、または動的に構成され得る。
【０１３５】
任意選択で、ネットワークデバイスは、無線リソース制御（ｒａｄｉｏ  ｒｅｓｏｕｒｃｅ  ｃｏｎｔｒｏｌ、ＲＲＣ）メッセージを、端末デバイスに送信し、ＲＲＣメッセージが、第１のパラメータａを搬送する。
【０１３６】
任意選択で、ネットワークデバイスは、媒体アクセス制御（ｍｅｄｉａ  ａｃｃｅｓｓ  ｃｏｎｔｒｏｌ、ＭＡＣ）制御要素（ｃｏｎｔｒｏｌ  ｅｌｅｍｅｎｔ、ＣＥ）を、端末デバイスに送信し、ＭＡＣ−ＣＥが、第１のパラメータａを搬送する。
【０１３７】
任意選択で、ネットワークデバイスは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を、端末デバイスに送信し、ＰＤＣＣＨが、第１のパラメータａを搬送する。具体的には、第１のパラメータは、ＰＤＣＣＨ上のダウンリンク制御情報（ｄｏｗｎｌｉｎｋ  ｃｏｎｔｒｏｌ  ｉｎｆｏｒｍａｔｉｏｎ、ＤＣＩ）において、搬送され得る。
【０１３８】
第１のパラメータを送信するために使用される上で列挙されたシグナリングは、もっぱら例として説明されたものであり、本発明のこの実施形態に対するいかなる限定としても構成されるべきではなく、本発明のこの実施形態は、それに限定されるべきでもないことが理解されるべきである。第１のパラメータを搬送することができるいずれのシグナリングも、本出願の保護範囲内に包含されるべきである。
【０１３９】
第１のパラメータａが、複数の値を有するとき、第１のパラメータａは、半静的に構成され、または動的に構成され得る。このケースにおいては、第１のパラメータａは、上述の方法を使用することによって、構成されてもまたよい。
【０１４０】
具体的には、複数の第１のパラメータａは、ＲＲＣメッセージを使用することによって、搬送され得、その場合、現在のサブフレームにおいて使用される第１のパラメータａは、ＤＣＩを使用することによって示される。現在使用される第１のパラメータａは、複数の第１のパラメータａのいずれか１つであることが理解され得る。
【０１４１】
第１のパラメータａが、決定された後、ネットワークデバイスは、第１のパラメータａに基づいて、第１のパイロット系列を生成し得る。
【０１４２】
具体的には、ネットワークデバイスは、以下の方法のいずれか１つを使用することによって、第１のパイロット系列を生成し得る。
【０１４３】
方法１：
【０１４４】
ネットワークデバイスは、以下の式に従って、第１のパイロット系列を生成し得る。
【０１４５】
【数２９】
2020516113.tif 000123
【０１４６】
【数３０】
2020516113.tif 000124
【０１４７】
であり、
【０１４８】
【数３１】
2020516113.tif 000125
【０１４９】
は、第ｎsのスロット内の第ｌのシンボル内の第ｂのＣＳＩ−ＲＳの値を表し、値は、ｂの関数ｇ（ｂ）であり得る。
【０１５０】
第１のパイロット系列の系列長は、Ｎであり、Ｎは、第１のパラメータａの関数であり、
【０１５１】
【数３２】
2020516113.tif 000126
【０１５２】
であることが理解され得る。例えば、
【０１５３】
【数３３】
2020516113.tif 000127
【０１５４】
、
【０１５５】
【数３４】
2020516113.tif 000128
【０１５６】
、および
【０１５７】
【数３５】
2020516113.tif 000129
【０１５８】
であり、簡潔にするために、例が、本明細書において、再び列挙されることはない。上で列挙されたｆ（）形式は、もっぱら例として説明されており、本発明のこの実施形態に対するいかなる限定としても構成されるべきではないことが理解されるべきである。それを使用することによって、パイロット系列長Ｎが、第１のパラメータａに基づいて決定され、決定された系列長Ｎが、既存のパイロット系列長
【０１５９】
【数３６】
2020516113.tif 000130
【０１６０】
よりも大きくなる、すべての関数が、本出願の保護範囲内に包含されるものとする。
【０１６１】
理解を容易にするために、第１のパイロット系列を生成する具体的な処理は、ＬＴＥプロトコルにおいて定義される
【０１６２】
【数３７】
2020516113.tif 000131
【０１６３】
を参照して、説明される。本発明のこの実施形態においては、第１のパイロット系列は、ＰＮ系列を使用することによって、生成され、ＰＮ系列は、以下の式を使用することによって、獲得され得る。
【０１６４】
【数３８】
2020516113.tif 000132
【０１６５】
式において、ｃ、ｂ、およびＮの定義は、上で説明されており、本明細書で繰り返し説明されることはない。本発明のこの実施形態においては、ｃの長さは、第１のパイロット系列の系列長Ｎに基づいて、決定され、例えば、パイロット系列長Ｎの２倍であり得る。
【０１６６】
【数３９】
2020516113.tif 000133
【０１６７】
は、パイロット系列の識別子を表し、本発明のこの実施形態においては、
【０１６８】
【数４０】
2020516113.tif 000134
【０１６９】
は、ＬＴＥにおける値を参照してよく、または再構成されてよい。ＮCPは、サイクリックプレフィックス識別子を表し、本発明のこの実施形態においては、ＮCPは、ＬＴＥにおける値を参照してよく、または再構成されてよい。
【０１７０】
理解および説明を容易にするために、式（２）に従って、ネットワークデバイスによって、第１のパイロット系列を生成する処理は、上で列挙された第１のパラメータａの値を参照して、例として
【０１７１】
【数４１】
2020516113.tif 000135
【０１７２】
を使用することによって、以下で詳細に説明される。
【０１７３】
【数４２】
2020516113.tif 000136
【０１７４】
は、ダウンリンク帯域幅内に含まれる、リソースユニットの最大量であり得る。例えば、
【０１７５】
【数４３】
2020516113.tif 000137
【０１７６】
は、既存のＬＴＥにおいて、ダウンリンク帯域幅内に含まれる、ＲＢの最大量であり得、
【０１７７】
【数４４】
2020516113.tif 000138
【０１７８】
である。
【０１７９】
第１のパラメータａは、１つのＲＢ内の１つのシンボル内のＲＥの量であることが仮定される。ＬＴＥにおいては、１つのＲＢ内の１つのシンボル内のＲＥの量は、すなわち、ａ＝１２であり、第１のパイロット系列の系列長Ｎは、１３２０に等しく、ｂ＝０，１，．．．，１３１９である。ｂの値に対し、［０，１３１９］の範囲の値を順番に取ることによって、１３２０個の系列要素、すなわち、
【０１８０】
【数４５】
2020516113.tif 000139
【０１８１】
、
【０１８２】
【数４６】
2020516113.tif 000140
【０１８３】
、．．．、
【０１８４】
【数４７】
2020516113.tif 000141
【０１８５】
が、獲得され得、ｂの各値は、系列要素に対応し、各系列要素は、ＣＳＩ−ＲＳの値として理解され得る。
【０１８６】
例えば、ｂ＝０であるとき、
【０１８７】
【数４８】
2020516113.tif 000142
【０１８８】
であり、ｂ＝１であるとき、
【０１８９】
【数４９】
2020516113.tif 000143
【０１９０】
である。
【０１９１】
類推によって、２２０個の系列要素が、獲得され得る。簡潔にするために、本明細書においては、系列要素は、１つ１つ列挙されない。
【０１９２】
第１のパラメータａが、２、４、８、または１２のうちの少なくとも１つであることが仮定され、例として、ａ＝２を使用すると、第１のパイロット系列の系列長Ｎは、２２０に等しく、ｂ＝０，１，．．．，２１９である。ｂの値に対し、［０，２１９］の範囲の値を順番に取ることによって、２２０個の系列要素、すなわち、
【０１９３】
【数５０】
2020516113.tif 000144
【０１９４】
、
【０１９５】
【数５１】
2020516113.tif 000145
【０１９６】
、．．．、
【０１９７】
【数５２】
2020516113.tif 000146
【０１９８】
が、獲得され得る。ｂの各値は、系列要素に対応し、各系列要素は、ＣＳＩ−ＲＳの値として理解され得る。
【０１９９】
第１のパラメータａは、周波数領域ＣＤＭの際にアンテナポートによって使用される直交符号の長さであることが仮定される。ＮＲにおいては、ＣＳＩ−ＲＳは、同じシンボル内に構成されるので、使用されるＣＤＭは、周波数領域ＣＤＭである。ＬＴＥにおいては、ＣＤＭ２およびＣＤＭ４が、定義される。例として、ａ＝４を使用すると、第１のパイロット系列の系列長Ｎは、４４０に等しく、ｂ＝０，１，．．．，４３９である。ｂの値に対し、［０，４３９］の範囲の値を順番に取ることによって、４４０個の系列要素、すなわち、
【０２００】
【数５３】
2020516113.tif 000147
【０２０１】
、
【０２０２】
【数５４】
2020516113.tif 000148
【０２０３】
、．．．、
【０２０４】
【数５５】
2020516113.tif 000149
【０２０５】
が、獲得され得る。ｂの各値は、系列要素に対応し、各系列要素は、ＣＳＩ−ＲＳの値として理解され得る。
【０２０６】
方法１における式（２）は、既存のＬＴＥプロトコルにおいて定義されたＰＮ系列生成式に酷似しており、したがって、先行技術と非常に互換性があり、加えて、系列長は、増加させられ、パイロット系列間の相関は、低減させられる。
【０２０７】
方法２：
【０２０８】
ネットワークデバイスは、以下の式に従って、第１のパイロット系列を生成し得る。
【０２０９】
【数５６】
2020516113.tif 000150
【０２１０】
【数５７】
2020516113.tif 000151
【０２１１】
であり
【０２１２】
【数５８】
2020516113.tif 000152
【０２１３】
は、第ｎsのスロット内の第ｌのシンボル内の第ｍのリソースユニット内の第ｎのＣＳＩ−ＲＳの値を表し、値は、ｍとｎの関数ｈ（ｍ，ｎ）であり得る。第１のパイロット系列の系列長Ｎは、方法１において定義された系列長と同じであり得、簡潔にするために、詳細が、本明細書で再び説明されることはない。
【０２１４】
理解を容易にするために、第１のパイロット系列を生成する具体的な処理は、ＬＴＥプロトコルにおいて定義される
【０２１５】
【数５９】
2020516113.tif 000153
【０２１６】
を参照して、説明される。本発明のこの実施形態においては、第１のパイロット系列は、ＰＮ系列を使用することによって、生成され、ＰＮ系列は、以下の式を使用することによって、獲得され得る。
【０２１７】
【数６０】
2020516113.tif 000154
【０２１８】
式において、ｃ、ｍ、ｎ、およびＮの定義は、上で説明されており、本明細書で繰り返し説明されることはない。
【０２１９】
方法２においては、リソースユニットの数ｍが、ＰＮ系列生成式（すなわち、式（３））に代入されるので、各リソースユニットにおける系列要素は、より具体的に限定される。
【０２２０】
理解を容易にするために、式（３）に従って、ネットワークデバイスによって、第１のパイロット系列を生成する処理は、上で列挙された第１のパラメータａの値を参照して、例として
【０２２１】
【数６１】
2020516113.tif 000155
【０２２２】
をやはり使用することによって、以下で詳細に説明される。
【０２２３】
【数６２】
2020516113.tif 000156
【０２２４】
は、ダウンリンク帯域幅内に含まれる、リソースユニットの最大量であり得る。例えば、
【０２２５】
【数６３】
2020516113.tif 000157
【０２２６】
は、既存のＬＴＥにおいてダウンリンク帯域幅内に含まれる、ＲＢの最大量であり得、
【０２２７】
【数６４】
2020516113.tif 000158
【０２２８】
である。
【０２２９】
第１のパラメータａは、１つのＲＢ内の１つのシンボル内のＲＥの量であることが仮定される。ＬＴＥにおいては、１つのＲＢ内の１つのシンボル内のＲＥの量は、すなわち、ａ＝１２であり、第１のパイロット系列の系列長Ｎは、１３２０に等しく、ｂ＝０，１，．．．，１３１９である。ｍの値は、０、１、．．．、または
【０２３０】
【数６５】
2020516113.tif 000159
【０２３１】
であり、すなわち、ｍの値は、［０，１０９］の範囲の値を順番に取る。系列長は、
【０２３２】
【数６６】
2020516113.tif 000160
【０２３３】
であるので、ｎの値は、０、１、．．．、またはａ−１であり、すなわち、ｎの値は、［０，１１］の範囲の値を順番に取る。すなわち、ｍの値が、選択されるたびに、ｎは、［０，１１］の範囲の値を順番に取る。
【０２３４】
例えば、ｍ＝０であるとき、ｎ＝０、１、．．．、または１１である。
【０２３５】
【数６７】
2020516113.tif 000161
【０２３６】
類推によって、ｍ＝０であるとき、１２個の系列要素が、獲得され得る。簡潔にするために、本明細書においては、系列要素は、１つ１つ列挙されない。その後、ｍ＝１、２、．．．、または１０９であるとき、ｎの値は、［０，１１］の範囲の値を順番に取り、１２個の系列要素が、獲得され得る。第１のパラメータａが、異なる値を有するとき、ネットワークデバイスは、やはり上述の方法に従って、対応する系列要素を生成し得る。簡潔にするために、本明細書においては、例は、１つ１つ説明されない。
【０２３７】
言い換えると、ｍの各値は、リソースユニットに対応し、ｍの値が、与えられたとき、ｎの各値は、ＲＢにおける系列要素に対応する。方法２における式（３）と、方法１における式（２）との間の相違は、各系列要素がマッピングされるＲＥが、より多くの次元で制限される点にある。
【０２３８】
方法１と方法２における第１のパイロット系列を生成するための式は、異なるが、実際には、第１のパラメータが、与えられたとき、方法１と方法２に従って生成されるパイロット系列の系列要素は、同じであり、パイロット系列の系列長も、同じであることが留意されるべきである。パイロット系列は、方法１および方法２の異なる計算方法を使用することによって、獲得される。加えて、本発明のこの実施形態は、獲得されたパイロット系列長が、先行技術におけるパイロット系列長よりも大きくなるように、第１のパイロット系列が、別の可能な式を使用することによって、生成され得る可能性を排除しない。
【０２３９】
Ｓ３２０。ネットワークデバイスは、第１のＣＳＩ−ＲＳを搬送するために使用される複数のＲＥを決定し、第１のＣＳＩ−ＲＳの値は、第１のパイロット系列から選択される。
【０２４０】
ネットワークデバイスは、チャネル測定のために、複数のアンテナポートを使用することによって、ＣＳＩ−ＲＳを１つまたは複数の端末デバイスに送信し得ることが留意されるべきである。複数のＣＳＩ−ＲＳを送信するとき、ネットワークデバイスは、生成された第１のパイロット系列におけるＣＳＩ−ＲＳの値を決定し、値を時間−周波数リソース上にマッピングし、アンテナポートを区別するために、多重符号を使用することによって、値をロードし、最後に、時間−周波数リソースを使用することによって、複数のＣＳＩ−ＲＳを一緒に送信し得る。本発明のこの実施形態においては、区別および説明を容易にするために、ネットワークデバイスによってＣＳＩ−ＲＳを送信する具体的な処理は、例として、第１のアンテナポートを使用することによって、ネットワークデバイスによって送信される、（例えば、第１のＣＳＩ−ＲＳと呼ばれる）ＣＳＩ−ＲＳを使用することによって、詳細に説明される。しかしながら、これは、本発明のこの実施形態に対するいかなる限定としても構成されるべきではなく、それは、第１のＣＳＩ−ＲＳが配置される複数のＲＥが、第１のＣＳＩ−ＲＳだけを送信するために使用されることを意味せず、第１のＣＳＩ−ＲＳを搬送するために使用される複数のＲＥは、別のアンテナポートのＣＳＩ−ＲＳ、例えば、第２のアンテナポートの（例えば、第２のＣＳＩ−ＲＳと呼ばれる）ＣＳＩ−ＲＳも搬送することができる。同じＲＥ上において搬送される第１のＣＳＩ−ＲＳおよび第２のＣＳＩ−ＲＳの値は、第１のパイロット系列内の同じ系列要素から選択され、すなわち、同じＲＥ上において搬送される第１のＣＳＩ−ＲＳおよび第２のＣＳＩ−ＲＳの値は、同じであり得ることが理解され得る。同じ値を有する第１のＣＳＩ−ＲＳと第２のＣＳＩ−ＲＳは、符号分割を通して、同じ時間−周波数リソース上に多重化され得る。さらに、第１のＣＳＩ−ＲＳと第２のＣＳＩ−ＲＳは、同じ端末デバイスに送信されるＣＳＩ−ＲＳであってよく、または異なる端末デバイスに送信されるＣＳＩ−ＲＳであってよい。これは、本発明のこの実施形態に特に限定されない。
【０２４１】
本明細書においては、一般性を失うことなく、本発明のこの実施形態は、例として、ネットワークデバイスによって第１のＣＳＩ−ＲＳを送信する処理を使用することによって、詳細に説明される。異なるアンテナポートを使用することによって、ネットワークデバイスによって、ＣＳＩ−ＲＳを送信する具体的な処理は、ネットワークデバイスによって、第１のＣＳＩ−ＲＳを送信する具体的な処理と同じであることが理解され得る。
【０２４２】
Ｓ３１０において、第１のパイロット系列を生成した後、ネットワークデバイスは、ＣＳＩ−ＲＳの第１のパラメータに基づいて、現在使用されるパイロットパターンを決定し、パイロットパターンにおける系列要素とＲＥとの間のマッピング関係に基づいて、第１のＣＳＩ−ＲＳを搬送するために使用される複数のＲＥを決定し、第１のパイロット系列内のいくつかまたはすべての系列要素（すなわち、第１のＣＳＩ−ＲＳの複数の値）を、複数のＲＥ上にマッピングし得る。
【０２４３】
ネットワークデバイスによって第１のパイロット系列を生成するための方法は、本発明のこの実施形態において上で説明されたＳ３１０の方法であってよく、または先行技術におけるパイロット系列生成方法を参照してよく、Ｓ３１０は、任意選択のステップとして使用されることが留意されるべきである。言い換えると、第１のパイロット系列を生成するための可能な実装は、本発明のこの実施形態に対するいかなる限定としても構成されるべきではなく、本発明のこの実施形態は、それに限定されるべきでもない。
【０２４４】
本発明のこの実施形態においては、第１のパイロット系列が、ステップＳ３１０を通して、獲得される場合、系列要素とＲＥとの間のマッピング関係は、Ｓ３１０におけるｂとＲＥとの間のマッピング関係、またはｍとｎとＲＥとの間のマッピング関係を使用することによって、反映され得る。例えば、第ｂの系列要素は、リソースユニット内のＲＥにマッピングされ、または第ｍのリソースユニット内の第ｎの系列要素は、第ｍのリソースユニット内のＲＥにマッピングされる。
【０２４５】
パイロットパターン、および系列要素とＲＥとの間のマッピング関係は、事前構成され得、またはマッピング関係は、先行技術におけるパイロット要素とＲＥとの間のマッピングルールを参照することによって、決定され得ることが留意されるべきである。本発明のこの実施形態においては、パイロットパターン、および系列要素とＲＥとの間のマッピング関係は、特に限定されない。
【０２４６】
本発明のこの実施形態においては、第１のＣＳＩ−ＲＳを搬送するために使用される複数のＲＥは、複数のリソースユニット上に分散され得る。各リソースユニットにおいて、第１のＣＳＩ−ＲＳを搬送するために使用される複数のＲＥは、同じシンボル内の複数のサブキャリア上に配置される。さらに、同じリソースユニット内の複数のＲＥにおいて、少なくとも２つのＲＥ上において搬送される第１のＣＳＩ−ＲＳの値は、異なり、第１のＣＳＩ−ＲＳの値は、第１の多重符号（区別を容易にするために、第１のアンテナポートに対応する多重符号は、第１の多重符号と呼ばれる）を使用することによって、リソースユニットにおける複数のＲＥにロードされ得る。
【０２４７】
言い換えると、各リソースユニットについて、ネットワークデバイスは、少なくとも２つの異なる系列要素を、Ｓ３１０において生成された第１のパイロット系列から選択し、系列要素をＲＥ上にマッピングし得る。したがって、各リソースユニット内の各シンボル内の第１のＣＳＩ−ＲＳの系列長は、２以上である。
【０２４８】
同じシンボル内にあり、各リソースユニットにおいて第１のＣＳＩ−ＲＳを搬送するために使用される複数のＲＥが配置される、複数のサブキャリアの量は、リソースユニット内の、第１のＣＳＩ−ＲＳによって占有されるＲＥの量である。任意選択で、同じシンボル内にあり、各リソースユニットにおいて第１のＣＳＩ−ＲＳを搬送するために使用される複数のＲＥが配置される、複数のサブキャリアの量は、｛２，４，８，１２｝内のいずれかの値であり得る。すなわち、各リソースユニットにおいて、第１のＣＳＩ−ＲＳによって占有されるＲＥの量は、２、４、８、または１２であり得る。しかしながら、これは、各リソースユニットにおける第１のＣＳＩ−ＲＳの系列長が、２、４、８、または１２であることを意味しないことが留意されるべきである。第１のＣＳＩ−ＲＳの系列長は、リソースユニットにおける異なる系列要素の量に基づいて、定義される必要がある。各リソースユニットにおける複数のＲＥは、周波数領域において連続であってよく、または不連続であってよいことが理解されるべきである。これは、本発明のこの実施形態に特に限定されない。
【０２４９】
任意選択で、各リソースユニット内の複数のＲＥ上において搬送される第１のＣＳＩ−ＲＳの値は、互いに異なる。
【０２５０】
すなわち、各リソースユニット内の複数のＲＥのうちの任意の２つの上において搬送される第１のＣＳＩ−ＲＳの値は、異なる。
【０２５１】
言い換えると、各リソースユニット内の複数のＲＥ上において搬送される第１のＣＳＩ−ＲＳの値が、互いに異なり、第１のＣＳＩ−ＲＳが、リソースユニット内のｓ個（ｓ≧２、ｓは自然数）のＲＥを占有する場合、リソースユニットにおける第１のＣＳＩ−ＲＳの系列長は、ｓである。
【０２５２】
例えば、第１のＣＳＩ−ＲＳが、各ＲＢ（すなわち、リソースユニットの例）において１２個のＲＥを占有し、１２個のＲＥ上において搬送される第１のＣＳＩ−ＲＳの値が、互いに異なる場合、第１のＣＳＩ−ＲＳは、シンボル内の１２個のサブキャリアを完全に占有する。上で説明された式（２）に対応して、ネットワークデバイスは、ｂのための１２個の異なる値を選択し（ｂの具体的な値は、系列要素とＲＥとの間の事前定義されたマッピング関係に基づいて、決定され得る）、１２個の異なる系列要素を獲得する。あるいは、上で説明された式（３）に対応して、ネットワークデバイスは、現在のＲＢの番号に基づいて、ｍの値を決定し、ｎの値が［０，１１］の範囲の値を順番に取るようにし、１２個の異なる系列要素を獲得し得る。ネットワークデバイスは、事前定義されたマッピング関係に基づいて、１２個の系列要素を１つずつ、同じシンボル内の１２個のサブキャリア上にマッピングする。このケースにおいては、第１のＣＳＩ−ＲＳと、別のＣＳＩ−ＲＳ（例えば、第２のＣＳＩ−ＲＳ）は、２の長さを有するＯＣＣ符号の６つのセットを使用することによって、符号分割多重を実装し得る。
【０２５３】
別の例として、第１のＣＳＩ−ＲＳが、各ＲＢにおいて２つのＲＥを占有する場合、２つのＲＥ上において搬送される第１のＣＳＩ−ＲＳの値は、明確に異なり、その場合、第１のＣＳＩ−ＲＳは、シンボル内の２つのサブキャリアを占有する。第１のＣＳＩ−ＲＳは、各ＲＢにおいて２つのＲＥを占有することが留意されるべきである。これは、第１のパイロット系列の第１のパラメータａの値が、２であることを意味せず、第１のパラメータａは、２であってよく、または２よりも大きい自然数であってよい。
【０２５４】
本発明のこの実施形態の理解を容易にするために、以下では、添付の図面を参照して、異なるアンテナポート量とパイロットパターンとの間の対応について説明する。
【０２５５】
アンテナポート量が２であると仮定すると、ネットワークデバイスは、各アンテナポートに対応するＣＳＩ−ＲＳが、各ＲＢ（すなわち、リソースユニットの例）において２つのＲＥを占有し得ると決定する。
【０２５６】
図４および図５は、本発明の実施形態に従った、パイロットパターンの概略図である。具体的には、図４および図５は、アンテナポート量が２であるときの、ＣＳＩ−ＲＳの可能なパイロットパターンを示している。図４に示されるように、第１のＣＳＩ−ＲＳを搬送するために使用される２つのＲＥは、同じシンボル内に分散され得る。例えば、図に示される、第１のＣＳＩ−ＲＳを搬送するために使用される２つのＲＥは、シンボル＃５に配置され、２つのＲＥは、サブキャリア＃１０とサブキャリア＃１１上に配置される。図５に示されるように、第１のＣＳＩ−ＲＳを搬送するために使用される２つのＲＥは、同じシンボル、例えば、図に示されるシンボル＃５内に分散され得、２つのＲＥは、サブキャリア＃８とサブキャリア＃９上に配置される。類推によって、第１のＣＳＩ−ＲＳを搬送するために使用される２つのＲＥは、同じシンボル内に配置される任意の２つのサブキャリア、例えば、図に示されていない、サブキャリア＃６とサブキャリア＃７、およびサブキャリア＃４とサブキャリア＃５上に配置され得る。さらに、２つのアンテナポートにおけるＣＳＩ−ＲＳは、多重符号を使用することによって、区別され得、すなわち、周波数領域ＣＤＭが、実装される。
【０２５７】
第１のパイロット系列に関しては、２つのＲＥ上において搬送される第１のＣＳＩ−ＲＳの値は、式（２）におけるｂの異なる値に対応し、または式（３）におけるｍおよびｎの異なる値に対応する。
【０２５８】
ａ＝２である場合、上で説明された式（２）に対応して、ネットワークデバイスは、ｂのための２つの異なる値を選択し（ｂの具体的な値は、系列要素とＲＥとの間の事前定義されたマッピング関係に基づいて、決定され得る）、２つの異なる系列要素を獲得する。あるいは、上で説明された式（３）に対応して、ネットワークデバイスは、現在のＲＢの番号に基づいて、ｍの値を決定し、ｎのために値０および１を選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２５９】
ａ＝１２である場合、上で説明された式（２）に対応して、ネットワークデバイスは、ｂのための２つの異なる値を選択する（ｂの具体的な値は、系列要素とＲＥとの間の事前定義されたマッピング関係に基づいて、決定され得る）。例えば、ネットワークデバイスは、占有されたＲＥのサブキャリアの番号に基づいて、値を選択し、２つの異なる系列要素を獲得し得る。あるいは、上で説明された式（３）に対応して、ネットワークデバイスは、現在のＲＢの番号に基づいて、ｍの値を決定し、ｎのための２つの値を［０，１１］から選択し得る。例えば、ネットワークデバイスは、占有されたＲＥのサブキャリアの番号に基づいて、値を選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２６０】
ａ＝４または８である場合、上で説明された式（２）に対応して、ネットワークデバイスは、ｂのための２つの異なる値を選択し（ｂの具体的な値は、系列要素とＲＥとの間の事前定義されたマッピング関係に基づいて、決定され得る）、２つの異なる系列要素を獲得する。あるいは、上で説明された式（３）に対応して、ネットワークデバイスは、現在のＲＢの番号に基づいて、ｍの値を決定し、２つの値を選択し、例えば、ｎのための任意の２つの値を［０，３］または［０，７］から選択し、２つの異なる系列要素を獲得し得る。ネットワークデバイスは、事前定義されたマッピング関係に基づいて、２つの系列要素を１つずつ、同じシンボル内の２つのサブキャリア上にマッピングする。
【０２６１】
アンテナポート量が４であると仮定すると、ネットワークデバイスは、ＣＤＭ２が使用されるときは、各アンテナポートに対応するＣＳＩ−ＲＳは、各ＲＢ（すなわち、リソースユニットの例）内の２つのＲＥを占有し得、ＣＤＭ４が使用されるときは、４つのＲＥを占有し得ると決定する。
【０２６２】
図６および図７は、本発明の実施形態に従った、パイロットパターンの他の概略図である。具体的には、図６および図７は、アンテナポート量が４であるときの、ＣＳＩ−ＲＳの可能なパイロットパターンを示している。図６に示されるように、第１のＣＳＩ−ＲＳを搬送するために使用される４つのＲＥは、同じシンボル内に分散され得る。例えば、図に示される、第１のＣＳＩ−ＲＳを搬送するために使用される４つのＲＥは、シンボル＃５に配置され、４つのＲＥは、サブキャリア＃８からサブキャリア＃１１上に配置される。図７に示されるように、第１のＣＳＩ−ＲＳを搬送するために使用される４つのＲＥは、同じシンボル内に分散され得、例えば、シンボル＃５が、図には示されており、４つのＲＥは、サブキャリア＃４からサブキャリア＃７上に配置される。類推によって、第１のＣＳＩ−ＲＳを搬送するために使用される４つのＲＥは、同じシンボル内のサブキャリア＃０からサブキャリア＃３上に配置され得、それは、図に示されていない。さらに、４つのアンテナポートにおけるＣＳＩ−ＲＳは、多重符号を使用することによって、区別され得、すなわち、周波数領域ＣＤＭが、実装される。
【０２６３】
各リソースユニットにおいて第１のＣＳＩ−ＲＳを搬送するために使用されるＲＥの量が、２よりも大きいとき、複数のＲＥのうちの少なくとも２つは、第１のＣＳＩ−ＲＳの異なる値を搬送する。したがって、値が、第１のＣＳＩ−ＲＳのための第１のパイロット系列から選択されるとき、（式（２）に対応する）ｂの２つの異なる値、または（式（３）に対応する）（ｍ，ｎ）の異なる値の２つのセットが、選択され得る。式（３）に対応する（ｍ，ｎ）の異なる値の２つのセットにおいては、決定されたリソースユニットに対して、ｍの値が、与えられ、ｎのための２つの異なる値が、選択される。第１のＣＳＩ−ＲＳを生成するために、２つの異なる値を第１のパイロット系列から選択する具体的な処理は、アンテナポート量が２である例を参照して、上で詳細に説明された。簡潔にするために、詳細が、本明細書で再び説明されることはない。
【０２６４】
上で列挙されたアンテナポート量とパイロットパターンとの間の対応、および添付の図面に示されたパイロットパターンの概略図は、理解を容易にするための例として説明されたにすぎず、本発明のこの実施形態に対するいかなる限定としても構成されるべきではないことが理解されるべきである。アンテナポート量が増加させられたとき、例えば、アンテナポート量が８であるとき、周波数分割多重を実装するために、２倍のＣＤＭ４リソース、または４倍のＣＤＭ２リソースが、使用されると考えられてもまたよい。パイロットパターンがどのように構成されるかにかかわらず、１つのリソースユニット内の１つのシンボル内の、第１のＣＳＩ−ＲＳによって占有される複数のＲＥのうちの少なくとも２つが、ＣＳＩ−ＲＳの異なる値を搬送するならば、構成は、本発明のこの実施形態の保護範囲内に包含されるものとする。
【０２６５】
上で説明されたように、ネットワークデバイスは、複数のアンテナポートを使用することによって、複数のＣＳＩ−ＲＳを送信し得、複数のＣＳＩ−ＲＳは、周波数分割ＣＤＭを通して、時間−周波数リソース上に多重化され得る。
【０２６６】
任意選択で、各リソースユニットにおいて、第１のＣＳＩ−ＲＳを搬送するために使用される複数のＲＥは、第２のＣＳＩ−ＲＳを搬送し、第２のＣＳＩ−ＲＳを搬送するために使用される複数のＲＥのうちの少なくとも２つは、第２のＣＳＩ−ＲＳの異なる値を搬送し、第２のＣＳＩ−ＲＳの値は、第２の多重符号（区別および説明を容易にするために、第２のアンテナポートに対応する多重符号は、第２の多重符号と呼ばれる）を使用することによって、複数のＲＥにロードされる。
【０２６７】
実際に、第１のＣＳＩ−ＲＳと第２のＣＳＩ−ＲＳが、同じリソースユニット内の同じＲＥを占有するとき、第ｉのＲＥ（ｊ＞ｉ≧０であり、ｉは整数であり、ｊはリソースユニットにおけるサブキャリアの量を示す）上における第１のＣＳＩ−ＲＳの値と、第ｉのＲＥ上における第２のＣＳＩ−ＲＳの値は、同じである。このケースにおいては、値は、異なる多重符号を使用することによって、区別され得る。
【０２６８】
任意選択で、多重符号は、ＣＤＭ符号、例えば、ＯＣＣ符号であり得る。
【０２６９】
ネットワークデバイスは、ＣＤＭを通して、異なるアンテナポートにおけるＣＳＩ−ＲＳを区別し得る。すなわち、同じ時間−周波数リソース（例えば、ＲＥ）上において構成される系列要素は、ＣＤＭ符号を使用することによって、区別される。同じＲＥ上において構成されるＣＳＩ−ＲＳの値は、同じであり得るが、異なるアンテナポートに対応するＣＤＭ符号は、異なり得る。
【０２７０】
例として、２つのアンテナポートを使用すると、ＯＣＣ符号は、２ビットであり得る。ネットワークデバイスは、異なるＯＣＣ符号を使用することによって、２つのアンテナポートを区別し得る。例えば、アンテナポート（ｐｏｒｔ）＃１５に対応して、使用されるＯＣＣ符号は、［１，１］であり得、アンテナポート（ｐｏｒｔ）＃１６に対応して、使用されるＯＣＣ符号は、［１，−１］であり得る。したがって、ポート＃１５およびポート＃１６においてＣＳＩ−ＲＳによって占有されるＲＥは、同じであり、ＣＳＩ−ＲＳの値は、同じであるが、ＯＣＣ符号は、異なり、２つのＣＳＩ−ＲＳは、互いの間の干渉を回避するために、直交符号をロードすることによって、互いに直交し得る。
【０２７１】
Ｓ３３０。ネットワークデバイスは、複数のＲＥを使用することによって、第１のＣＳＩ−ＲＳを端末デバイスに送信する。
【０２７２】
実際には、ネットワークデバイスが、複数のＲＥを使用することによって、第１のＣＳＩ−ＲＳを端末デバイスに送信するとき、リソースユニットは、送信のための最大ユニットとして使用され、同じリソースユニットにおいて、第１のＣＳＩ−ＲＳとは異なる他のデータが、さらに搬送され得る。したがって、Ｓ３４０において、端末デバイスは、ネットワークデバイスによって送信された信号を受信し、信号は、第１のＣＳＩ−ＲＳを含む。
【０２７３】
加えて、２つのネットワークデバイスが、同じ時間−周波数リソースと、同じ多重符号とを使用することによって、ＣＳＩ−ＲＳを送信するとき、各リソースユニットにおけるＣＳＩ−ＲＳの系列長は、１から少なくとも２まで増加させられるので、系列間の相関は、低減され、２つのＣＳＩ−ＲＳ間の干渉は、低減される。
【０２７４】
Ｓ３４０。端末デバイスは、複数のリソースユニット上において、ネットワークデバイスによって送信された信号を受信し、信号は、第１のＣＳＩ−ＲＳを含む。
【０２７５】
端末デバイスは、Ｓ３１０およびＳ３２０において説明された方法を参照して、ネットワークデバイスからの第１のＣＳＩ−ＲＳを搬送するために使用される複数のＲＥを決定し得る。
【０２７６】
任意選択で、方法３００は、
ネットワークデバイスによって送信された構成パラメータを、端末デバイスによって、受信するステップであって、構成パラメータは、第１のＣＳＩ−ＲＳを搬送する複数のＲＥを決定するために、使用される、ステップ
をさらに含む。
【０２７７】
具体的には、第１のＣＳＩ−ＲＳを端末デバイスに送信するとき、ネットワークデバイスは、構成パラメータ（ｃｏｎｆｉｇｕｒａｔｉｏｎ  ｐａｒａｍｅｔｅｒｓ）を端末デバイスに送信し得、第１のパラメータは、例えば、アンテナポート量、ＣＳＩ−ＲＳ送信周期、システムフレーム番号、ＣＳＩ−ＲＳを搬送するシンボルの番号、第１のＣＳＩ−ＲＳを搬送するリソースユニット（例えば、ＲＢ）の番号、ＣＤＭ値、およびパイロット密度を含み得る。端末デバイスは、第１のパラメータに基づいて、第１のＣＳＩ−ＲＳを搬送するために使用される複数のＲＥを決定し得る。
【０２７８】
Ｓ３５０。端末デバイスは、第１のＣＳＩ−ＲＳを搬送するために使用される複数のリソース要素ＲＥを決定し、複数のＲＥから第１のＣＳＩ−ＲＳを獲得する。
【０２７９】
端末デバイスが、Ｓ３４０において受信された信号から、第１のＣＳＩ−ＲＳを獲得することができるように、端末デバイスは、Ｓ３５０において、第１のＣＳＩ−ＲＳを搬送する複数のＲＥを決定する。
【０２８０】
ネットワークデバイスによって送信される第１のＣＳＩ−ＲＳは、ｘであり得、ネットワークデバイスは、複数のＲＥを使用することによって、チャネルを通して、第１のＣＳＩ−ＲＳを端末デバイスに送信することが当業者によって理解され得る。したがって、端末デバイスによって受信される信号は、ｙであり得る。ネットワークデバイスによって送信された第１のＣＳＩ−ＲＳのベクトルｘと、端末デバイスによって受信された信号のベクトルｙとの間の関係は、以下のように表され得る。
【０２８１】
ｙ＝Ｈｘ＋ｎ
【０２８２】
Ｈは、チャネル行列を表し、ｎは、受信機雑音を表す。受信機雑音ｎは、信号受信に対する影響を引き起こすことが容易に理解され得る。本発明のこの実施形態においては、説明を容易にするために、受信機雑音は、ゼロであり、信号は、正しく送信されることが仮定される。実際には、先行技術において、雑音を除去するために使用されることができる、複数のソリューションが存在する。簡潔にするために、以下では、同じまたは類似のケースについての説明は、省かれる。
【０２８３】
任意選択で、方法３００は、
第３のＣＳＩ−ＲＳを、端末デバイスによって、生成するステップ
をさらに含む。
【０２８４】
本発明のこの実施形態においては、区別および説明を容易にするために、端末デバイスによって生成されるＣＳＩ−ＲＳは、第３のＣＳＩ−ＲＳと呼ばれる。
【０２８５】
端末デバイスは、最初に、第１のパラメータに基づいて、第２のパイロット系列を生成し、次に、第３のＣＳＩ−ＲＳを獲得するために、パイロットパターンにおける系列要素とＲＥとの間の上で説明されたマッピング関係、およびＳ３４０において決定された第１のＣＳＩ−ＲＳのための複数のＲＥに基づいて、第３のＣＳＩ−ＲＳの値を決定し得ることが理解されるべきである。端末デバイスによって第３のＣＳＩ−ＲＳを生成する具体的な処理は、Ｓ３１０およびＳ３２０における、第１のパラメータに基づいてネットワークデバイスによって第１のパイロット系列を生成し、第１のＣＳＩ−ＲＳを搬送するために使用される複数のＲＥを決定する具体的な処理に類似していることが理解されるべきである。簡潔にするために、詳細が、本明細書で再び説明されることはない。
【０２８６】
さらに、ネットワークデバイスと端末デバイスによって使用される第１のパラメータは、同じであるので、パイロット系列を生成するために使用される式は、同じであり、系列要素とＲＥとの間のマッピング関係は、同じであり、端末デバイスによって生成される第３のＣＳＩ−ＲＳは、ネットワークデバイスによって生成される第１のＣＳＩ−ＲＳと同じであり、すなわち、第３のＣＳＩ−ＲＳは、ベクトルｘとして表され得る。
【０２８７】
任意選択で、方法３００は、
受信された第１のＣＳＩ−ＲＳと、生成された第３のＣＳＩ−ＲＳとに基づいて、端末デバイスによって、チャネル行列を推定するステップ
をさらに含む。
【０２８８】
Ｓ３５０の説明から、端末デバイスによって受信される第１のＣＳＩ−ＲＳは、ｙであり得、第１のパラメータに基づいて、端末デバイスによって生成される第３のＣＳＩ−ＲＳは、ｘであり得ることが知られることができる。したがって、Ｈの推定される値は、ｙ＝Ｈｘ＋ｎに従って、解かれ得る。
【０２８９】
端末デバイスは、データ送信のためのプリコーディング行列を決定するために、上述のステップを使用することによって、チャネル行列を推定することができる。
【０２９０】
したがって、本発明のこの実施形態においては、アンテナポートにおける、ＣＳＩ−ＲＳを搬送するために使用される複数のＲＥにおいて、各リソースユニット内の少なくとも２つのＲＥが、異なるＣＳＩ−ＲＳ値を有し、すなわち、各リソースユニット内の各シンボル内の各アンテナポートにおけるＣＳＩ−ＲＳの系列長が、増加させられ、パイロット系列間の相関が、低減させられ、ＣＳＩ−ＲＳ間の干渉が、低減させられ、それによって、より正確なチャネル推定を容易にする。
【０２９１】
本発明の実施形態に従った、基準信号送信方法および基準信号受信方法の詳細は、上述の実施形態においては、例として、ＰＮ系列を使用することによって説明されたことが理解されるべきである。しかしながら、これは、本発明の実施形態に対するいかなる限定としても構成されるべきではない。本出願は、将来のプロトコルにおいて、別の系列、例えば、ＺＣ系列を使用することによって、パイロット系列を生成する可能性も排除しない。本発明の実施形態に従った、基準信号送信方法および基準信号受信方法は、系列長を増加させ、パイロット系列間の相関を低減させるために、他の系列にも適用可能である。簡潔にするために、例として、他の系列が、本明細書において１つずつ説明されることはない。
【０２９２】
処理のシーケンス番号は、上述の実施形態における実行順序を意味しないことが理解されるべきである。処理の実行順序は、処理の機能および内部ロジックに従って、決定されるべきであり、本出願の実施形態の実装処理に対するいかなる限定としても構成されるべきではない。
【０２９３】
上では、図３から図７を参照して、本発明の実施形態における基準信号送信方法および基準信号受信方法について詳細に説明した。以下では、図８から図１１を参照して、本発明の実施形態におけるネットワークデバイスおよび端末デバイスについて詳細に説明する。
【０２９４】
図８は、本発明の実施形態に従った、ネットワークデバイス１０の概略ブロック図である。図８に示されるように、ネットワークデバイス１０は、決定モジュール１１と、送受信機モジュール１２とを含む。
【０２９５】
決定モジュール１１は、第１のＣＳＩ−ＲＳを搬送するために使用される複数のリソース要素ＲＥを決定するように構成され、複数のＲＥは、複数のリソースユニットに分散される。各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニット内の複数のＲＥにロードされる。
【０２９６】
送受信機モジュール１２は、複数のＲＥを使用することによって、第１のＣＳＩ−ＲＳを端末デバイスに送信するように構成される。
【０２９７】
任意選択で、各リソースユニットにおいて、同じシンボル内の複数のサブキャリアの量は、｛２，４，８，１２｝のうちの少なくとも１つである。
【０２９８】
任意選択で、各リソースユニット内の複数のＲＥ上において搬送される第１のＣＳＩ−ＲＳの値は、互いに異なる。
【０２９９】
任意選択で、複数のＲＥは、第２のＣＳＩ−ＲＳを搬送し、少なくとも２つのＲＥ上において搬送される第２のＣＳＩ−ＲＳの値は、異なり、第２のＣＳＩ−ＲＳの値は、第２の多重符号を使用することによって、複数のＲＥにロードされる。
【０３００】
任意選択で、第１のＣＳＩ−ＲＳの値は、以下の式を使用することによって、計算される。
【０３０１】
【数６８】
2020516113.tif 000162
【０３０２】
【数６９】
2020516113.tif 000163
【０３０３】
であり、ａは、第１のパラメータであり、
【０３０４】
【数７０】
2020516113.tif 000164
【０３０５】
は、ダウンリンクチャネル上に含まれるリソースユニットの最大量を表し、
【０３０６】
【数７１】
2020516113.tif 000165
【０３０７】
は、第ｎsのスロット内の第ｌのシンボル内の第ｂのＣＳＩ−ＲＳの値を表す。
【０３０８】
任意選択で、第１のＣＳＩ−ＲＳの値は、以下の式を使用することによって、計算される。
【０３０９】
【数７２】
2020516113.tif 000166
【０３１０】
ａは、第１のパラメータであり、
【０３１１】
【数７３】
2020516113.tif 000167
【０３１２】
は、ダウンリンクチャネル上に含まれるリソースユニットの最大量を表し、
【０３１３】
【数７４】
2020516113.tif 000168
【０３１４】
は、第ｎsのスロット内の第ｌのシンボル内の第ｍのリソースユニット内の第ｎのＣＳＩ−ＲＳの値を表す。
【０３１５】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【０３１６】
任意選択で、第１のパラメータａの値は、｛２，４，８，１２｝のうちの少なくとも１つを含む。
【０３１７】
任意選択で、第１のパラメータａは、事前構成される。
【０３１８】
任意選択で、第１のパラメータａは、ネットワークデバイスによって決定された後、端末デバイスに送信される。
【０３１９】
ネットワークデバイス１０は、本発明の実施形態に従った、基準信号送信方法３００または基準信号受信方法３００における、ネットワークデバイスに対応し得、ネットワークデバイス１０は、図３における、基準信号送信方法３００または基準信号受信方法３００における、ネットワークデバイスによって実行される方法を実行するように構成された、モジュールを含み得ることが理解されるべきである。さらに、ネットワークデバイス１０における様々なモジュール、ならびに上で説明された他の動作および／または機能は、図３における基準信号送信方法３００または基準信号受信方法３００の対応する手順を実装することを目的としたものである。具体的には、決定モジュール１１は、方法３００におけるＳ３１０およびＳ３２０を実行するように構成され、送受信機モジュール１２は、方法３００におけるＳ３３０を実行するように構成される。様々なモジュールによって上述の対応するステップを実行する具体的な処理は、方法３００において、詳細に説明されており、簡潔にするために、詳細が、本明細書で再び説明されることはない。
【０３２０】
図９は、本発明の実施形態に従った、端末デバイス２０の概略ブロック図である。図９に示されるように、端末デバイス２０は、送受信機モジュール２１と、決定モジュール２２と、獲得モジュール２３とを含む。
【０３２１】
送受信機モジュール２１は、複数のリソースユニット上において、ネットワークデバイスによって送信された信号を受信するように構成され、信号は、第１のＣＳＩ−ＲＳを含む。
【０３２２】
決定モジュール２２は、第１のＣＳＩ−ＲＳを搬送するために使用される複数のリソース要素ＲＥを決定するように構成され、複数のＲＥは、複数のリソースユニットに分散され各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされる。
【０３２３】
獲得モジュール２３は、複数のＲＥ上において第１のＣＳＩ−ＲＳを獲得するように構成される。
【０３２４】
任意選択で、各リソースユニットにおいて、同じシンボルにおける複数のサブキャリアの量は、｛２，４，８，１２｝のうちの少なくとも１つである。
【０３２５】
任意選択で、複数のＲＥ上において搬送される第１のＣＳＩ−ＲＳの値は、互いに異なる。任意選択で、第１のＣＳＩ−ＲＳの値は、以下の式を使用することによって、計算される。
【０３２６】
【数７５】
2020516113.tif 000169
【０３２７】
【数７６】
2020516113.tif 000170
【０３２８】
であり、ａは、第１のパラメータであり、
【０３２９】
【数７７】
2020516113.tif 000171
【０３３０】
は、ダウンリンクチャネル上に含まれるリソースユニットの最大量を表し、
【０３３１】
【数７８】
2020516113.tif 000172
【０３３２】
は、第ｎsのスロット内の第ｌのシンボル内の第ｂのＣＳＩ−ＲＳの値を表す。
【０３３３】
任意選択で、第１のＣＳＩ−ＲＳの値は、以下の式を使用することによって、計算される。
【０３３４】
【数７９】
2020516113.tif 000173
【０３３５】
ａは、第１のパラメータであり、
【０３３６】
【数８０】
2020516113.tif 000174
【０３３７】
は、ダウンリンクチャネル上に含まれるリソースユニットの最大量を表し、
【０３３８】
【数８１】
2020516113.tif 000175
【０３３９】
は、第ｎsのスロット内の第ｌのシンボル内の第ｍのリソースユニット内の第ｎのＣＳＩ−ＲＳの値を表す。
【０３４０】
任意選択で、第１のパラメータａの値は、以下、すなわち、
１つのリソースユニット内の１つのシンボル内のＲＥの量、
周波数領域符号分割多重の際にＣＳＩ−ＲＳポートによって使用される直交符号の長さ、または
１つのリソースユニット内の１つのシンボル内の、ＣＳＩ−ＲＳポートによって占有されるＲＥの量
のうちの少なくとも１つを含む。
【０３４１】
任意選択で、第１のパラメータａは、ネットワークデバイスまたは端末デバイスによって事前決定される。
【０３４２】
任意選択で、第１のパラメータａは、ネットワークデバイスによって決定された後、端末デバイスに送信される。
【０３４３】
端末デバイス２０は、本発明の実施形態に従った、基準信号送信方法３００または基準信号受信方法３００における、端末デバイスに対応し得、端末デバイス２０は、図３における、基準信号送信方法３００または基準信号受信方法３００における、端末デバイスによって実行される方法を実行するように構成された、モジュールを含み得ることが理解されるべきである。さらに、端末デバイス２０における様々なモジュール、ならびに上で説明された他の動作および／または機能は、図３における基準信号送信方法３００または基準信号受信方法３００の対応する手順を実装することを目的としたものである。具体的には、送受信機モジュール２１は、方法３００におけるＳ３４０を実行するように構成され、決定モジュール２２および獲得モジュール２３は、方法３００におけるＳ３５０を実行するように構成される。様々なモジュールによって上述の対応するステップを実行する具体的な処理は、方法３００において、詳細に説明されており、簡潔にするために、詳細が、本明細書では再び説明されることはない。
【０３４４】
図１０は、本発明の実施形態に従った、ネットワークデバイス４００の別の概略ブロック図である。図１０に示されるように、ネットワークデバイス４００は、プロセッサ４１０と、送受信機４２０とを含み、任意選択で、ネットワークデバイス４００は、メモリ４３０をさらに含む。プロセッサ４１０、送受信機４２０、およびメモリ４３０は、制御および／またはデータ信号を送信するために、内部的に接続されたチャネルを使用することによって、互いに通信し、メモリ４３０は、コンピュータプログラムを記憶するように構成され、プロセッサ４１０は、メモリ４３０からコンピュータプログラムを起動し、コンピュータプログラムを実行して、信号を受信または送信するように送受信機４２０を制御するように、構成される。メモリ４３０内に記憶されたコンピュータプログラムが、プロセッサ４１０によって実行されたとき、プロセッサ４１０は、第１のＣＳＩ−ＲＳを搬送するために使用される複数のリソース要素ＲＥを決定するように構成され、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされ、送受信機４２０は、複数のＲＥを使用することによって、第１のＣＳＩ−ＲＳを端末デバイスに送信するように構成される。
【０３４５】
プロセッサ４１０とメモリ４３０は、１つの処理装置に組み合わされてよく、プロセッサ４１０は、上述の機能を実装するために、メモリ４３０内に記憶されたコンピュータプログラムを実行するように構成される。具体的な実装の際、メモリ４３０は、プロセッサ４１０に組み込まれてよく、またはプロセッサ４１０とは独立していてよい。
【０３４６】
ネットワークデバイスは、送受信機４２０によって出力されたダウンリンクデータまたはダウンリンク制御シグナリングを、無線信号を使用することによって、送信するように構成されたアンテナ４４０をさらに含み得る。具体的には、ネットワークデバイス４００は、本発明の実施形態に従った、基準信号送信方法３００または基準信号受信方法３００における、ネットワークデバイスに対応し得、ネットワークデバイス４００は、図３における、基準信号送信方法３００または基準信号受信方法３００における、ネットワークデバイスによって実行される方法を実行するように構成された、ユニットを含み得る。さらに、ネットワークデバイス４００における様々なユニット、ならびに上で説明された他の動作および／または機能は、図３における基準信号送信方法３００または基準信号受信方法３００の対応する手順を実装することを目的としたものである。具体的には、メモリ４３０は、プログラムコードを記憶するように構成され、プロセッサ４１０が、プログラムコードを実行したとき、プロセッサ４１０は、送受信機４２０を制御して、方法３００におけるＳ３１０およびＳ３２０を実行させ、アンテナ４４０を使用させることによって、方法３００におけるＳ３３０を実行させる。様々なユニットによって上述の対応するステップを実行する具体的な処理は、方法３００において、詳細に説明されており、簡潔にするために、詳細が、本明細書で再び説明されることはない。
【０３４７】
図１１は、本発明の実施形態に従った、端末デバイス５００の別の概略ブロック図である。図１１に示されるように、端末デバイス５００は、プロセッサ５０１と、送受信機５０２とを含み、任意選択で、端末デバイス５００は、メモリ５０３をさらに含む。プロセッサ５０１、送受信機５０２、およびメモリ５０３は、制御および／またはデータ信号を送信するために、内部的に接続されたチャネルを使用することによって、互いに通信し、メモリ５０３は、コンピュータプログラムを記憶するように構成され、プロセッサ５０１は、メモリ５０３からコンピュータプログラムを起動し、コンピュータプログラムを実行して、信号を受信または送信するように送受信機５０２を制御するように、構成される。
【０３４８】
メモリ５０３内に記憶されたコンピュータプログラムが、プロセッサ５０１によって実行されたとき、プロセッサ５０１は、ネットワークデバイスからの第１のＣＳＩ−ＲＳを搬送するために使用される複数のリソース要素ＲＥを決定するように構成され、複数のＲＥは、複数のリソースユニットに分散され、各リソースユニットにおいて、第１のＣＳＩ−ＲＳを搬送するために使用される複数のＲＥは、同じシンボル内の複数のサブキャリア上に配置され、少なくとも２つのＲＥ上において搬送される第１のＣＳＩ−ＲＳの値は、異なり、第１のＣＳＩ−ＲＳの値は、第１の多重符号を使用することによって、リソースユニットにおける複数のＲＥにロードされ、送受信機５０２は、ネットワークデバイスによって送信された信号を受信するように構成され、信号は、第１のＣＳＩ−ＲＳを含み、プロセッサ５０１は、複数のＲＥ上において第１のＣＳＩ−ＲＳを獲得するようにさらに構成される。
【０３４９】
プロセッサ５０１とメモリ５０３は、１つの処理装置に組み合わされてよく、プロセッサ５０１は、上述の機能を実装するために、メモリ５０３内に記憶されたコンピュータプログラムを実行するように構成される。具体的な実装の際、メモリ５０３は、プロセッサ５０１に組み込まれてよく、またはプロセッサ５０１とは独立していてよい。端末デバイス５００は、送受信機５０２によって出力されたアップリンクデータまたはアップリンク制御シグナリングを、無線信号を使用することによって、送信するように構成されたアンテナ５０４をさらに含み得る。
【０３５０】
具体的には、端末デバイス５００は、本発明の実施形態に従った、基準信号送信方法３００または基準信号受信方法３００における、端末デバイスに対応し得、端末デバイス５００は、図３における、基準信号送信方法３００または基準信号受信方法３００における、端末デバイスによって実行される方法を実行するように構成された、モジュールを含み得る。さらに、端末デバイス５００における様々なモジュール、ならびに上で説明された他の動作および／または機能は、図３における基準信号送信方法３００または基準信号受信方法３００の対応する手順を実装することを目的としたものである。具体的には、メモリ５０３は、プログラムコードを記憶するように構成され、プロセッサ５０１が、プログラムコードを実行したとき、プロセッサ５０１は、送受信機５０２を制御して、アンテナ５０４を使用させることによって、方法３００におけるＳ３４０を実行させ、方法３００におけるＳ３５０を実行させる。様々なモジュールによって上述の対応するステップを実行する具体的な処理は、方法３００において、詳細に説明されており、簡潔にするために、詳細が、本明細書で再び説明されることはない。
【０３５１】
プロセッサ５０１は、上述の方法実施形態において説明されたような、端末内において実装されるアクションを実行するように構成され得、送受信機５０２は、上述の方法実施形態において説明されたような、送信のアクションまたは端末からネットワークデバイスに送信することを実行するように構成され得る。詳細については、上述の方法実施形態の説明を参照されたく、詳細が、本明細書で再び説明されることはない。
【０３５２】
プロセッサ５０１とメモリ５０３は、１つの処理装置に組み込まれてよく、プロセッサ５０１は、上述の機能を実装するために、メモリ５０３内に記憶されたコンピュータプログラムを実行するように構成される。具体的な実装の際、メモリ５０３は、あるいは、プロセッサ５０１に組み込まれてよい。
【０３５３】
上述の端末デバイス５００は、端末内の様々な構成要素または回路に電力を供給するように構成された電源５０５をさらに含み得る。
【０３５４】
加えて、端末デバイスの機能を完全に実行するために、端末デバイス５００は、入力ユニット５０６、表示ユニット５０７、音声回路５０８、カメラ５０９、およびセンサ５１０のうちの１つまたは複数をさらに含み得、音声回路は、スピーカ５０８２、およびマイクロフォン５０８４などをさらに含み得る。
【０３５５】
本発明のこの実施形態におけるプロセッサは、中央処理ユニット（ｃｅｎｔｒａｌ  ｐｒｏｃｅｓｓｉｎｇ  ｕｎｉｔ、ＣＰＵ）であってよく、またはさらに、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、もしくは別のプログラマブル論理デバイス、個別ゲートもしくはトランジスタ論理デバイス、または個別ハードウェア構成要素などであってよいことが理解されるべきである。
【０３５６】
本発明のこの実施形態におけるメモリは、揮発性メモリもしくは不揮発性メモリであってよく、または揮発性メモリおよび不揮発性メモリを含んでよいことがさらに理解されるべきである。不揮発性メモリは、リードオンリメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、またはフラッシュメモリであってよい。揮発性メモリは、外部キャッシュとして使用される、ランダムアクセスメモリ（ｒａｎｄｏｍ  ａｃｃｅｓｓ  ｍｅｍｏｒｙ、ＲＡＭ）であってよい。例示的な、しかし、限定的ではない説明を通して、ランダムアクセスメモリ（ｒａｎｄｏｍ  ａｃｃｅｓｓ  ｍｅｍｏｒｙ、ＲＡＭ）の多くの形態、例えば、スタティックランダムアクセスメモリ（ｓｔａｔｉｃ  ＲＡＭ、ＳＲＡＭ）、ダイナミックランダムアクセスメモリ（ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｌｉｎｋ  ＤＲＡＭ、ＳＬＤＲＡＭ）、およびダイレクトラムバスランダムアクセスメモリ（ｄｉｒｅｃｔ  ｒａｍｂｕｓ  ＲＡＭ、ＤＲ  ＲＡＭ）が、使用されてよい。
【０３５７】
上述の実施形態のすべてまたはいくつかは、ソフトウェア、ハードウェア、ファームウェア、またはそれらの任意の組み合わせを通して、実装され得る。実施形態を実装するために、ソフトウェアが使用されるとき、上述の実施形態は、コンピュータプログラム製品の形態で部分的に実装され得る。コンピュータプログラム製品は、１つまたは複数のコンピュータ命令を含む。コンピュータプログラム命令が、コンピュータ上にロードされたとき、またはコンピュータ上において実行されたとき、本発明の実施形態に従った手順または機能が、すべてまたは部分的に生成される。コンピュータは、汎用コンピュータ、専用コンピュータ、コンピュータネットワーク、または他のプログラマブル装置であってよい。コンピュータ命令は、コンピュータ可読記憶媒体内に記憶され得、またはコンピュータ可読記憶媒体から別のコンピュータ可読記憶媒体に送信され得る。例えば、コンピュータ命令は、ウェブサイト、コンピュータ、サーバ、またはデータセンタから、別のウェブサイト、コンピュータ、サーバ、またはデータセンタに、無線（例えば、赤外線、無線、またはマイクロ波など）方式で送信され得る。コンピュータ可読記憶媒体は、コンピュータによってアクセス可能な任意の使用可能媒体、または１つまたは複数の使用可能媒体を統合した、サーバもしくはデータセンタなどの、データ記憶デバイスであってよい。使用可能媒体は、磁気媒体（例えば、フロッピディスク、ハードディスク、および磁気テープ）、光媒体（例えば、デジタル多用途ディスク（ｄｉｇｉｔａｌ  ｖｅｒｓａｔｉｌｅ  ｄｉｓｃ、ＤＶＤ））、または半導体媒体であってよい。半導体媒体は、ソリッドステートドライブであってよい。
【０３５８】
本明細書における「および／または」という語は、もっぱら関連付けられた対象を記述するための関連付け関係を記述し、３つの関係が存在し得ることを表す。例えば、Ａおよび／またはＢは、以下の３つのケース、すなわち、Ａだけが存在する、ＡとＢの両方が存在する、およびＢだけが存在するということを表し得る。加えて、本明細書における文字「／」は、一般に、関連付けられた対象間の「または」関係を示す。
【０３５９】
当業者は、本明細書において開示される実施形態において説明される例と組み合わせて、ユニットおよびアルゴリズムステップは、電子的ハードウェアによって、またはコンピュータソフトウェアと電子的ハードウェアの組み合わせによって実装され得ることを知っていてよい。機能が、ハードウェアによって実行されるか、それともソフトウェアによって実行されるかは、特定の用途、および技術的ソリューションの設計制約条件に依存する。当業者は、説明された機能を特定の各用途向けに実装するために、異なる方法を使用し得るが、その実装が本出願の範囲を超えると見なされるべきではない。
【０３６０】
便利で簡潔な説明の目的で、上述のシステム、装置、およびユニットの詳細な作業処理については、上述の方法実施形態における対応する処理を参照するものとし、詳細が、本明細書で再び説明されることはないことが当業者によって明らかに理解され得る。
【０３６１】
本出願において提供されるいくつかの実施形態においては、開示されるシステム、装置、および方法は、他の方式で実装されてよいことが理解されるべきである。例えば、説明される装置実施形態は、例であるにすぎない。例えば、ユニット分割は、論理機能分割であるにすぎず、実際の実装においては、他の分割であってよい。例えば、複数のユニットまたは構成要素は、別のシステムに組み合わされて、もしくは統合されてよく、またはいくつかの特徴は、無視されて、もしくは実行されなくてよい。加えて、表示または説明された相互結合もしくは直接結合または通信接続は、いくつかのインターフェースを使用することによって、実装されてよい。装置またはユニット間の間接結合または通信接続は、電子的、機械的、または他の形態で実装されてよい。
【０３６２】
別々の部分として説明されたユニットは、物理的に別々であってよく、または物理的に別々でなくてよく、ユニットとして表示された部分は、物理的ユニットであってよく、または物理的ユニットでなくてよく、１つの位置に配置されてよく、または複数のネットワークユニット上に分散されてよい。ユニットのいくつかまたはすべては、実施形態のソリューションの目的を達成するために、実際の要件に基づいて、選択され得る。
【０３６３】
加えて、本出願の実施形態における機能ユニットは、１つの処理ユニットに統合されてよく、またはユニットの各々は、物理的に単独で存在してよく、または２つ以上のユニットは、１つのユニットに統合される。
【０３６４】
機能が、ソフトウェア機能ユニットの形態で実装され、独立した製品として販売または使用されるとき、機能は、コンピュータ可読記憶媒体内に記憶され得る。そのような理解に基づいて、本出願の技術的ソリューションは、基本的に、または先行技術に貢献する部分、もしくは技術的なソリューションのいくつかは、ソフトウェア製品の形態で実装され得る。ソフトウェア製品は、記憶媒体内に記憶され、本出願の実施形態において説明された方法のステップのすべてまたはいくつかを実行するように、（パーソナルコンピュータ、サーバ、またはネットワークデバイスなどであり得る）コンピュータデバイスに命令するためのいくつかの命令を含む。上述の記憶媒体は、ＵＳＢフラッシュドライブ、リムーバブルハードディスク、リードオンリメモリ（ＲＯＭ）、ランダムアクセスメモリ（ＲＡＭ）、磁気ディスク、またはコンパクトディスクなどの、プログラムコードを記憶することができる任意の媒体を含む。
【０３６５】
上述の説明は、本出願の特定の実装であるにすぎず、本出願の保護範囲を限定することは意図されていない。本出願において開示された技術的範囲内の、当業者によって容易に考え付かれる、いずれの変形または置換も、本出願の保護範囲内に包含されるものとする。したがって、本出願の保護範囲は、特許請求の範囲の保護範囲に従うものとする。
【国際調査報告】
2020516113.tif 000176
2020516113.tif 000177
2020516113.tif 000178
2020516113.tif 000179